(57)【要約】【課題】２−３及び２−２プルダウン方式で変換された飛び越し走査映像信号を順次走査映像信号に変換する処理において、シーケンス検出の誤検出をなくし、コーミング現象による画質劣化を防止できる映像信号処理装置、処理方法、映像信号表示装置を提供する。【解決手段】フレーム相関検出手段１１と、フィールド相関検出手段１２と、フィールド内に存在する高域周波数成分の程度を示す信号ｆｉｌｈｖを生成するフィールド解像度判定手段１３と、２−３又は２−２プルダウンによるテレシネ映像信号か否かを示すテレシネ検出信号ｔｃｉと補間時の混合比を示す混合比信号ｔｃｍｉｘを生成するプルダウンシーケンス検出手段１４と、テレシネ検出信号ｔｃｉと混合比信号ｔｃｍｉｘに基づいて複数種類の補間信号Ｉｍ，Ｉｔを混合する補間信号生成手段１１０と、遅延した映像信号Ｒと補間信号Ｉから順次走査映像信号Ｐｒｏｇを生成する倍速変換手段９とを有する。【選択図】        図１
2006253766.tif 000002
【特許請求の範囲】
【請求項１】
飛び越し走査映像信号を順次走査映像信号に変換する映像信号処理装置であって、
上記飛び越し走査映像信号をフィールド単位で遅延させるフィールド遅延手段と、
上記飛び越し走査映像信号の注目フィールドと、上記注目フィールドより１フレーム前のフィールドとの間の相関を検出し、この検出結果に基づくフレーム間の相関の強さを示す信号を出力するフレーム間相関検出手段と、
上記飛び越し走査映像信号の注目フィールドと、上記注目フィールドより１フィールド前のフィールドとの間の相関を検出し、この検出結果に基づくフィールド間の相関の強さを示す信号を出力するフィールド間相関検出手段と、
上記飛び越し走査映像信号の注目フィールドにおける高域周波数成分を検出し、この検出結果に基づくフィールド内に存在する高域周波数成分の程度を示す信号を出力するフィールド解像度判定手段と、
上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ検出信号を生成して出力するとともに、この検出結果及び上記フィールド内に存在する高域周波数成分の程度を示す信号に基づき、補間信号の混合比を示す混合比信号を生成し出力するプルダウンシーケンス検出手段と、
上記飛び越し走査映像信号及び上記フィールド遅延手段で遅延した映像信号に基づいて複数種類の信号を生成し、上記テレシネ検出信号及び上記混合比信号に基づいて、上記複数種類の信号を混合して補間信号を生成し出力する補間信号生成手段と、
上記飛び越し走査映像信号及び上記補間信号生成手段から出力された上記補間信号に基づいて、上記順次走査映像信号を生成する変換手段と
を有すること特徴とする映像信号処理装置。
【請求項２】
上記フレーム間相関検出手段は、
上記飛び越し走査映像信号の注目フィールド内における所定の領域又はすべての領域の画素において、上記注目フィールドより１フレーム前のフィールドにおける同一位置の画素との間の差分値を求め、この差分値に基づく差分情報を検出する差分検出手段と、
上記差分検出手段からの差分情報を所定値と比較し、各画素における動きの有無を判定する比較手段と、
上記比較手段からの出力に基づき、上記フィールド内の所定の領域又はすべての領域における画素に対し、動き又は静止と判定される画素の数を累積し、フィールド毎の累積結果を出力する累積手段と、
上記累積手段からの累積結果を１フィールド遅延させる遅延手段と、
上記累積手段からの累積結果と上記遅延手段で遅延した累積結果との差分絶対値を算出し、累積差分値を出力する差分絶対値算出手段とを有し、
上記累積手段から出力された累積結果と、上記差分絶対値算出手段から出力された累積差分値を、上記フレーム間の相関の強さを示す信号として出力する
ことを特徴とする請求項１記載の映像信号処理装置。
【請求項３】
上記フィールド間相関検出手段は、
上記飛び越し走査映像信号の注目フィールド内における所定の領域又はすべての領域の画素において、上記注目フィールドより１フィールド前のフィールドにおける同一位置近傍の画素との間の差分値を求め、この差分値に基づく差分情報を検出する差分検出手段と、
上記差分検出手段からの差分情報を所定値と比較し、各画素での動きの有無を判定する比較手段と、
上記注目フィールドより１フィールド前のフィールドにおける画素に基づき、垂直方向のエッジ部を判定し、この判定結果に基づく垂直方向のエッジ部を示す信号を出力する垂直エッジ判定手段と、
上記比較手段からの出力及び上記垂直エッジ判定手段からの出力に基づき、上記フィールド内の所定の領域又はすべての領域における画素に対し、動き又は静止と判定される画素の数を累積し、フィールド毎の累積結果を出力する累積手段とを有し、
上記累積手段から出力された累積結果を、上記フィールド間の相関の強さを示す信号として出力とする
ことを特徴とする請求項１記載の映像信号処理装置。
【請求項４】
上記フィールド解像度判定手段は、
上記飛び越し走査映像信号の注目フィールド内における所定の領域又はすべての領域の画素において、水平方向の高域周波数成分を抽出する水平高域成分抽出手段と、
上記飛び越し走査映像信号の注目フィールド内における所定の領域又はすべての領域の画素において、垂直方向の高域周波数成分を抽出する垂直高域成分抽出手段と、
上記水平高域成分抽出手段からの出力及び上記垂直高域成分抽出手段からの出力に基づき、各画素における高域周波数成分を選択し、選択した結果を各画素における高域成分として出力する選択手段と、
上記選択手段からの高域成分を所定値と比較し、各画素が高域成分を持つか否かを判定し、この判定結果に基づく高域成分画素を示す信号を出力する比較手段と、
上記比較手段からの高域成分画素を示す信号に基づき、上記フィールド内の所定の領域又はすべての領域における画素に対し、高域成分を持つと判定される画素の数を累積し、フィールド毎の累積結果を出力する累積手段とを有し、
上記累積手段から出力された累積結果を、上記フィールド内に存在する高域周波数成分の程度を示す信号として出力とする
ことを特徴とする請求項１記載の映像信号処理装置。
【請求項５】
上記プルダウンシーケンス検出手段は、
上記フレーム間の相関の強さを示す信号及び上記フィールド間の相関の強さを示す信号により、２−３プルダウン方式で変換された映像信号のフィールドシーケンスの条件を満たすか否かを判断し、この判断結果を出力する２−３シーケンス検出手段と、
上記フレーム間の相関の強さを示す信号及び上記フィールド間の相関の強さを示す信号により、２−２プルダウン方式で変換された映像信号のフィールドシーケンスの条件を満たすか否かを判断し、この判断結果を出力する２−２シーケンス検出手段と、
上記２−３シーケンス検出手段からの出力、上記２−２シーケンス検出手段からの出力、及び上記フィールド内に存在する高域周波数成分の程度を示す信号に基づき、上記飛び越し走査映像信号がテレシネ変換された映像信号であるか否かを判別し、その判別結果からテレシネ検出信号及び上記混合比信号を生成して出力するプルダウン判定手段と
を有することを特徴とする請求項１から４までのいずれかに記載の映像信号処理装置。
【請求項６】
上記２−３シーケンス検出手段は、
上記フレーム間の相関の強さを示す信号及び上記フィールド間の相関の強さを示す信号に基づいて、２−３プルダウン方式で変換された映像信号のフィールドシーケンスの条件を満たすか否かを判断する２−３フィールドシーケンス検出手段と、
上記フレーム間の相関の強さを示す信号及び上記フィールド間の相関の強さを示す信号に基づいて、上記２−３プルダウン方式で変換された映像信号のフィールドシーケンスの条件を満たすフィールドシーケンスの出現頻度を計測し、この計測結果に基づく予測制御信号を出力する第１の出現頻度検出手段と、
上記２−３フィールドシーケンス検出手段からの出力及び上記予測制御信号に基づき、２−３プルダウン方式で変換された映像信号のフィールドシーケンスの条件を満たすか否かを判断し、この判断結果を出力する第１の予測制御手段と
を有することを特徴とする請求項５記載の映像信号処理装置。
【請求項７】
上記２−３フィールドシーケンス検出手段は、
上記フレーム間の相関の強さを示す信号を所定の閾値と比較し、この比較結果に基づいて上記注目フィールドが静止画フィールド又は動画フィールドのいずれかであるかを検出する第１のフレーム静止画検出手段と、
上記第１のフレーム静止画検出手段の検出結果に基づき、動画フィールドを示すフィールドの連続数を検出する第１の動画フィールドカウント手段と、
上記フィールド間の相関の強さを示す信号を所定の閾値と比較し、この比較結果に基づいて上記注目フィールドが静止画フィールド又は動画フィールドのいずれかであるかを検出する第１のフィールド静止画検出手段と、
上記第１のフィールド静止画検出手段の検出結果に基づき、動画フィールドを示すフィールドの連続数を検出する第２の動画フィールドカウント手段と、
上記第１のフレーム静止画検出手段の検出結果及び上記第１の動画フィールドカウント手段の検出結果に基づき、２−３プルダウン方式で変換された映像信号のフィールドシーケンス位相を検出し、補間位相を出力する第１のシーケンス位相検出手段と、
上記第１のフレーム静止画検出手段の検出結果及び上記第１の動画フィールドカウント手段の検出結果と、上記第１のフィールド静止画検出手段の検出結果及び上記第２の動画フィールドカウント手段の検出結果に基づき、２−３プルダウン方式で変換された映像信号のフィールドシーケンスであることを満たすフィールドを検出し、この検出結果を出力する第１のシーケンス条件検出手段と、
上記フレーム間の相関の強さを示す信号、上記第１のフレーム静止画検出手段の検出結果、上記第１の動画フィールドカウント手段の検出結果、上記第１のフィールド静止画検出手段の検出結果、及び上記第２の動画フィールドカウント手段の検出結果に基づき、上記飛び越し走査映像信号が２−３プルダウン方式で変換された映像信号のフィールドシーケンス条件を満たさない場合を検出する第１の解除検出手段と、
上記第１のシーケンス条件検出手段の検出結果及び上記第１の解除検出手段の検出結果に基づき、２−３プルダウン方式で変換された映像信号のフィールドシーケンスを判定し、２−３プルダウンのシーケンス検出信号を出力する第１のシーケンス判定手段と
を有することを特徴とする請求項５又は６のいずれかに記載の映像信号処理装置。
【請求項８】
上記第１の出現頻度検出手段は、
上記フレーム間の相関の強さを示す信号及び上記フィールド間の相関の強さを示す信号に基づいて、２−３プルダウン方式で変換された映像信号のフィールドシーケンスの条件を満たす場合を検出した回数をカウントする第１のシーケンス判定回数検出手段と、
上記第１のシーケンス判定回数検出手段によるカウント値を所定の閾値と比較し、この比較結果を２−３プルダウン方式で変換された映像信号であることの確からしさを示す指標である上記予測制御信号として出力する第１の予測制御フラグ生成手段と
を有することを特徴とする請求項５又は６のいずれかに記載の映像信号処理装置。
【請求項９】
上記２−２シーケンス検出手段は、
上記フレーム間の相関の強さを示す信号及び上記フィールド間の相関の強さを示す信号に基づいて、２−２プルダウン方式で変換された映像信号のフィールドシーケンスの条件を満たすか否かを判断する２−２フィールドシーケンス検出手段と、
上記フレーム間の相関の強さを示す信号及び上記フィールド間の相関の強さを示す信号に基づいて、上記２−２プルダウン方式で変換された映像信号のフィールドシーケンスの条件を満たすフィールドシーケンスの出現頻度を計測し、この計測結果に基づく予測制御信号を出力する第２の出現頻度検出手段と、
上記２−２フィールドシーケンス検出手段からの出力及び上記予測制御信号に基づき、２−２プルダウン方式で変換された映像信号のフィールドシーケンスの条件を満たすか否かを判断し、この判断結果を出力する第２の予測制御手段と
を有することを特徴とする請求項５記載の映像信号処理装置。
【請求項１０】
上記２−２フィールドシーケンス検出手段は、
上記フレーム間の相関の強さを示す信号を所定の閾値と比較し、この比較結果に基づいて上記注目フィールドが静止画フィールド又は動画フィールドのいずれかであるかを検出する第２のフレーム静止画検出手段と、
上記フレーム間の相関の強さを示す信号を所定の閾値と比較し、この比較結果に基づいて同一フレームによるフィールドを判定し、判定結果を示す信号を出力する同一フレーム判定手段と、
上記フィールド間の相関の強さを示す信号を所定の閾値と比較し、この比較結果に基づいて上記注目フィールドが静止画フィールド又は動画フィールドのいずれかであるかを検出する第２のフィールド静止画検出手段と、
上記第２のフィールド静止画検出手段の検出結果に基づき、動画フィールドを示すフィールドの連続数を検出する第３の動画フィールドカウント手段と、
上記第２のフレーム静止画検出手段の検出結果、上記同一フレーム判定手段の判定結果、上記第２のフィールド静止画検出手段の検出結果、及び上記第３の動画フィールドカウント手段の検出結果に基づき、２−２プルダウン方式で変換された映像信号のフィールドシーケンスであることを満たすフィールドを検出し、この検出結果を出力する第２のシーケンス条件検出手段と、
上記第２のシーケンス条件検出手段の検出結果に基づき、２−２プルダウン方式で変換された映像信号のフィールドシーケンス位相を検出し、補間位相を出力する第２のシーケンス位相検出手段と、
上記フレーム間の相関の強さを示す信号、上記第２のフレーム静止画検出手段の検出結果、上記第２のフィールド静止画検出手段の検出結果、及び上記第３の動画フィールドカウント手段の検出結果に基づき、上記飛び越し走査映像信号が２−２プルダウン方式で変換された映像信号のフィールドシーケンス条件を満たさない場合を検出する第２の解除検出手段と、
上記第２のシーケンス条件検出手段の検出結果及び上記第２の解除検出手段の検出結果に基づき、２−２プルダウン方式で変換された映像信号のフィールドシーケンスを判定し、２−２プルダウンのシーケンス検出信号を出力する第２のシーケンス判定手段と
を有することを特徴とする請求項５又は９のいずれかに記載の映像信号処理装置。
【請求項１１】
上記第２の出現頻度検出手段は、
上記フレーム間の相関の強さを示す信号及び上記フィールド間の相関の強さを示す信号に基づいて、２−２プルダウン方式で変換された映像信号のフィールドシーケンスの条件を満たす場合を検出した回数をカウントする第２のシーケンス判定回数検出手段と、
上記第２のシーケンス判定回数検出手段によるカウント値を所定の閾値と比較し、この比較結果を２−２プルダウン方式で変換された映像信号であることの確からしさを示す指標である上記予測制御信号として出力判定する第２の予測制御フラグ生成手段と
を有することを特徴とする請求項５又は９のいずれかに記載の映像信号処理装置。
【請求項１２】
上記プルダウン判定手段は、
上記２−３シーケンス検出手段からの出力及び上記２−２シーケンス検出手段からの出力に基づき、上記飛び越し走査映像信号が２−３プルダウン方式で変換された映像信号か２−２プルダウン方式で変換された映像信号かを判定し、この判定結果から上記テレシネ検出信号と、テレシネ変換におけるプルダウンの方式を示す識別信号を生成し出力するテレシネ判定手段と、
上記テレシネ判定手段からの識別信号に基づき、上記２−３シーケンス検出手段からの出力と上記２−２シーケンス検出手段からの出力から、補間位相を示す信号を選択し出力する位相フラグ選択手段と、
上記フィールド内に存在する高域周波数成分の程度を示す信号に基づき、補間信号の混合比を算出する補間混合比変換手段と、
上記補間混合比変換手段から算出された混合比と上記テレシネ判定手段からの識別信号に基づき、補間信号の混合比を示す混合比信号を生成し出力する混合比切換手段とを有し、
上記テレシネ判定手段からの上記テレシネ検出信号と、上記混合比切換手段からの混合比信号を出力する
ことを特徴とする請求項５記載の映像信号処理装置。
【請求項１３】
上記補間混合比変換手段は、
上記フィールド内に存在する高域周波数成分の程度を示す信号を非線形変換する非線形変換手段と、
上記非線形変換手段により変換された値を所定の範囲内の値となるようクリップすることによって、上記補間信号の混合比を算出するクリップ手段と
を有することを特徴とする請求項１２記載の映像信号処理装置。
【請求項１４】
上記補間信号生成手段は、
補間フィールドにおける映像信号に基づく演算処理により補間信号を生成するフィールド内補間又は補間フィールドの隣接フィールドにおける映像信号に基づく演算処理により補間信号を生成するフィールド間補間により、上記飛び越し走査映像信号及び上記フィールド遅延手段で遅延した映像信号に基づいて第１の補間信号を生成して出力する動き適応補間処理手段と、
テレシネ変換された映像信号に対し、補間フィールドの１フィールド前又は１フィールド後の映像信号に基づき、第２の補間信号を生成して出力するテレシネ補間処理手段と、
上記プルダウンシーケンス検出手段から出力されるテレシネ検出信号及び混合比信号に基づいて、上記第１の補間信号と上記第２の補間信号を混合することで補間信号を生成し、出力する混合手段と
を有すること特徴とする請求項１から１３までのいずれかに記載の映像信号処理装置。
【請求項１５】
飛び越し走査映像信号を順次走査映像信号に変換する映像信号処理方法であって、
上記飛び越し走査映像信号をフィールド単位で遅延させるステップと、
上記飛び越し走査映像信号の注目フィールドと、上記注目フィールドより１フレーム前のフィールドとの間の相関を検出し、この検出結果に基づくフレーム間の相関の強さを示す信号を出力するステップと、
上記飛び越し走査映像信号の注目フィールドと、上記注目フィールドより１フィールド前のフィールドとの間の相関を検出し、この検出結果に基づくフィールド間の相関の強さを示す信号を出力するステップと、
上記飛び越し走査映像信号の注目フィールドにおける高域周波数成分を検出し、この検出結果に基づくフィールド内に存在する高域周波数成分の程度を示す信号を出力するステップと、
上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ検出信号を生成して出力するとともに、この検出結果及び上記フィールド内に存在する高域周波数成分の程度を示す信号に基づき、補間信号の混合比を示す混合比信号を生成し出力するステップと、
上記飛び越し走査映像信号及び上記フィールド遅延手段で遅延した映像信号に基づいて複数種類の信号を生成し、上記テレシネ検出信号及び上記混合比信号に基づいて、上記複数種類の信号を混合して補間信号を生成し出力するステップと、
上記飛び越し走査映像信号及び上記混合された補間信号に基づいて、上記順次走査映像信号を生成するステップと
を有すること特徴とする映像信号処理方法。
【請求項１６】
請求項１から１４までのいずれか１項に記載の映像信号処理装置と、
映像を表示する表示手段と、
上記映像信号処理装置から出力された上記順次走査の映像信号に基づく映像を、上記表示手段に表示させる表示処理手段と
を有することを特徴とする映像信号表示装置。
【発明の詳細な説明】
【技術分野】
【０００１】
本発明は、飛び越し走査（インターレース）信号を順次走査（プログレッシブ）の映像信号に変換する映像信号処理装置、映像信号処理方法、及びこの映像信号処理装置又は方法を適用した映像信号表示装置に関し、特に、映画フィルムやコンピュータグラフィックなどで作成された信号から２−３プルダウン方式又は２−２プルダウン方式で変換されたインターレース映像信号か否かを検出し、順次走査変換する映像信号処理装置、映像信号処理方法、及び映像信号表示装置に関するものである。
【背景技術】
【０００２】
標準的なテレビジョン信号としては、ＮＴＳＣ方式、ハイビジョン方式、ＰＡＬ方式などの方式があるが、これらは飛び越し走査（インターレース）信号である。ＮＴＳＣ方式やハイビジョンなどのテレビジョン信号は、毎秒６０フィールド（３０フレーム）のインターレース信号となっており、また、ＰＡＬ方式などのテレビジョン信号の場合は、毎秒５０フィールド（２５フレーム）のインターレース信号である。したがって、映画フィルムやコンピュータグラフィックなどで作成された信号をテレビジョン放送の番組として放送する場合やビデオパッケージとしてパッケージ化する場合には、それぞれのフレーム周波数の信号を毎秒６０フィールド又は５０フィールドのテレビジョン放送用のインターレース信号へ変換（「テレシネ変換」と呼ぶ。）することになる。
【０００３】
映画フィルムは、毎秒２４コマ（フレーム）として撮影されている。映画フィルムの信号を６０フィールドのインターレース信号へテレシネ変換する場合には、第１フレーム（奇数番目のコマ）を２フィールドに、第２フレーム（偶数番目のコマ）を３フィールドに対応するよう２−３プルダウン変換し、５フィールドに１回、２フィールド前と同一のフィールドを繰り返すようにする。２−３プルダウン変換により、毎秒２４コマの映像信号を毎秒６０フィールドのインターレース信号（２−３プルダウンによりテレシネ変換された映像信号であり、「２−３プルダウン信号」と呼ぶ。）に変換することができる。なお、このテレシネ変換では、第１フレームを３フィールドに、第２フレームを２フィールドに対応するよう３−２プルダウン変換する場合もあるが、３−２プルダウン変換は２−３プルダウン変換と実質的には同じ処理であり、本出願において、２−３プルダウン変換として説明する場合には、２−３プルダウン方式による場合だけではなく、３−２プルダウン方式によるテレシネ変換の場合をも含むものとする。
【０００４】
また、映画フィルムの信号を毎秒５０フィールドのインターレース信号へテレシネ変換する場合は、１コマの映像信号を１フレームに割り当て、１秒に１回１コマのみ２回表示することで２５フレームとし、各フレームを２フィールドに対応させて２−２プルダウン変換する。これにより、毎秒２４コマの映像信号を毎秒５０フィールドのインターレース信号に変換することができる。
【０００５】
さらに、コンピュータグラフィックスなどで作成されたアニメーション、プロモーションビデオなどの映像の場合には、元の映像信号として、毎秒３０枚（フレーム）の映像を作成し、作成された１枚の映像信号を１フレームに割り当て、各フレームを２フィールドに対応させて２−２プルダウン変換する。この２−２プルダウン変換により、毎秒３０枚の映像信号を毎秒６０フィールドのインターレース信号に変換することができる。上記毎秒２４コマの映像信号から得た毎秒５０フィールドのインターレース信号、及び毎秒３０枚の映像信号から得られた毎秒６０フィールドのインターレース信号は、２−２プルダウンによりテレシネ変換された映像信号であり、以下「２−２プルダウン信号」と呼ぶ。
【０００６】
一方、近年では、インターレースのテレビジョン信号を高画質で表示する際、インターレース信号を順次走査（プログレッシブ）の信号に変換（「ＩＰ変換」と呼ぶ。）する処理が行われる。ＩＰ変換においては、一般に、映像が静止画像である場合には、時間的に隣接するフィールドの対応する走査線の画素をはめ込むことにより補間（フィールド間補間）が行われ、映像が動画像である場合は、同一フィールド内の隣接走査線における画素により補間信号を生成する（フィールド内補間）という動き適応ＩＰ変換を行うことが知られている。さらに、ＩＰ変換を行う場合には、処理する映像信号がテレシネ変換された映像信号（２−３プルダウン信号及び２−２プルダウン信号であり、「テレシネ映像信号」と呼ぶ。）であるか否かと、プルダウンの位相（同一フレームから変換されたフィールドの方向）を検出（「テレシネ検出」という。）し、テレシネ映像信号に対しては、検出されたプルダウンの位相に応じて、同じフレームから変換されたトップフィールとボトムフィールドによりテレシネ変換される前のプログレッシブ信号を復元し、プログレッシブの映像信号に変換する。なお、テレシネ映像信号に対するＩＰ変換をテレシネ補間と呼ぶ。
【０００７】
テレシネ映像信号を検出してＩＰ変換する従来の映像信号処理装置においては、１フレーム前（すなわち、２フィールド前）のフィールドとの間の差分と、１フィールド前のフィールド（隣接フィールド）との間の差分とを検出し、差分の検出結果におけるフィールド毎の繰り返し周期に基づいて、２−３プルダウン信号及び２−２プルダウン信号のシーケンスを判定することでテレシネ検出を行い、テレシネ補間する装置が提案されている（例えば、特許文献１参照）。
【０００８】
２−３プルダウン信号の場合、５フィールドに１回、２フィールド前と同一のフィールドを繰り返して変換されており、１フレーム前のフィールドとの間の差分によれば、５フィールドに一度の周期で差分情報がゼロ又は所定値以下となる静止画フィールドが存在する。よって、２−３プルダウン信号のシーケンスを判定する際には、フレーム間の差分が５フィールドの繰り返し周期を持つ特性を利用してテレシネ検出を行う。
【０００９】
２−２プルダウン信号の場合には、１フレームが２フィールドに対応して変換されており、隣接フィールド間の差分によれば、２フィールド毎の周期で差分情報がゼロ又は所定値以下となる。よって、２−２プルダウンシーケンスを判定する際には、フィールド間の差分が２フィールドの繰り返し周期の特性を利用してテレシネ検出を行う。
【００１０】
また、隣接フィールド間の差分を検出しテレシネ検出を行うが、フィールド内補間信号との間の差分を用いてシーケンスを判定することで、テレシネ検出における誤検出を防止し、ＩＰ変換を行う装置の提案もある（例えば、特許文献２参照）。
【００１１】
さらに、現フィールドのフィールド内補間信号と前後フィールドとの差分からマッチングを表すマッチング信号を生成し、マッチング信号により前後フィールドの信号を混合することでテレシネ補間を行う装置の提案もある（例えば、特許文献３参照）。
【００１２】
【特許文献１】特開２００３−７８９２６号公報（図１〜図４）
【特許文献２】特開２００４−９６２２３号公報（図２）
【特許文献３】特許第３３８９９８４号公報（図１）
【発明の開示】
【発明が解決しようとする課題】
【００１３】
隣接フィールド間の差分を用いてテレシネ検出する場合は、１フレーム内における奇数フィールドと偶数フィールドが、基本的に同一の映像で構成されているか否かに基づき検出を行っている。しかし、映像信号がインターレース信号であるため、隣接する２つのフィールドにおける各画素の垂直方向ライン位置は、互いに１／２ラインずれた位置となり、同一位置の画素ではなく、画素同士のレベルを比較しても、全く同一になるとは限らない。
【００１４】
したがって、上記従来の装置においては、隣接フィールドの間の差分を用いてテレシネ検出を行う場合、差分情報の検出の精度が完全でないため、シーケンスを誤検出する可能性がある。また、ＴＶ放送などのための編集、ＣＭ（コマーシャル）やテロップの挿入などにより、テレシネ映像信号の途中で編集点が頻繁に存在する場合や、テレシネ映像信号以外の信号が混在する場合などに、テレシネ検出において、２−３及び２−２プルダウンのフィールドシーケンス（位相）のずれや抜けなどが発生し、シーケンスの不連続を検出できないこともある。そのため、誤った方向のフィールドでの補間信号によりＩＰ変換してしまい、出力画像が櫛状に割れるいわゆるコーミング現象による画質劣化が生じ、良好なＩＰ変換を行うことができないという問題点がある。
【００１５】
そこで、本発明は、上記の課題を解決するためになされたものであり、その目的は、２−３及び２−２プルダウン方式で変換された飛び越し走査映像信号を順次走査映像信号に変換する処理において、シーケンス検出の誤検出をなくし、コーミング現象による画質劣化が生じないようにすることができる映像信号処理装置、映像信号処理方法、及び映像信号表示装置を提供することにある。
【課題を解決するための手段】
【００１６】
本発明の映像信号処理手段は、飛び越し走査映像信号を順次走査映像信号に変換する映像信号処理装置であって、上記飛び越し走査映像信号をフィールド単位で遅延させるフィールド遅延手段と、上記飛び越し走査映像信号の注目フィールドと、上記注目フィールドより１フレーム前のフィールドとの間の相関を検出し、この検出結果に基づくフレーム間の相関の強さを示す信号を出力するフレーム間相関検出手段と、上記飛び越し走査映像信号の注目フィールドと、上記注目フィールドより１フィールド前のフィールドとの間の相関を検出し、この検出結果に基づくフィールド間の相関の強さを示す信号を出力するフィールド間相関検出手段と、上記飛び越し走査映像信号の注目フィールドにおける高域周波数成分を検出し、この検出結果に基づくフィールド内に存在する高域周波数成分の程度を示す信号を出力するフィールド解像度判定手段と、上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ検出信号を生成して出力するとともに、この検出結果及び上記フィールド内に存在する高域周波数成分の程度を示す信号に基づき、補間信号の混合比を示す混合比信号を生成し出力するプルダウンシーケンス検出手段と、上記飛び越し走査映像信号及び上記フィールド遅延手段で遅延した映像信号に基づいて複数種類の信号を生成し、上記テレシネ検出信号及び上記混合比信号に基づいて、上記複数種類の信号を混合して補間信号を生成し出力する補間信号生成手段と、上記飛び越し走査映像信号及び上記補間信号生成手段から出力された上記補間信号に基づいて、上記順次走査映像信号を生成する変換手段とを有するものである。
【００１７】
また、本発明の映像信号処理方法は、飛び越し走査映像信号を順次走査映像信号に変換する映像信号処理方法であって、上記飛び越し走査映像信号をフィールド単位で遅延させるステップと、上記飛び越し走査映像信号の注目フィールドと、上記注目フィールドより１フレーム前のフィールドとの間の相関を検出し、この検出結果に基づくフレーム間の相関の強さを示す信号を出力するステップと、上記飛び越し走査映像信号の注目フィールドと、上記注目フィールドより１フィールド前のフィールドとの間の相関を検出し、この検出結果に基づくフィールド間の相関の強さを示す信号を出力するステップと、上記飛び越し走査映像信号の注目フィールドにおける高域周波数成分を検出し、この検出結果に基づくフィールド内に存在する高域周波数成分の程度を示す信号を出力するステップと、上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ検出信号を生成して出力するとともに、この検出結果及び上記フィールド内に存在する高域周波数成分の程度を示す信号に基づき、補間信号の混合比を示す混合比信号を生成し出力するステップと、上記飛び越し走査映像信号及び上記フィールド遅延手段で遅延した映像信号に基づいて複数種類の信号を生成し、上記テレシネ検出信号及び上記混合比信号に基づいて、上記複数種類の信号を混合して補間信号を生成し出力するステップと、上記飛び越し走査映像信号及び上記混合された補間信号に基づいて、上記順次走査映像信号を生成するステップとを有するものである。
【００１８】
さらに、本発明の映像信号表示装置は、上記映像信号処理装置と、映像を表示する表示手段と、上記映像信号処理装置から出力された上記順次走査の映像信号に基づく映像を、上記表示手段に表示させる表示処理手段とを有するものである。
【発明の効果】
【００１９】
本発明の映像信号処理装置又は映像信号処理方法によれば、フレーム差分情報及びフィールド差分情報から、順次入力される飛び越し走査映像信号が２−３プルダウン信号又は２−２プルダウン信号のシーケンスの繰り返し条件を満たすか否かを検出するとともに、それぞれのシーケンスの出現頻度を計測することにより比較的長い期間（フィールド）にわたりシーケンスを監視し、テレシネ映像信号であることの確からしさを示す指標である予測制御フラグに基づいたテレシネ検出信号を出力するようにしており、さらに、各フィールド内に存在する高域周波数成分の程度を判定することで、補間信号の混合比を示す混合比信号を生成し、これによりテレシネ補間信号と動き適応補間による補間信号を混合して、テレシネ補間信号を出力している。したがって、テレシネ検出信号の信頼度が向上し、テレシネ検出信号に基づいて選択される補間走査線信号を適切に選択できるとともに、混合比信号により、補間信号を混合しているので、２−３プルダウン信号及び２−２プルダウン信号のシーケンスの誤検出を回避し、シーケンスの誤検出がある場合に発生するコーミング現象による画質劣化の発生頻度を低減し、テレシネ変換された映像信号を良好な順次走査映像信号に変換することができるという効果がある。
【００２０】
また、本発明の映像信号表示装置によれば、コーミング現象による画質劣化を低減した良好な順次走査映像信号に基づく高品質な映像を表示することができるという効果がある。
【発明を実施するための最良の形態】
【００２１】
本発明の実施の形態における映像信号処理装置、映像信号処理方法、及び映像信号表示装置は、１フレーム前のフィールドとの間の相関を検出し、この検出結果に基づくフレーム間の相関の強さを示す信号を出力するフレーム間相関検出手段と、１フィールド前のフィールドとの間の相関を検出し、この検出結果に基づくフィールド間の相関の強さを示す信号を出力するフィールド間相関検出手段と、フィールドにおける高域周波数を検出し、この検出結果に基づくフィールド内に存在する高域周波数成分の程度を示す信号を出力するフィールド解像度判定手段とを有し、上記フレーム間の相関の強さを示す信号とフィールド間の相関の強さを示す信号に基づいて、入力映像信号がテレシネ変換された映像信号のフィールドシーケンスを満たすか否かを検出し、この検出結果に基づくテレシネ検出信号を生成して出力するとともに、この検出結果と、上記フィールド内に存在する高域周波数成分の程度を示す信号に基づき、補間信号の混合比を示す混合比信号を生成して、上記テレシネ検出信号と混合比信号に基づいて、動き適応処理による補間信号とテレシネ補間処理による補間信号を選択又は混合して補間信号を生成し、ＩＰ変換を行うものである。なお、本出願において、「・・・手段」として示される構成は、電気回路（ハードウェア）によって実現されるもの、又は、ソフトウェアによって実現されるもののいずれであってもよい。
【００２２】
実施の形態１．
図１は、本発明の実施の形態１による映像信号処理装置（すなわち、実施の形態１による映像信号処理方法を実施することができる装置）の構成を示すブロック図である。
【００２３】
図１に示されるように、実施の形態１の映像信号処理装置は、インターレース映像信号（入力映像信号又は現フィールド信号ともいう。）Ｉａ０が順次入力される入力端子１００と、タイミング信号発生手段１と、インターレース映像信号Ｉａ０を１フィールド遅延させる１フィールド遅延手段２と、１フィールド遅延手段２から出力される１フィールド遅延信号Ｉｂ０を１フィールド遅延させる１フィールド遅延手段３と、順次入力されるインターレース映像信号Ｉａ０がテレシネ映像信号か否かを検出するテレシネ検出手段６と、テレシネ検出手段６からの検出信号に基づきテレシネ補間処理を行い、補間信号（補間走査線信号ともいう。）を生成する補間信号生成手段１１０と、補間信号生成手段１１０から出力された補間信号Ｉを実走査線信号Ｒの対応する走査線間にはめ込み、倍速変換して、プログレッシブ映像信号Ｐｒｏｇへ変換して出力する倍速変換手段９と、プログレッシブ信号Ｐｒｏｇを出力する出力端子１０１とを有している。
【００２４】
補間信号生成手段１１０は、補間信号Ｉを生成するものであり、映像信号のフレーム間差分に基づき動きを検出する動き検出手段４と、動き検出手段４の出力ｄｅｔｍに従い、動きに応じた走査線補間処理を行う動き適応補間処理手段５と、テレシネ検出手段６からの信号ｔｃｆに基づき、２−３又は２−２プルダウン信号に対応した走査線補間処理を行うテレシネ補間処理手段７と、テレシネ検出手段６からの信号ｔｃｉ，ｔｃｍｉｘに基づき、動き適応補間処理手段５とテレシネ補間処理手段７からの信号を混合する混合手段８とから構成されている。
【００２５】
また、テレシネ検出手段６は、入力映像信号がテレシネ映像信号か否かとシーケンスの補間位相を検出するものであり、１フレーム前のフィールドとの差分情報からフレーム間の相関を検出するフレーム間相関検出手段１１と、１フィールド前のフィールドとの差分情報から１フィールド間の相関を検出するフィールド間相関検出手段１２と、現フィールド内に存在する高域周波数成分の程度を判定するフィールド解像度判定手段１３と、プルダウンシーケンス検出手段１４とを有している。テレシネ検出手段６内のプルダウンシーケンス検出手段１４は、入力映像信号がテレシネ映像信号か否かを検出し、テレシネ検出信号ｔｃｉを出力するとともに、プルダウンのシーケンスを判定し、シーケンスの補間位相フラグｔｃｆと、補間信号生成手段１１０における混合手段８で用いる補間信号の混合比を示す混合比信号ｔｃｍｉｘを出力するものである。テレシネ検出手段６内のプルダウンシーケンス検出手段１４は、２−３プルダウン信号のシーケンスを検出する２−３シーケンス検出手段１５と、２−２プルダウン信号のシーケンスを検出する２−２シーケンス検出手段１６と、２−３シーケンス検出手段１５と２−２シーケンス検出手段１６の検出結果から入力映像信号がテレシネ映像信号かの判定を行うプルダウン判定手段１７とを有している。
【００２６】
タイミング信号発生手段１は、入力端子１００から入力されたインターレース映像信号Ｉａ０から垂直及び水平同期信号を分離し、分離した同期信号に基づき、タイミング信号を発生する。ここでは、例えば、１フィールド内の所定の領域を示すためのエリア信号ｔｅを発生する。
【００２７】
１フィールド遅延手段２は、入力端子１００から入力されたインターレース映像信号Ｉａ０を１フィールド分遅延し、１フィールド遅延手段３は、１フィールド遅延手段２からの１フィールド遅延信号Ｉｂ０をさらに１フィールド分遅延し、２フィールド遅延信号Ｉｃ０を出力する。
【００２８】
テレシネ検出手段６には、入力端子１００からの現フィールド信号Ｉａ０、１フィールド遅延手段２からの１フィールド遅延信号Ｉｂ０、及び１フィールド遅延手段３からの２フィールド遅延信号Ｉｃ０が入力される。テレシネ検出手段６は、１フレーム前のフィールドとの相関（フレーム差分情報ともいう。）と１フィールド前のフィールドとの相関（フィールド差分情報ともいう。）から、入力映像信号が２−３プルダウン信号又は２−２プルダウン信号におけるフィールドシーケンスの繰り返し条件を満たす映像信号であるか否かを検出するとともに、入力映像信号におけるテレシネシーケンスの出現頻度を検出し（すなわち、テレシネ映像信号であることの確からしさを判定し）、これら検出結果に基づいてテレシネ映像信号の検出を示すテレシネ検出信号ｔｃｉと、シーケンスの位相（すなわち、同一フレームから変換されたフィールドの方向）を示す補間位相フラグｔｃｆを生成して出力する。テレシネ検出手段６は、入力映像信号Ｉａ０がテレシネ映像信号であると検出した場合には、例えば、テレシネ検出信号ｔｃｉの値を‘１’（すなわち、ｔｃｉ＝１）とし、テレシネ映像信号でないと検出した場合には、例えば、テレシネ検出信号ｔｃｉの値を‘０’（すなわち、ｔｃｉ＝０）とする。そして、前フィールドが同一フィールドである場合には、例えば、補間位相フラグｔｃｆの値を‘１’（すなわち、ｔｃｆ＝１）とし、後フィールドが同一フィールドである場合は、例えば、補間位相フラグｔｃｆの値を‘０’（すなわち、ｔｃｆ＝０）とする。
【００２９】
さらに、テレシネ検出手段６は、入力映像信号の各フィールド内における高域成分を検出し、フィールド内に存在する全体的な高域周波数成分の程度を解像度として判定し、この判定結果に基づき、補間信号の混合比を示す混合比信号ｔｃｍｉｘを出力する。テレシネ検出手段６は、補間信号生成手段１１０内の混合手段８において、テレシネ補間信号Ｉｔの混合比が１００％（テレシネ補間信号Ｉｔのみから補間信号Ｉを生成）である場合は、例えば、混合比信号ｔｃｍｉｘの値を‘１００’（すなわち、ｔｃｍｉｘ＝１００）とし、動き適応補間処理手段５による補間信号Ｉｍのみから補間信号Ｉを生成する場合は、例えば、混合比信号ｔｃｍｉｘの値を‘０’（すなわち、ｔｃｍｉｘ＝０）とする。すなわち、例えば、混合比が５０％（すなわち、５０：５０）である場合には、例えば、混合比信号ｔｃｍｉｘの値を‘５０’（すなわち、ｔｃｍｉｘ＝５０）として、混合手段８において、補間信号Ｉｍとテレシネ補間信号Ｉｔを均等に混合する。
【００３０】
そして、テレシネ検出手段６からの補間位相フラグｔｃｆは、補間信号生成手段１１０内のテレシネ補間処理手段７へ送られ、テレシネ検出信号ｔｃｉと混合比信号ｔｃｍｉｘは、補間信号生成手段１１０内の混合手段８へと送られる。以上、テレシネ検出手段６の詳細な構成については後述する。
【００３１】
補間信号生成手段１１０は、入力端子１００からの現フィールド信号Ｉａ０と、１フィールド遅延手段２からの１フィールド遅延信号Ｉｂ０と、１フィールド遅延手段３からの２フィールド遅延信号Ｉｃ０とが入力され、これら入力された信号に基づいて補間信号Ｉを生成し、出力する。補間信号生成手段１１０は、動き適応補間処理手段５による通常の映像信号に対する補間処理と、テレシネ補間処理手段７によるテレシネ映像信号に対するテレシネ補間処理を行い、テレシネ検出手段６からのテレシネ検出信号ｔｃｉと混合比信号ｔｃｍｉｘに基づき、いずれかの処理の補間信号が選択又は補間信号を混合することにより補間信号Ｉを生成し、倍速変換手段９へと出力する。
【００３２】
補間信号生成手段１１０内の動き検出手段４は、現フィールド信号Ｉａ０と１フィールド遅延手段３からの２フィールド遅延信号Ｉｃ０が入力され、２つのフィールドにおける信号間の差分情報を求める。そして、得られた差分情報に基づき、１フレーム間の映像信号の動きを検出し、映像信号の動きを示す動き検出信号ｄｅｔｍを動き適応補間処理手段５へと送る。
【００３３】
補間信号生成手段１１０内の動き適応補間処理手段５は、１フィールド遅延手段２からの１フィールド遅延信号Ｉｂ０と１フィールド遅延手段３からの２フィールド遅延信号Ｉｃ０に対し、動き検出手段４からの出力である動き検出信号ｄｅｔｍに基づき、動き適応ＩＰ変換を行う。補間走査線信号の生成処理は、１フィールド遅延信号Ｉｂ０に対して行われる。動き適応補間処理手段５は、動き検出信号ｄｅｔｍに基づいて、時間的に前の２フィールド遅延信号Ｉｃ０から対応する走査線の画素をはめ込むことによるフィールド間補間、又は、１フィールド遅延信号Ｉｂ０における垂直方向の上下に位置する画素信号からのフィールド内補間処理を行い、補間走査線信号（補間信号）Ｉｍを出力する。
【００３４】
補間信号生成手段１１０内のテレシネ補間処理手段７は、現フィールド信号Ｉａ０と１フィールド遅延手段３からの２フィールド遅延信号Ｉｃ０が入力され、テレシネ検出手段６からの補間位相フラグｔｃｆに基づき、２−３又は２−２プルダウンの変換位相に対応したフィールドを現フィールド信号Ｉａ０又は２フィールド遅延信号Ｉｃ０から選択し、テレシネ映像信号の場合における補間信号（テレシネ補間信号という。）Ｉｔとして出力する。
【００３５】
補間信号生成手段１１０内の混合手段８は、テレシネ検出手段６から出力されるテレシネ検出信号ｔｃｉ及び混合比信号ｔｃｍｉｘに応じて、動き適応補間処理手段５からの補間信号Ｉｍとテレシネ補間処理手段７からのテレシネ補間信号Ｉｔを混合し、補間信号Ｉとして倍速変換手段９へと送る。テレシネ検出信号ｔｃｉは、入力映像信号Ｉａ０がテレシネ映像信号であるか否かの検出結果を示す信号であり、混合比信号ｔｃｍｉｘは、入力映像信号Ｉａ０の各フィールドに存在する全体的な高域周波数成分の程度を示す解像度の判定結果に基づき、補間信号における補間の混合比を示す信号である。混合手段８は、テレシネ検出信号ｔｃｉがテレシネ映像信号でないことを示す場合（実施の形態１では、ｔｃｉ＝０の場合）には、通常の映像信号であるとして、混合比信号ｔｃｍｉｘによる混合比がいずれの値であっても、動き適応補間処理手段５からの補間信号Ｉｍを選択し、補間信号Ｉとして出力する。すなわち、この場合は、テレシネ補間信号Ｉｔの混合比０％とすることと同様である。一方、テレシネ検出信号ｔｃｉがテレシネ映像信号であることを示す場合（実施の形態１では、ｔｃｉ＝１の場合）は、混合比信号ｔｃｍｉｘによる混合比に基づき、補間信号Ｉｍとテレシネ補間信号Ｉｔを適応的に混合し、補間信号Ｉとして出力する。
【００３６】
倍速変換手段９は、補間対象フィールドであり、実走査線信号となる１フィールド遅延手段２からの１フィールド遅延信号Ｒ（すなわち、Ｉｂ０）と、混合手段８からの補間信号Ｉ（すなわち、補間信号Ｉｍとテレシネ補間信号Ｉｔによる混合信号）が入力され、補間信号を実走査線信号の対応する走査線間にはめ込み、倍速変換して、プログレッシブ映像信号Ｐｒｏｇへ変換して出力する。そして、出力端子１０１からは、倍速変換手段９の出力であるプログレッシブ映像信号Ｐｒｏｇが出力される。
【００３７】
次に、テレシネ検出手段６の構成について詳細に説明する。
【００３８】
図１において、テレシネ検出手段６内のフレーム間相関検出手段１１は、入力端子１００からの現フィールド信号Ｉａ０と１フィールド遅延手段３からの２フィールド遅延信号Ｉｃ０が入力され、タイミング信号発生手段１からの１フィールド内の所定エリアを示すエリア信号ｔｅにより、１フレーム間の相関を検出し、１フレーム間の相関の強さを示す値として１フィールド期間単位のフレーム間動画素累積値ｍｖｆｒを出力する。また、隣接する２フィールドでの上記フレーム間動画素累積値ｍｖｆｒの差分絶対値ｄｆｍｆｒ（すなわち、１フィールド遅延したフレーム間動画素累積値ｍｖｆｒ１との差分絶対値）を算出し、出力する。図２は、フレーム間相関検出手段１１の構成の一例を示すブロック図であり、フレーム間相関検出手段１１は、差分検出手段２１と、比較手段２２と、所定エリア内累積カウンタ２３と、遅延手段２４と、差分絶対値算出手段２５とから構成されている。
【００３９】
図２において、フレーム間相関検出手段１１内の差分検出手段２１には、入力端子１００からの現フィールド信号Ｉａ０と、１フィールド遅延手段３からの２フィールド遅延信号Ｉｃ０とが入力される。差分検出手段２１は、現フィールド信号Ｉａ０と、２フィールド遅延信号Ｉｃ０との各画素間の差分を求め、その差分の絶対値をとり、フレーム間差分情報Ｄｒを検出し出力する。ここで、入力映像信号はインターレース信号であるので、入力映像信号の各フィールドにおける垂直方向の画素の位置関係は、図３に示されるようなものになっている。図３に示されるように、現フィールド信号Ｉａ０における画素ａ０と、２フィールド遅延信号Ｉｃ０における画素ｃ０とは、垂直方向の同一ライン上の位置にあり、精度良く、フレーム間の相関を差分値として捉えることができる。差分検出手段２１では、差分絶対値｜ａ０−ｃ０｜から１フレーム間差分情報Ｄｒが検出される。
【００４０】
フレーム間相関検出手段１１内の比較手段２２には、差分検出手段２１からの１フレーム間差分情報Ｄｒが入力される。比較手段２２は、差分検出手段２１からの１フレーム間差分情報Ｄｒを所定の閾値と比較し、比較結果を出力する。比較は、例えば、１フレーム間差分情報が所定の閾値より小さければその画素を静止画素と判断し、所定の閾値より大きければ動画素と判断し、結果として、２値化した値を出力する。２値化した値は、例えば、静止画素と判断された場合は値‘０’を、動画素と判断された場合は値‘１’とする。なお、この２値化した値は、上記したものに限るものではなく、比較により静止画素又は動画素として判断された各画素の結果を示す値であれば、他の値であってもよい。
【００４１】
フレーム間相関検出手段１１内の所定エリア内累積カウンタ２３には、比較手段２２により静止画素又は動画素として２値化された値と、タイミング信号発生手段１からの１フィールド内の所定エリアを示すエリア信号ｔｅとが入力される。所定エリア内累積カウンタ２３は、静止画素又は動画素として２値化された値に応じて、タイミング信号発生手段１からの１フィールド内の所定エリアを示すエリア信号ｔｅに示されたエリア内において、動画素となる値の画素の数を累積する。すなわち、比較手段２２からの動画素と判断された値‘１’となる場合をエリア信号ｔｅのエリア内にわたり累積して、エリア内における動画素累積値ｍｖｆｒを１フィールド内の動画素の数に対応する値（動画素数又は動画素累積値）としてフィールド単位ごとで出力する。この累積結果である動画素累積値ｍｖｆｒは、フレーム差分情報に基づき、１フレーム間の相関の強さを示す値であり、以下、フレーム間動画素累積値ｍｖｆｒと呼ぶ。フレーム間動画素累積値ｍｖｆｒにおいて、相関が強い場合（すなわち、静止画の場合）は、１フィールド内の動画素の数が小さくなり、相関が弱い場合（すなわち、動きが大きい、動画の場合）は、１フィールド内の動画素の数が大きくなる。
【００４２】
ここで、映像信号によっては、レターボックスと呼ばれる画面上下の帯部分に黒信号部（無画部）が存在する映画素材で送られる場合があり、エリア信号ｔｅは、例えば、１フィールド内の上下の帯部分と画像のブランキング期間を除く画素の期間を示す信号としてタイミング信号発生手段１において生成される。したがって、所定エリア内累積カウンタ２３では、上下の帯部分と画像のブランキング期間を除くエリア内における動画素の数を１フィールド内の動画素数として出力することとなり、誤判定を防止できる。
【００４３】
フレーム間相関検出手段１１内の遅延手段２４には、所定エリア内累積カウンタ２３から出力される１フィールド期間単位のフレーム間動画素累積値ｍｖｆｒが入力される。遅延手段２４は、フレーム間動画素累積値ｍｖｆｒを１フィールド遅延させ、１フィールド遅延したフレーム間動画素累積値ｍｖｆｒ１を出力する。
【００４４】
フレーム間相関検出手段１１内の差分絶対値算出手段２５には、所定エリア内累積カウンタ２３から出力されるフレーム間動画素累積値ｍｖｆｒと、遅延手段２４からの１フィールド遅延したフレーム間動画素累積値ｍｖｆｒ１とが入力される。差分絶対値算出手段２５は、フレーム間動画素累積値ｍｖｆｒと、フレーム間動画素累積値ｍｖｆｒを１フィールド遅延したフレーム間動画素累積値ｍｖｆｒ１との間の差分絶対値を算出し、動画素累積差分値ｄｆｍｖｆｒとして出力する。２−２プルダウン信号において１フレームから２フィールドを対応させる場合、同一フレームから生成されたフィールド間において、動画素累積差分値ｄｆｍｖｆｒは比較的小さな値となり、異なるフレームから生成されたフィールド間では、動画素累積差分値ｄｆｍｖｆｒは大きな値となる。
【００４５】
テレシネ検出手段６内のフィールド間相関検出手段１２は、入力端子１００からの現フィールド信号Ｉａ０と、１フィールド遅延手段２からの１フィールド遅延信号Ｉｂ０とが入力され、タイミング信号発生手段１からの１フィールド内の所定エリアを示すエリア信号ｔｅにより、１フィールド間（隣接フィールド間）の相関を検出し、１フィールド間の相関の強さを示す値として１フィールド期間単位のフィールド間動画素累積値ｍｖｆｉｌを出力する。図４は、フィールド間相関検出手段１２の構成の一例を示すブロック図であり、フィールド間相関検出手段１２は、１Ｈ遅延手段３１と、第１及び第２の差分検出手段３２ａ及び３２ｂと、選択手段３３と、垂直差分検出手段３４と、垂直エッジ判定手段３５と、比較手段３６と、所定エリア内累積カウンタ３７とから構成されている。
【００４６】
図４において、フィールド間相関検出手段１２内の１Ｈ遅延手段３１には、１フィールド遅延手段２からの１フィールド遅延信号Ｉｂ０が入力される。１Ｈ遅延手段３１は、１フィールド遅延信号Ｉｂ０を１水平走査期間（１ライン又は１Ｈという。）遅延し、１フィールド遅延信号Ｉｂ０の１Ｈ遅延信号Ｉｂ１を出力する
【００４７】
フィールド間相関検出手段１２内の第１の差分検出手段３２ａ（図４においては、単に「差分検出手段３２ａ」と表記する。）には、入力端子１００からの現フィールド信号Ｉａ０と、１フィールド遅延手段２からの１フィールド遅延信号Ｉｂ０とが入力され、第２の差分検出手段３２ｂ（図４においては、単に「差分検出手段３２ｂ」と表記する。）には、現フィールド信号Ｉａ０と、１Ｈ遅延手段３１から出力される１フィールド遅延信号Ｉｂ０の１Ｈ遅延信号Ｉｂ１とが入力される。第１の差分検出手段３２ａは、現フィールド信号Ｉａ０と、１フィールド遅延信号Ｉｂ０との画素間の差分を求め、その差分の絶対値をとり、差分情報Ｄｉ１を検出し出力する。第２の差分検出手段３２ｂは、現フィールド信号Ｉａ０と、１Ｈ遅延信号Ｉｂ１との画素間の差分を求め、その差分の絶対値をとり、差分情報Ｄｉ２を検出し出力する。
【００４８】
ここで、図３に示す入力映像信号の各フィールドにおける垂直方向の画素の位置関係から、現フィールド信号Ｉａ０における画素ａ０に対し、１フィールド遅延信号Ｉｂ０における画素はｂ０に、その１Ｈ遅延信号Ｉｂ１における画素はｂ１に示す位置関係となる。画素ｂ０とｂ１とは、垂直方向上下に位置し、インターレース映像信号であるので、画素ａ０に対しては、互いに１／２ラインずれた上又は下の位置となる。第１の差分検出手段３２ａでは、差分絶対値｜ａ０−ｂ０｜から差分情報Ｄｉ１が検出され、第２の差分検出手段３２ｂでは、差分絶対値｜ａ０−ｂ１｜から差分情報Ｄｉ２が検出される。
【００４９】
フィールド間相関検出手段１２内の選択手段３３には、第１及び第２の差分検出手段３２ａ及び３２ｂからの差分情報Ｄｉ１及びＤｉ２が入力される。選択手段３３は、第１の差分検出手段３２ａからの差分情報Ｄｉ１と、第２の差分検出手段３２ｂからの差分情報Ｄｉ２を比較し、最小値を選択し、フィールド間差分情報ＤＦＩを出力する。なお、フィールド間差分情報ＤＦＩの選択においては、上記のように最小値に限るものではなく、差分情報Ｄｉ１と差分情報Ｄｉ２の平均値から得られる値を選択してもよい。いずれの場合も、図３に示す画素ａ０と画素ｂ０との間、及び画素ａ０と画素ｂ１との間の１／２ラインのずれに起因するフィールド間差分の誤検出を防止する。
【００５０】
フィールド間相関検出手段１２内の垂直差分検出手段３４には、１フィールド遅延手段２からの１フィールド遅延信号Ｉｂ０と、１Ｈ遅延手段３１から出力される１フィールド遅延信号Ｉｂ０の１Ｈ遅延信号Ｉｂ１とが入力される。垂直差分検出手段３４は、１フィールド遅延信号Ｉｂ０と、１Ｈ遅延信号Ｉｂ１との垂直方向に上下に位置する画素間の差分を求め、その差分の絶対値をとり、垂直差分情報として検出し、出力する。
【００５１】
フィールド間相関検出手段１２内の垂直エッジ判定手段３５には、垂直差分検出手段３４からの垂直差分情報が入力される。垂直エッジ判定手段３５は、垂直差分検出手段３４からの垂直差分情報を所定の閾値と比較し、比較結果を垂直エッジフラグｖｅｄとして出力する。比較は、例えば、垂直差分情報が所定の閾値より小さければ、垂直エッジ部なし（すなわち、平坦部）と判断し、所定の閾値より大きければ垂直エッジ部と判断し、２値化した値を垂直エッジフラグｖｅｄとして出力する。垂直エッジフラグｖｅｄの値は、例えば、平坦部と判断された場合は値‘０’（すなわち、ｖｅｄ＝０）とし、垂直エッジ部と判断された場合は値‘１’（すなわち、ｖｅｄ＝１）とする。なお、この垂直エッジフラグｖｅｄの値は、上記したものに限るものではなく、比較により垂直エッジ部か否かが判断された各画素の結果を示す値であれば、他の値であってもよい。
【００５２】
フィールド間相関検出手段１２内の比較手段３６には、選択手段３３からのフィールド間差分情報ＤＦＩと、垂直エッジ判定手段３５から出力される垂直エッジフラグｖｅｄとが入力される。比較手段３６は、選択手段３３からのフィールド間差分情報ＤＦＩと垂直エッジ判定手段３５からの垂直エッジフラグｖｅｄに基づき、垂直エッジ部ではない平坦部の画素に対し、静止画素又は動画素かを判断し、結果として２値化した値を出力する。すなわち、垂直エッジ判定手段３５からの垂直エッジフラグｖｅｄが平坦部を示すｖｅｄ＝０の場合の画素に対し、選択手段３３からのフィールド間差分情報ＤＦＩを所定の閾値と比較し、比較結果である２値化した値を出力する。比較は、例えば、フィールド間差分情報ＤＦＩが所定の閾値より小さければその画素を静止画素と判断し、所定の閾値より大きければ動画素と判断して、２値化した値を出力する。２値化した値は、例えば、静止画素と判断された場合は値‘０’とし、動画素と判断された場合は値‘１’とする。一方、垂直エッジ判定手段３５からの垂直エッジフラグｖｅｄが垂直エッジ部を示すｖｅｄ＝１の場合については、比較結果によらず、実施の形態１では、例えば、静止画素として、値‘０’を出力する。なお、２値化した値は、上記したものに限るものではなく、比較により静止画素又は動画素として判断された各画素の結果を示す値であれば、他の値であってもよく、また、垂直エッジフラグｖｅｄが垂直エッジ部を示す場合の出力値は、上記２値化した値とは別の値（例えば、値‘２’など）とすることもできる。比較手段３６における比較結果として、垂直エッジでない平坦部の画素に対し、静止画素又は動画素を判断した値を出力できればよい。
【００５３】
フィールド間相関検出手段１２内の所定エリア内累積カウンタ３７には、比較手段３６により平坦部の画素に対し２値化された値と、タイミング信号発生手段１からの１フィールド内の所定エリアを示すエリア信号ｔｅとが入力される。所定エリア内累積カウンタ３７は、比較手段３６からの値に応じて、タイミング信号発生手段１からの１フィールド内の所定エリアを示すエリア信号ｔｅに示されたエリア内において、動画素となる値の画素の数を累積する。すなわち、比較手段３６からの動画素と判断された値‘１’となる場合を、エリア信号ｔｅのエリア内にわたり累積して、エリア内における動画素累積値ｍｖｆｉｌを１フィールド内の動画素数としてフィールド単位ごとで出力する。この累積結果である動画素累積値ｍｖｆｉｌは、フィールド差分情報に基づき、１フィールド間の相関の強さを示す値であり、以下、フィールド間動画素累積値ｍｖｆｉｌと呼ぶ。フィールド間相関検出手段１２内の比較手段３６において、垂直方向のエッジ部を除く動画素が値‘１’として入力されており、フィールド間動画素累積値ｍｖｆｉｌは、垂直方向のエッジ部を除く動画素の累計値であり、これにより、フィールド間の相関を検出する際の垂直エッジ部での誤検出を防止できる。相関が強い場合（すなわち、静止画の場合）は、１フィールド内の動画素の数が小さくなり、相関が弱い場合（すなわち、動きが大きい、動画の場合）は、１フィールド内の動画素の数が大きくなる。
【００５４】
なお、上記説明においては、フィールド間相関検出手段１２が、比較手段３６により垂直エッジ部ではない平坦部の画素を比較して２値化し、所定エリア内累積カウンタ３７において動画素数を累積する場合を説明したが、フィールド間相関検出手段１２を図５に示すように構成することもできる。図５においては、比較手段３６ｂは、フィールド間差分情報ＤＦＩに対し静止画素又は動画素かを判断し、所定エリア内累積カウンタ３７ｂは、垂直エッジ判定手段３５から出力される垂直エッジフラグｖｅｄを入力することで、垂直エッジ部ではない平坦部（すなわち、ｖｅｄ＝０）の動画素数を累積することもできる。上記図４と同様に、エリア信号ｔｅ内において、垂直方向のエッジ部を除く動画素累積値ｍｖｆｉｌを１フィールド内の動画素数としてフィールド単位ごとで出力する。また、エリア信号ｔｅは、１フィールド内の上下の帯部分と画像のブランキング期間を除く画素の期間を示す信号としてタイミング信号発生手段１において発生されるので、所定エリア内累積カウンタ３７及び３７ｂでは、上下の帯部分と画像のブランキング期間を除くエリア内における動画素の数を１フィールド内の動画素数として出力することなり、誤判定を防止できる。
【００５５】
テレシネ検出手段６内のフィールド解像度判定手段１３は、入力端子１００からの現フィールド信号Ｉａ０が入力され、タイミング信号発生手段１からの１フィールド内の所定エリアを示すエリア信号ｔｅにより、フィールド内に存在する全体的な高域周波数成分の程度を判定し、高域周波数成分の程度を示す値（解像度を示す値とも呼ぶ）ｆｉｌｈｖを出力する。図６は、フィールド解像度判定手段１３の構成の一例を示すブロック図であり、フィールド解像度判定手段１３は、１Ｈ遅延手段４１と、水平高域成分抽出手段４２と、垂直高域成分抽出手段４３と、最大値選択手段４４と、比較手段４５と、所定エリア内累積カウンタ４６とから構成されている。
【００５６】
ここで、フィールド間の相関の検出では、高解像度の映像信号の場合は、１／２ラインのずれに起因するフィールド間差分の誤検出があるが、低解像度の映像信号、すなわち、解像度が低く、ぼけた画像のフィールドにおいても、動きをフィールド間差分として捉える際、動きがあるにもかかわらず相関が強い（静止画）と誤判定する場合がある。そこで、フィールド解像度判定手段１３では、フィールド内に存在する高域周波数成分の程度、すなわち、フィールド内における全体的な解像度を判定する。
【００５７】
図６において、フィールド解像度判定手段１３内の１Ｈ遅延手段４１には、入力端子１００からの現フィールド信号Ｉａ０が入力される。１Ｈ遅延手段４１は、現フィールド信号Ｉａ０を１水平走査期間遅延し、現フィールド信号Ｉａ０の１Ｈ遅延信号Ｉａ１を出力する。図３に示す入力映像信号の各フィールドにおける垂直方向の画素の位置関係から、現フィールド信号Ｉａ０における画素ａ０に対し、１Ｈ遅延信号Ｉａ１における画素はａ１に示す位置関係となる。図３に示されるように、画素ａ０とａ１とは、現フィールドの垂直方向上下ライン上に位置する。
【００５８】
フィールド解像度判定手段１３内の水平高域成分抽出手段４２には、入力端子１００からの現フィールド信号Ｉａ０が入力される。水平高域成分抽出手段４２は、現フィールド信号Ｉａ０の水平方向の画素における水平方向の高域周波数成分を抽出し、その絶対値化した値（以下、水平高域成分と呼ぶ。）を抽出し、出力する。例えば、注目画素位置ａ０を中心とし、その水平方向の隣接画素との間の高域周波数成分（例えば、バンドパスフィルタ出力を絶対値化した値）、又は、その隣々接画素との間の高域成分（バンドパスフィルタ出力を絶対値化した値）を抽出する。
【００５９】
フィールド解像度判定手段１３内の垂直高域成分抽出手段４３には、入力端子１００からの現フィールド信号Ｉａ０と、１Ｈ遅延手段４１から出力される１Ｈ遅延信号Ｉａ１とが入力される。垂直高域成分抽出手段４３は、現フィールド信号Ｉａ０と、１Ｈ遅延信号Ｉａ１との画素間の差分絶対値から、画素ａ０における垂直方向の高域周波数成分（以下、垂直高域成分と呼ぶ。）を抽出し、出力する。なお、注目画素位置ａ０を中心とし、その上下に位置する画素との間の高域周波数成分（バンドパスフィルタ出力を絶対値化した値）を抽出してもよく、注目画素位置ａ０における垂直高域成分が抽出できればよい。
【００６０】
フィールド解像度判定手段１３内の最大値選択手段４４には、水平高域成分抽出手段４２からの水平高域成分と、垂直高域成分抽出手段４３からの垂直高域成分とが入力される。最大値選択手段４４は、水平高域成分抽出手段４２からの水平高域成分と、垂直高域成分抽出手段４３からの垂直高域成分を比較し、その最大値を選択することで、各画素における水平及び垂直方向の高域周波数成分ｈｃ（水平垂直高域成分と呼ぶ。）を出力する。すなわち、現フィールド信号Ｉａ０における各画素での高域周波数成分の程度を示し、解像度を示す値として、水平高域成分と垂直高域成分のうちの最大となる値が、水平垂直高域成分ｈｃとして抽出される。
【００６１】
フィールド解像度判定手段１３内の比較手段４５には、最大値選択手段４４からの水平垂直高域成分ｈｃが入力される。比較手段４５は、最大値選択手段４４からの水平垂直高域成分ｈｃを所定の閾値と比較し、各画素に対し、水平又は垂直方向に高域周波数成分を持つ画素（以下、高域画素と呼ぶ。）であるか否かを判断し、結果として２値化した値を出力する。比較は、例えば、水平垂直高域成分ｈｃが所定の閾値より大きければ高域画素と判断し、それ以外の所定の閾値より小さい場合には、その画素を低域周波数成分による画素、すなわち、高域画素でないと判断し、２値化した値を出力する。２値化した値は、例えば、高域画素と判断された場合は値‘１’とし、高域画素でないと判断された場合は値‘０’とする。なお、２値化した値は、上記したものに限るものではなく、比較により高域画素と判断された画素を示す値であれば、他の値であってもよい。
【００６２】
フィールド解像度判定手段１３内の所定エリア内累積カウンタ４６には、比較手段４５からの高域画素か否かを示す２値化された値と、タイミング信号発生手段１からの１フィールド内の所定エリアを示すエリア信号ｔｅとが入力される。所定エリア内累積カウンタ４６は、比較手段４５からの高域画素を示す２値化の値に応じて、タイミング信号発生手段１からの１フィールド内の所定エリアを示すエリア信号ｔｅに示されたエリア内において、高域画素となる値の画素の数を累積する。すなわち、比較手段４５からの高域画素と判断された値‘１’となる場合を、エリア信号ｔｅのエリア内にわたり累積して、エリア内における高域画素累積値ｆｉｌｈｖを１フィールド内の高域画素の数に対応する値（高域画素数又は高域画素累積値）としてフィールド単位ごとで出力する。この累積結果である高域画素累積値ｆｉｌｈｖは、フィールド内に存在する高域周波数成分の程度を示し、すなわち、フィールド内おける全体的な解像度を示す値であり、解像度が高く、フィールドに存在する高域周波数成分の程度が大きなフィールドである場合（すなわち、高解像度画像の場合）は、１フィールド内の高域画素数が大きくなり、解像度が低いフィールドの場合（すなわち、高域周波数成分の程度が小さく、エッジが少ない、低解像度画像の場合）は、１フィールド内の高域画素数が小さくなる。よって、高域画素累積値ｆｉｌｈｖから、フィールド内に存在する高域周波数成分の程度として、全体的な解像度を判定できる。
【００６３】
なお、上述したように、エリア信号ｔｅは、１フィールド内の上下の帯部分と画像のブランキング期間を除く画素の期間を示す信号としてタイミング信号発生手段１において発生されるので、所定エリア内累積カウンタ４６では、上下の帯部分と画像のブランキング期間を除くエリア内における高域画素の数を１フィールド内の高域画素数として出力することなり、フィールド内に存在する高域周波数成分の程度判定の誤判定を防止できる。
【００６４】
次に、図１におけるテレシネ検出手段６内のプルダウンシーケンス検出手段１４には、フレーム間相関検出手段１１からのフレーム間動画素累積値ｍｖｆｒと動画素累積差分値ｄｆｍｖｆｒと、フィールド間相関検出手段１２からのフィールド間動画素累積値ｍｖｆｉｌと、フィールド解像度判定手段１３からの高域画素累積値ｆｉｌｈｖとが入力される。プルダウンシーケンス検出手段１４は、入力されたフレーム間動画素累積値ｍｖｆｒと、動画素累積差分値ｄｆｍｖｆｒと、フィールド間動画素累積値ｍｖｆｉｌとから、入力映像信号がテレシネ映像信号か否かと、プルダウンのシーケンスを検出し、テレシネ検出信号ｔｃｉとシーケンスの補間位相フラグｔｃｆを出力する。また、プルダウンシーケンス検出手段１４は、フィールド解像度判定手段１３からの高域画素累積値ｆｉｌｈｖにより、補間信号生成手段１１０における混合手段８で用いる補間信号の混合比を示す混合比信号ｔｃｍｉｘを生成し、出力する。
【００６５】
プルダウンシーケンス検出手段１４における動作はフィールド単位で行われ、プルダウンシーケンスの検出を行う２−３シーケンス検出手段１５、２−２シーケンス検出手段１６、及びプルダウン判定手段１７における各ブロックは、フィールド毎で処理するものであり、垂直同期信号に基づくフィールドパルスのタイミングで動作する。
【００６６】
プルダウンシーケンス検出手段１４内の２−３シーケンス検出手段１５には、フレーム間相関検出手段１１からのフレーム間動画素累積値ｍｖｆｒと、フィールド間相関検出手段１２からのフィールド間動画素累積値ｍｖｆｉｌが入力される。２−３シーケンス検出手段１５は、フレーム間動画素累積値ｍｖｆｒとフィールド間動画素累積値ｍｖｆｉｌから、２−３プルダウン信号の５フィールドの繰り返し条件により、２−３プルダウンシーケンスであるか否かを検出するとともに、２−３プルダウンのシーケンスの出現頻度を検出して確からしさを判定することで、２−３プルダウン信号の検出結果を予測制御する。そして、２−３プルダウン検出信号ｔｃｉ２３（例えば、２−３プルダウン信号と検出する場合はｔｃｉ２３＝１、検出されない場合はｔｃｉ２３＝０とする）と、２−３プルダウンの位相を示す２−３位相フラグｔｃｆ２３（例えば、前フィールドが同一フィールドとする場合ｔｃｆ２３＝１、後フィールドの場合はｔｃｆ２３＝０とする）を出力する。
【００６７】
図７は、実施の形態１におけるプルダウンシーケンス検出手段１４内の２−３シーケンス検出手段１５の構成の一例を示すブロック図である。図７において、実施の形態１の２−３シーケンス検出手段１５は、２−３フィールドシーケンス検出手段５１と、出現頻度検出手段５２と、２−３予測制御手段５３とを有している。
【００６８】
２−３シーケンス検出手段１５内の２−３フィールドシーケンス検出手段５１には、フレーム間相関検出手段１１からのフレーム間動画素累積値ｍｖｆｒと、フィールド間相関検出手段１２からのフィールド間動画素累積値ｍｖｆｉｌが入力される。２−３フィールドシーケンス検出手段５１は、入力されたフレーム間動画素累積値ｍｖｆｒとフィールド間動画素累積値ｍｖｆｉｌのそれぞれに対し、フィールドが静止画フィールドであるか否かを判定して、この判定結果から、入力映像信号が５フィールドのシーケンスの繰り返し条件を満たす映像信号であるか否か、及び２−３プルダウンのシーケンス位相を検出する。
【００６９】
図８は、２−３シーケンス検出手段１５内の２−３フィールドシーケンス検出手段５１の構成の一例を示すブロック図である。図８に示されるように、２−３フィールドシーケンス検出手段５１は、第１、第２、及び第３の静止画検出手段１２１ａ、１２１ｂ、及び１２１ｃ（図８においては、第１、第２、及び第３の静止画検出手段のそれぞれを静止画検出手段１、静止画検出手段２、及び静止画検出手段３と記載している。）と、フィールド静止画検出手段１２２と、第１及び第２の動画フィールドカウンタ１２３及び１２４（図８においては、第１及び第２の動画フィールドカウンタのそれぞれを動画フィールドカウンタ１及び動画フィールドカウンタ２と記載している。）と、２−３プルダウンのシーケンスの繰り返し条件を検出するシーケンス条件検出手段１２５と、シーケンスの繰り返しをカウントして、２−３プルダウン信号におけるシーケンス（以下、２−３シーケンスと呼ぶ。）であるか否かを判定するシーケンス判定手段１２６と、２−３シーケンスの位相を検出するシーケンス位相検出手段１２７と、シーケンスの条件を満たしていないことを検出する解除検出手段１２８とを有している。
【００７０】
図８に示されるように、２−３フィールドシーケンス検出手段５１内のシーケンス判定手段１２６は、テレシネ起動カウンタ１３１と、シーケンス検出信号生成手段１３２とから構成されている。また、シーケンス位相検出手段１２７は、シーケンス位相カウンタ１３３と、補間位相フラグ生成手段１３４とから構成されている。さらに、解除検出手段１２８は、フレーム動画連続検出手段１３５と、フィールド動画連続検出手段１３６と、静止画連続検出手段１３７と、比較手段１３８と、シーケンス内静止画カウンタ１４０と比較手段１４１からなるシーケンスずれ検出手段１３９と、位相判定手段１４２と、シーンチェンジ検出手段１４３と、解除信号生成手段１４４とから構成されている。
【００７１】
ここで、テレシネ映像信号である２−３プルダウン信号は、２フレームのそれぞれを２フィールドと３フィールドに対応させ変換することで、５フィールドに１回、２フィールド前と同一のフィールドを繰り返すフィールドシーケンスとなっている。よって、フレーム差分情報に基づくフレーム間動画素累積値ｍｖｆｒは、５フィールドに一度の周期でゼロ又は所定値以下となるフィールド（静止画）が存在することになる。
【００７２】
図９は、２−３プルダウン信号を入力映像信号とした場合のフレーム間相関検出手段１１から出力されるフレーム間動画素累積値ｍｖｆｒ（縦軸）とフィールド番号（時間、すなわち、横軸）との関係を示す図である。図９には、画像シミュレーションにおいて、２−３プルダウン信号からのフィールド画像をフレーム間相関検出手段１１により処理した場合が示されている。図９において、フィールド番号５，１０，・・・，３０として示されるように、フレーム間動画素累積値ｍｖｆｒは、５フィールドに一度の周期でゼロ又は所定値以下となる静止画フィールドが繰り返され、その静止画フィールドの前４フィールドは、動画素数が大きなフィールド（動画と呼ぶ）が連続する。すなわち、動画４フィールドの後、静止画１フィールドとなる５フィールドを繰り返すシーケンスとなっている。
【００７３】
さらに、フィールド差分情報に基づくフィールド間動画素累積値ｍｖｆｉｌは、フレーム間動画素累積値ｍｖｆｒが５フィールドに一度静止画となるフィールド（すなわち、図９におけるフィールド番号５，１０，・・・，３０）とその前のフィールドで連続して、ゼロ又は所定値以下となるフィールド（静止画）が存在し、５フィールドのシーケンス内において、所定値より大きなフィールド間動画素累積値ｍｖｆｉｌとなるフィールド（動画）が、２フィールド以上連続して存在することはない。
【００７４】
図１０は、フィールド間相関検出手段１２から出力されるフィールド間動画素累積値ｍｖｆｉｌ（縦軸）とフィールド番号（時間、すなわち、横軸）との関係を示す図である。図１０には、画像シミュレーションにおいて、図９に示した場合と同じ２−３プルダウン信号からのフィールド画像を、フィールド間相関検出手段１２により処理した場合が示されている。図１０において、フィールド番号４及び５、９及び１０、・・・、２９及び３０として示されるように、フィールド間動画素累積値ｍｖｆｉｌは、５フィールドに一度の周期で、２フィールド連続して、ゼロ又は所定値以下となる静止画フィールドとなり、５フィールドのシーケンス中では動画の次は静止画となるよう繰り返される。
【００７５】
よって、２−３シーケンスであることの条件の検出は、フレーム間動画素累積値ｍｖｆｒによれば、動画フィールドが４フィールド連続した後、静止画フィールドが１フィールドとなる５フィールド繰り返しシーケンスの検出により行うことができる。さらには、より確実に２−３プルダウンシーケンスの条件を検出するため、フレーム間動画素累積値ｍｖｆｒによる条件に加え、５フィールドに一度のフレーム間動画素累積値ｍｖｆｒが静止画となるフィールドとその前フィールドにおいて、２フィールド連続してフィールド間動画素累積値ｍｖｆｉｌが静止画フィールドとなる５フィールド繰り返しの検出とすることができる。
【００７６】
２−３フィールドシーケンス検出手段５１では、フレーム間動画素累積値ｍｖｆｒとフィールド間動画素累積値ｍｖｆｉｌそれぞれに対し、フィールドが静止画フィールドであるか否かを検出し、５フィールドに一度の静止画及びフィールド差分情報による静止画の連続を検出することで、入力映像信号が２−３シーケンスであることの条件を満たすか否かを検出し、その結果（すなわち、２−３シーケンス検出結果）を示す検出信号ｔｃｉ０と、テレシネ補間時の位相を示す２−３位相フラグｔｃｆ２３を出力する。
【００７７】
また、出現頻度検出手段５２は、２−３フィールドシーケンス検出手段５１と同一の２−３シーケンス検出条件を用いて、２−３シーケンスの出現頻度を検出する。２−３フィールドシーケンス検出手段５１は、２−３フィールドシーケンス検出手段５１により検出している２−３シーケンス条件検出結果ｄｅｔｆｌ、フレーム静止画検出結果ｓｔｌ１、及び２−３シーケンスの位相カウント値ｓｅｑを、出現頻度検出手段５２へと出力する。
【００７８】
図８において、フレーム間相関検出手段１１から２−３フィールドシーケンス検出手段５１へ入力された１フィールド単位のフレーム間動画素累積値ｍｖｆｒは、第１、第２、及び第３の静止画検出手段１２１ａ、１２１ｂ、及び１２１ｃと、解除検出手段１２８内のシーンチェンジ検出手段１４３へ送られる。
【００７９】
第１、第２、及び第３の静止画検出手段１２１ａ、１２１ｂ、及び１２１ｃは、それぞれにおいてフレーム間相関検出手段１１からのフレーム間動画素累積値ｍｖｆｒを所定の閾値と比較し、そのフィールドが静止画フィールドであるか否かを検出する。第１、第２、及び第３の静止画検出手段１２１ａ、１２１ｂ、及び１２１ｃは、入力されたフレーム間動画素累積値ｍｖｆｒが所定の閾値より小さい場合（すなわち、１フィールド内のフレーム差分情報に基づく動画素の数が、所定の個数より小さい場合）、そのフィールドを静止画として、静止画フィールドを検出する。なお、第１、第２、及び第３の静止画検出手段１２１ａ、１２１ｂ、及び１２１ｃは、フレーム間動画素累積値ｍｖｆｒが所定の閾値より大きい場合（すなわち、１フィールド内に所定の閾値より多くの動画素が含まれる場合）には、そのフィールドを動画フィールドとして、それ以外の場合は静止画と検出することもできる。以下、実施の形態１において、フレーム間動画素累積値ｍｖｆｒから検出される静止画フィールドをフレーム静止画と呼び、動画フィールドについては、フレーム動画と呼ぶものとして、説明する。
【００８０】
第１の静止画検出手段１２１ａは、フレーム間動画素累積値ｍｖｆｒを所定の閾値ＳＴＬ＿ＴＨ１と比較し、入力されたフレーム間動画素累積値ｍｖｆｒが所定値ＳＴＬ＿ＴＨ１より小さい場合、そのフィールドを静止画として、検出結果ｓｔｌ１の値を‘１’（ｓｔｌ１＝１であり、フレーム静止画を示す。）とし、それ以外の場合は、検出結果ｓｔｌ１の値を‘０’（ｓｔｌ１＝０であり、フレーム動画を示す。）とする。ここで、静止画検出のための所定の閾値ＳＴＬ＿ＴＨ１は、２−３シーケンスにおいて、５フィールドに一度ある同一フィールドによる静止画フィールドを検出することができるような値に設定される。
【００８１】
同様に、第２の静止画検出手段１２１ｂは、フレーム間動画素累積値ｍｖｆｒを所定の閾値ＳＴＬ＿ＴＨ２と比較し、入力されたフレーム間動画素累積値ｍｖｆｒが所定の閾値ＳＴＬ＿ＴＨ２より小さい場合、そのフィールドを静止画として、検出結果ｓｔｌ２の値を‘１’（ｓｔｌ２＝１であり、フレーム静止画を示す。）とし、それ以外の場合は、検出結果ｓｔｌ２の値を‘０’（ｓｔｌ２＝０、フレーム動画を示す。）とする。この静止画検出のための所定の閾値ＳＴＬ＿ＴＨ２は、連続する静止画を検出する値とし、字幕などの静止画素の挿入時を考慮した値、又は、完全に静止画となる場合のみを検出できるような値とすることができる。なお、閾値ＳＴＬ＿ＴＨ２は、上記第１の静止画検出手段１２１ａにおける所定の閾値と同一の値とすることも可能である。
【００８２】
また、第３の静止画検出手段１２１ｃは、フレーム間動画素累積値ｍｖｆｒを所定の閾値ＳＴＬ＿ＴＨ３と比較し、入力されたフレーム間動画素累積値ｍｖｆｒが所定の閾値ＳＴＬ＿ＴＨ３より小さい場合、そのフィールドを静止画として、検出結果ｓｔｌ３の値を‘１’（ｓｔｌ３＝１であり、フレーム静止画を示す。）とし、それ以外の場合は、検出結果ｓｔｌ３の値を‘０’（ｓｔｌ３＝０、フレーム動画を示す。）とする。この静止画検出のための所定の閾値ＳＴＬ＿ＴＨ３は、２−３シーケンスの５フィールドに１度のフレーム静止画とは異なるフィールドにおける静止画フィールドを検出することができるような値に設定される。この所定の閾値ＳＴＬ＿ＴＨ３は、上記第１の静止画検出手段１２１ａにおける所定の閾値と同一の値とすることも可能である。
【００８３】
そして、第１の静止画検出手段１２１ａからの検出結果ｓｔｌ１は、５フィールドの２−３シーケンスを検出するため、第１の動画フィールドカウンタ１２３、シーケンス条件検出手段１２５、シーケンス位相検出手段１２７、及び解除検出手段１２８内のフレーム動画連続検出手段１３５と位相判定手段１４２へと送られるとともに、出現頻度検出手段５２へと出力される。また、第２の静止画検出手段１２１ｂからの検出結果ｓｔｌ２は、解除検出手段１２８内の静止画連続検出手段１３７へ、第３の静止画検出手段１２１ｃからの検出結果ｓｔｌ３は、解除検出手段１２８内のシーケンスずれ検出手段１３９へと出力される。
【００８４】
フィールド間相関検出手段１２から２−３フィールドシーケンス検出手段５１へ入力された１フィールド単位のフィールド間動画素累積値ｍｖｆｉｌは、フィールド静止画検出手段１２２へ入力される。フィールド静止画検出手段１２２は、フィールド間相関検出手段１２からのフィールド間動画素累積値ｍｖｆｉｌを所定の閾値と比較し、そのフィールドが静止画フィールドであるか否かを検出する。入力されたフィールド間動画素累積値ｍｖｆｉｌが所定の閾値より小さい場合（すなわち、１フィールド内のフィールド差分情報に基づく動画素の数が、所定の個数より小さい場合）、そのフィールドを静止画として、静止画フィールドを検出する。なお、フィールド間動画素累積値ｍｖｆｉｌが所定の閾値より大きい場合（すなわち、１フィールド内に所定の閾値より多くの動画素が含まれる場合）には、そのフィールドを動画フィールドとして、それ以外の場合は静止画と検出することもできる。以下、実施の形態１において、フィールド間動画素累積値ｍｖｆｉｌから検出される静止画フィールドをフィールド静止画と呼び、動画フィールドについては、フィールド動画と呼ぶものとして、説明する。
【００８５】
フィールド静止画検出手段１２２は、フィールド間動画素累積値ｍｖｆｉｌを所定の閾値ＦＩＬ＿ＴＨ１と比較し、入力されたフィールド間動画素累積値ｍｖｆｉｌが所定値ＦＩＬ＿ＴＨ１より小さい場合、そのフィールドを静止画として、検出結果ｆｉｌｓｔｌの値を‘１’（ｆｉｌｓｔｌ＝１であり、フィールド静止画を示す。）とし、それ以外の場合は、検出結果ｆｉｌｓｔｌの値を‘０’（ｆｉｌｓｔｌ＝０であり、フィールド動画を示す。）とする。フィールド静止画検出手段１２２からの検出結果ｆｉｌｓｔｌは、第２の動画フィールドカウンタ１２４、シーケンス条件検出手段１２５、及び解除検出手段１２８内のフィールド動画連続検出手段１３６へと出力される。
【００８６】
第１の動画フィールドカウンタ１２３には、第１の静止画検出手段１２１ａからのフレーム静止画検出結果ｓｔｌ１が入力される。第１の動画フィールドカウンタ１２３は、入力された検出結果ｓｔｌ１に基づき、フレーム動画の連続をカウントし、前フィールドまでのフレーム動画となるフィールドの連続数ｆｒｃｎｔを出力する。すなわち、第１の動画フィールドカウンタ１２３は、入力された検出結果ｓｔｌ１がフレーム静止画を示す‘１’である場合（ｓｔｌ１＝１の場合）、カウンタをリセットし、動画を示す‘０’である場合（ｓｔｌ１＝０の場合）はカウントして、次フィールドにタイミングを合わせ、カウントしたフレーム動画の連続数ｆｒｃｎｔを出力する。
【００８７】
第２の動画フィールドカウンタ１２４には、フィールド静止画検出手段１２２からのフィールド静止画検出結果ｆｉｌｓｔｌが入力される。第２の動画フィールドカウンタ１２４は、入力された検出結果ｆｉｌｓｔｌに基づき、フィールド動画の連続をカウントし、前フィールドまでのフィールド動画となるフィールドの連続数ｆｉｌｃｎｔを出力する。すなわち、第２の動画フィールドカウンタ１２４は、入力された検出結果ｆｉｌｓｔｌがフィールド静止画を示す‘１’である場合（ｆｉｌｓｔｌ＝１の場合）、カウンタをリセットし、動画を示す‘０’である場合（ｆｉｌｓｔｌ＝０の場合）はカウントして、次フィールドにタイミングを合わせ、カウントしたフィールド動画の連続数ｆｉｌｃｎｔを出力する。
【００８８】
シーケンス条件検出手段１２５には、第１の静止画検出手段１２１ａからのフレーム静止画検出結果ｓｔｌ１と、第１の動画フィールドカウンタ１２３からの前フィールドまでのフレーム動画連続数ｆｒｃｎｔと、フィールド静止画検出手段１２２からのフィールド静止画検出結果ｆｉｌｓｔｌと、第２の動画フィールドカウンタ１２４からの前フィールドまでのフィールド動画連続数ｆｉｌｃｎｔとが入力される。シーケンス条件検出手段１２５は、フレーム動画が４フィールド連続した後のフレーム静止画であり、かつ、２フィールド連続してフィールド静止画が検出されるフィールドを検出した場合、２−３プルダウン信号における５フィールドに一度の完全静止画フィールドであるとして、２−３シーケンスの条件を検出し、シーケンス条件の検出を示す２−３シーケンス条件検出結果ｄｅｔｆｌを出力する。すなわち、シーケンス条件検出手段１２５は、フレーム静止画検出結果ｓｔｌ１と、フレーム動画連続数ｆｒｃｎｔと、フィールド静止画検出結果ｆｉｌｓｔｌ、及びフィールド動画連続数ｆｉｌｃｎｔとに基づき、フレーム静止画検出結果ｓｔｌ１が‘１’（フレーム静止画）、かつ、フレーム動画連続数ｆｒｃｎｔが‘４’（すなわち、前フィールドまでにフレーム動画が４フィールド連続する。）であり、フィールド静止画検出結果ｆｉｌｓｔｌが‘１’（フィールド静止画）、かつ、フィールド動画連続数ｆｉｌｃｎｔが‘０’（すなわち、前フィールドもフィールド静止画。）となる４条件を満たすフィールドを検出する。そして、シーケンス条件検出手段１２５は、シーケンス条件を満たすフィールドが検出される場合は、２−３シーケンス条件検出結果ｄｅｔｆｌの値を‘１’（ｄｅｔｆｌ＝１）とし、それ以外の場合は、検出結果ｄｅｔｆｌの値を‘０’（ｄｅｔｆｌ＝０）とする。
【００８９】
なお、実施の形態１におけるシーケンス条件検出手段１２５では、フレーム静止画検出結果ｓｔｌ１、フレーム動画連続数ｆｒｃｎｔ、フィールド静止画検出結果ｆｉｌｓｔｌ、及びフィールド動画連続数ｆｉｌｃｎｔから、シーケンス条件を満たすフィールドの検出を行っているが、フレーム静止画検出結果ｓｔｌ１が‘１’（フレーム静止画）、かつ、前フィールドまでのフレーム動画連続数ｆｒｃｎｔが‘４’となる２条件のみを満たすフィールドを検出することにより、２−３シーケンスの条件を検出することもできる。
【００９０】
シーケンス位相検出手段１２７は、第１の静止画検出手段１２１ａからのフレーム静止画検出結果ｓｔｌ１と、第１の動画フィールドカウンタ１２３からの前フィールドまでのフレーム動画連続数ｆｒｃｎｔが入力され、５フィールド単位で繰り返す２−３シーケンスの位相を検出し、５フィールドのシーケンス位相を示すカウント値ｓｅｑと２−３位相フラグｔｃｆ２３とを出力する。
【００９１】
シーケンス位相検出手段１２７内のシーケンス位相カウンタ１３３には、第１の静止画検出手段１２１ａからのフレーム静止画検出結果ｓｔｌ１と、第１の動画フィールドカウンタ１２３からの前フィールドまでのフレーム動画連続数ｆｒｃｎｔとが入力される。シーケンス位相カウンタ１３３は、フィールド毎で５フィールド周期となる‘０’から‘４’までを繰り返しカウントし、フレーム静止画検出結果ｓｔｌ１とフレーム動画連続数ｆｒｃｎｔに基づき、繰り返しの周期カウンタのリセットを行う。すなわち、シーケンス位相カウンタ１３３は、フレーム静止画検出結果ｓｔｌ１が‘１’（フレーム静止画）、かつ、前フィールドまでのフレーム動画連続数ｆｒｃｎｔが‘４’であるときに、２−３プルダウン信号における５フィールドに一度の完全静止画フィールドであるとして、カウント値をゼロへリセットする。その後、シーケンス位相カウンタ１３３は、フレーム静止画検出結果ｓｔｌ１が‘１’であり、かつ、フレーム動画連続数ｆｒｃｎｔが‘４’となるまで（すなわち、カウント値ｓｅｑが‘１’から‘４’まで）、フィールド毎にカウントする。
【００９２】
シーケンス位相カウンタ１３３のカウント値ｓｅｑは、５フィールド単位で繰り返しており、２−３プルダウン信号においては５フィールドごとに一度の完全静止画フィールドに同期してリセットされるので、５フィールドの繰り返しシーケンス、すなわち、２−３シーケンスの位相を示すことになる。そして、２−３シーケンスの位相であるカウント値ｓｅｑは、補間位相フラグ生成手段１３４へ送られる。また、カウント値ｓｅｑは、解除検出手段１２８におけるシーケンスずれ検出手段１３９、位相判定手段１４２、及び出現頻度検出手段５２へも出力される。
【００９３】
シーケンス位相検出手段１２７内の補間位相フラグ生成手段１３４は、シーケンス位相カウンタ１３３からのカウント値ｓｅｑが入力され、テレシネ補間における同一フレームから変換されたフィールドの方向を示す２−３位相フラグｔｃｆ２３を生成する。シーケンス位相カウンタ１３３からのカウント値ｓｅｑは、５フィールド単位で繰り返す信号となっており、２−３プルダウンの位相に同期している。よって、カウント値ｓｅｑにより、補間時のフィールド方向を示すように、例えば、時間的に前のフィールドからテレシネ補間をするフィールド位相においては、２−３位相フラグｔｃｆ２３を‘１’とし、時間的に後ろのフィールドからテレシネ補間をするフィールドにおいては、２−３位相フラグｔｃｆ２３を‘０’とする。なお、２―３位相フラグｔｃｆ２３の値は上記したものに限らず、前のフィールドからのテレシネ補間の場合と後ろのフィールドからのテレシネ補間の場合を区別できる値であれば、他の値であってもよい。補間位相フラグ生成手段１３４による２−３位相フラグｔｃｆ２３は、プルダウン判定手段１７へと送られる。
【００９４】
次に、解除検出手段１２８には、第１、第２、及び第３の静止画検出手段１２１ａ、１２１ｂ、及び１２１ｃからの静止画検出結果ｓｔｌ１、ｓｔｌ２、及びｓｔｌ３と、第１の動画フィールドカウンタ１２３からのフレーム動画連続数ｆｒｃｎｔと、フィールド静止画検出手段１２２からのフィールド静止画検出結果ｆｉｌｓｔｌと、第２の動画フィールドカウンタ１２４からのフィールド動画連続数ｆｉｌｃｎｔと、フレーム間相関検出手段１１からのフレーム間動画素累積値ｍｖｆｒとが入力される。さらには、解除検出手段１２８には、シーケンス位相カウンタ１３３からのカウント値ｓｅｑと、シーケンス判定手段１２６による２−３シーケンス検出結果を示す検出信号ｔｃｉ０が入力される。解除検出手段１２８は、入力される各信号に基づいて、入力映像信号が２−３シーケンスの条件を満たしていない場合を検出し、２−３シーケンスの条件を満たさない場合に、２−３シーケンス検出信号の解除を行う（すなわち、入力映像信号が２−３シーケンスではないとする）ための解除信号ｒｓｔを生成し出力する。以下、解除検出手段１２８内の各ブロックについて説明する。
【００９５】
解除検出手段１２８内のフレーム動画連続検出手段１３５には、第１の静止画検出手段１２１ａからのフレーム静止画検出結果ｓｔｌ１と、第１の動画フィールドカウンタ１２３からのフレーム動画連続数ｆｒｃｎｔが入力される。フレーム動画連続検出手段１３５は、フレーム動画連続数ｆｒｃｎｔが‘４’であり、かつ、フレーム静止画検出結果ｓｔｌ１が‘０’（動画）である場合を検出し、検出結果を出力する。２−３プルダウン信号においては５フィールドに１回、同一フィールドがあるので、フレーム動画となるフィールドの連続は５フィールド以上とならない。したがって、フレーム静止画検出結果ｓｔｌ１により検出フィールドが動画（すなわち、ｓｔｌ１＝０）で、前フィールドまでのフレーム動画連続数ｆｒｃｎｔが‘４’（すなわち、ｆｒｃｎｔ＝４）であれば、５フィールド連続してフレーム動画が連続したことになる。このため、フレーム動画連続数ｆｒｃｎｔが‘４’であり、かつ、フレーム静止画検出結果ｓｔｌ１が‘０’（フレーム動画）である場合には、２−３シーケンス検出信号の解除を示す信号として、例えば‘１’となる検出結果を出力し、解除信号生成手段１４４へと送る。
【００９６】
解除検出手段１２８内のフィールド動画連続検出手段１３６には、フィールド静止画検出手段１２２からのフィールド静止画検出結果ｆｉｌｓｔｌと、第２の動画フィールドカウンタ１２４からのフィールド動画連続数ｆｉｌｃｎｔが入力される。フィールド動画連続検出手段１３６は、フィールド動画連続数ｆｉｌｃｎｔが‘１’であり、かつ、フィールド静止画検出結果ｆｉｌｓｔｌが‘０’（動画）である場合を検出し、検出結果を出力する。２−３プルダウン信号においては、２フレームのそれぞれを２フィールドと３フィールドに対応させ変換しており、フィールド動画の次のフィールドはフィールド静止画となるので、フィールド動画となるフィールドの連続は２フィールド以上とならない。したがって、フィールド静止画検出結果ｆｉｌｓｔｌにより検出フィールドが動画（すなわち、ｆｉｌｓｔｌ＝０）で、前フィールドまでのフィールド動画連続数ｆｉｌｃｎｔが‘１’（すなわち、ｆｉｌｃｎｔ＝１）であれば、２フィールド連続してフィールド動画が連続したことになる。このため、フィールド動画連続数ｆｉｌｃｎｔが‘１’であり、かつ、フィールド静止画検出結果ｆｉｌｓｔｌが‘０’（フィールド動画）である場合には、２−３シーケンス検出信号の解除を示す信号として、例えば、‘１’となる検出結果を出力し、解除信号生成手段１４４へと送る。
【００９７】
解除検出手段１２８内の静止画連続検出手段１３７には、第２の静止画検出手段１２１ｂからのフレーム静止画検出結果ｓｔｌ２が入力される。静止画連続検出手段１３７は、フレーム静止画検出結果ｓｔｌ２に基づいてフレーム静止画となるフィールドの連続をカウントする。すなわち、静止画連続検出手段１３７は、フレーム静止画検出結果ｓｔｌ２が’０’（動画）のときに、カウント値をゼロへリセットし、フレーム静止画検出結果ｓｔｌ２が‘１’（静止画）であるときにカウントする。静止画連続検出手段１３７のカウント値は、解除検出手段１２８内の比較手段１３８へ出力される。
【００９８】
解除検出手段１２８内の比較手段１３８は、静止画連続検出手段１３７から出力された静止画連続カウント値を受け取り、この静止画連続カウント値を所定の閾値と比較し、連続数が所定の閾値以上となる場合を検出する。比較手段１３８は、フレーム静止画の連続数が所定の閾値以上である場合に、２−３シーケンス検出信号の解除を示す信号として、例えば、‘１’となる検出結果を、解除信号生成手段１４４へと送る。比較の所定の閾値は、２−３プルダウン信号の５フィールドの繰り返しシーケンスを考慮し、例えば、５フィールドとし、よって、フレーム静止画が５フィールド以上連続する場合に検出結果‘１’が解除信号生成手段１４４へ出力される。
【００９９】
解除検出手段１２８内のシーケンスずれ検出手段１３９は、２−３シーケンスの検出中に、５フィールドに一度のフレーム静止画とは異なるシーケンス途中のフィールドで、フレーム静止画が存在することを検出して、フィールドシーケンスの位相のずれを検出する。シーケンスずれ検出手段１３９は、シーケンス内静止画カウンタ１４０と、比較手段１４１により構成されている。
【０１００】
シーケンス内静止画カウンタ１４０には、第３の静止画検出手段１２１ｃからのフレーム静止画検出結果ｓｔｌ３と、シーケンス位相カウンタ１３３からのカウント値ｓｅｑと、シーケンス判定手段１２６による２−３シーケンス検出信号ｔｃｉ０が入力される。シーケンス内静止画カウンタ１４０は、シーケンス判定手段１２６からの２−３シーケンス検出信号ｔｃｉ０が、２−３シーケンスであることを示す場合、第３の静止画検出手段１２１ｃからのフレーム静止画検出結果ｓｔｌ３が‘１’（静止画）となるフィールドをカウントする。ただし、フレーム静止画となるフィールドのカウントは、２−３シーケンス位相に同期したカウント値ｓｅｑの１周期ごとに行い、５フィールドに一度のフレーム静止画の位置でカウント値を“０”へリセットする。よって、シーケンス内静止画カウンタ１４０は、２−３プルダウン信号における５フィールドに１回あるフレーム静止画の位置とは異なるフィールドで、シーケンス中にフレーム静止画となるフィールドを検出し、そのフィールドの数を出力することとなる。このシーケンス内静止画カウンタ１４０におけるカウント値は、シーケンスずれ検出手段１３９内の比較手段１４１へと出力される。
【０１０１】
シーケンスずれ検出手段１３９内の比較手段１４１は、シーケンス内静止画カウンタ１４０からのカウント値を所定の閾値と比較し、このカウント値が所定の閾値以上の場合に、５フィールドのシーケンス途中におけるフレーム静止画の検出結果ｄｂｅを、２−３シーケンス検出信号の解除を示す信号（例えば、‘１’）として出力する。２−３プルダウン信号の場合、５フィールドごとに一度完全フレーム静止画となるため、シーケンス途中におけるその完全フレーム静止画とは異なるフィールドで、フレーム静止画が存在することを検出した場合には、シーケンスが変更して規則性が乱れ、２−３プルダウン位相のずれがあると判断できる。よって、比較手段１４１は、この比較結果を、２−３プルダウン位相のずれを示す信号ｄｂｅとして出力する。なお、比較手段１４１における比較の所定の閾値は、例えば、‘１’とする。シーケンスずれ検出手段１３９内の比較手段１４１からの出力ｄｂｅは、解除信号生成手段１４４へ出力される。
【０１０２】
解除検出手段１２８内の位相判定手段１４２には、第１の静止画検出手段１２１ａからの静止画検出結果ｓｔｌ１と、シーケンス位相カウンタ１３３からのカウント値ｓｅｑが入力される。位相判定手段１４２は、２−３シーケンスの５フィールドに一度のフレーム静止画となるフィールド位置において、フレーム動画が存在することを検出する。すなわち、位相判定手段１４２は、２−３シーケンス位相に同期したカウント値ｓｅｑの１周期ごとに、５フィールドに一度のフレーム静止画の位置でフレーム静止画検出結果ｓｔｌ１が‘０’（動画）である場合を検出し、検出結果ｄｐｈを出力する。２−３プルダウン信号においては５フィールドに１回、フレーム静止画となるが、そのフィールドにおいて、フレーム静止画検出結果ｓｔｌ１により検出フィールドが動画（すなわち、ｓｔｌ１＝０）であれば、２−３シーケンスから位相がはずれたことになる。よって、２−３プルダウン信号における５フィールドに１回あるフレーム静止画の位置で、フレーム静止画検出結果ｓｔｌ１が‘０’（フレーム動画）である場合には、２−３シーケンス検出信号の解除を示す信号として、例えば、‘１’となる検出結果ｄｐｈを出力し、解除信号生成手段１４４へと送る。
【０１０３】
一方、解除検出手段１２８内のシーンチェンジ検出手段１４３には、フレーム間相関検出手段１１からのフレーム間動画素累積値ｍｖｆｒが入力される。シーンチェンジ検出手段１４３は、フレーム間動画素累積値ｍｖｆｒと所定の閾値ＳＴＨを比較し、この比較結果に基づいてそのフィールドにおけるシーンチェンジを検出する。
【０１０４】
ここで、一般に映像信号での編集点は、シーンの切換わりである可能性が高く、その場合フィールド内のほとんどの画素が動画素と判定される。よって、フレーム差分情報に基づくフレーム動画素累積値ｍｖｆｒは、通常のシーケンス内での値と比較して大きく変化する。
【０１０５】
シーンチェンジ検出手段１４３は、フレーム間動画素累積値ｍｖｆｒが所定の閾値ＳＴＨより大きい場合（すなわち、１フィールド内の所定の閾値より多くの画素が動画素となる場合）には、そのフィールドでシーンチェンジがあったとして、シーンチェンジ検出結果ｓｃｈを‘１’として出力し、それ以外の場合はシーンチェンジ検出結果ｓｃｈを‘０’として出力する。シーンチェンジ検出結果ｓｃｈは、解除信号生成手段１４４へ出力される。
【０１０６】
解除検出手段１２８内の解除信号生成手段１４４には、フレーム動画連続検出手段１３５からのフレーム動画連続検出結果と、フィールド動画連続検出手段１３６からのフィールド動画連続検出結果と、比較手段１３８の静止画連続検出結果と、シーケンスずれ検出手段１３９からのシーケンスの位相ずれを示す信号ｄｂｅと、位相判定手段１４２からの検出結果ｄｐｈと、シーンチェンジ検出手段３２からのシーンチェンジ検出結果ｓｃｈとが入力される。解除信号生成手段１４４は、２−３プルダウン信号からの切換わりや位相ずれが起こった場合や、２−３シーケンスの条件を満たさない場合に、２−３シーケンス検出信号の解除を行う（すなわち、入力映像信号が２−３シーケンスではないとする）ための解除信号を、入力された各検出結果のいずれかに基づき生成する。例えば、フレーム動画連続検出手段１３５からのフレーム動画連続検出結果、フィールド動画連続検出手段１３６からのフィールド動画連続検出結果、比較手段１３８の静止画連続検出結果、位相判定手段１４２からの検出結果ｄｐｈ、シーケンスずれ検出手段１３９からのシーケンスの位相ずれを示す信号ｄｂｅ、及びシーンチェンジ検出手段１４３からのシーンチェンジ検出結果ｓｃｈの中から、いずれか１つ以上の検出結果が’１’となった場合に、解除信号ｒｓｔを‘１’とし、解除しない場合は解除信号ｒｓｔを‘０’とする。この場合は、フレーム動画又はフレーム静止画が所定フィールド（５フィールド）連続することが検出された場合、フィールド動画が２フィールド連続した場合、フレーム静止画となる位相でフレーム動画が検出された場合、２−３プルダウン信号の検出中に２−３プルダウン位相がずれた場合、及びシーンチェンジが検出された場合のいずれかにおいて、解除信号ｒｓｔを‘１’とする。
【０１０７】
なお、解除信号生成手段１４４における解除信号ｒｓｔの生成は、上記条件に限られるものではなく、例えば、フレーム動画連続検出手段１３５からのフレーム動画連続検出結果、フィールド動画連続検出手段１３６からのフィールド動画連続検出結果、比較手段１３８の静止画連続検出結果、位相判定手段１４２からの検出結果ｄｐｈ、シーケンスずれ検出手段１３９からのシーケンスの位相ずれを示す信号ｄｂｅ、及びシーンチェンジ検出手段１４３からのシーンチェンジ検出結果ｓｃｈの中から、予め決められた検出結果の組み合わせにおいてそれぞれの検出結果が‘１’となった場合、さらには、いずれか２つ以上の検出結果が‘１’となった場合に、解除信号ｒｓｔを‘１’として出力するよう構成してもよい。また、フレーム動画連続検出手段１３５からのフレーム動画連続検出結果、フィールド動画連続検出手段１３６からのフィールド動画連続検出結果、比較手段１３８の静止画連続検出結果、位相判定手段１４２からの検出結果ｄｐｈ、及びシーンチェンジ検出手段１４３からのシーンチェンジ検出結果ｓｃｈにより、フレーム動画又はフレーム静止画が所定フィールド（５フィールド）連続することが検出された場合、フィールド動画が２フィールド連続した場合、フレーム静止画となる位相でフレーム動画が検出された場合、及びシーンチェンジが検出された場合に、解除信号ｒｓｔを‘１’として出力する条件として設定することもできる。
【０１０８】
シーケンス判定手段１２６には、シーケンス条件検出手段１２５からの２−３シーケンス条件検出結果ｄｅｔｆｌと、解除検出手段１２８内の解除信号生成手段１４４による解除信号ｒｓｔが入力される。シーケンス判定手段１２６は、２−３シーケンス条件検出結果ｄｅｔｆｌから、２−３シーケンス条件の繰り返しを検出して、２−３シーケンスであるか否かを判定し、２−３シーケンス検出結果を示す２−３シーケンス検出信号ｔｃｉ０を出力する。以下に、シーケンス判定手段１２６を構成する各ブロックについて説明する。
【０１０９】
シーケンス判定手段１２６内のテレシネ起動カウンタ１３１には、シーケンス条件検出手段１２５からの２−３シーケンス条件検出結果ｄｅｔｆｌと、リセット信号として解除検出手段１２８内の解除信号生成手段１４４による解除信号ｒｓｔが入力される。テレシネ起動カウンタ１３１は、２−３シーケンス条件検出結果ｄｅｔｆｌに基づき、２−３シーケンス条件を満たすフィールドが検出された場合、すなわち、５フィールドの２−３シーケンスを検出した場合をカウントする。テレシネ起動カウンタ１３１は、解除信号生成手段１４４からの解除信号ｒｓｔが‘１’（ｒｓｔ＝１）となった場合は、２−３シーケンスのカウント値ｏｎｃｎｔをゼロへリセットする。すなわち、テレシネ起動カウンタ１３１は、２−３シーケンス条件検出結果ｄｅｔｆｌの値が‘１’の場合には、２−３プルダウン信号の５フィールドのシーケンス条件を検出しており、２−３シーケンス条件検出結果ｄｅｔｆｌの値が‘１’となるフィールドの繰り返し回数をカウントする。テレシネ起動カウンタ１３１は、解除信号生成手段１４４からの解除信号ｒｓｔとして‘１’が入力された場合は、入力映像信号が２−３プルダウン信号ではないとしてカウント値をゼロとし、解除信号ｒｓｔによるリセット後は、再び上記の２−３シーケンス条件検出結果ｄｅｔｆｌの値が‘１’となるフィールドの入力を待ち、‘０’からシーケンスの繰り返し回数のカウントを開始する。そして、テレシネ起動カウンタ１３１による２−３シーケンスのカウント値ｏｎｃｎｔは、シーケンス検出信号生成手段１３２へと出力される。
【０１１０】
シーケンス検出信号生成手段１３２には、テレシネ起動カウンタ１３１からの２−３シーケンスのカウント値ｏｎｃｎｔが入力される。シーケンス検出信号生成手段１３２は、テレシネ起動カウンタ１３１からの２−３シーケンスカウント値ｏｎｃｎｔと、所定の閾値（起動カウント値と呼ぶ。）ＴＨ１を比較し、２−３シーケンスカウント値ｏｎｃｎｔが、起動カウント値ＴＨ１以上になったとき、すなわち、５フィールドの２−３シーケンスが所定の回数連続して検出されたときに、２−３シーケンス検出結果を示す検出信号ｔｃｉ０を‘１’とし、２−３シーケンスカウント値ｏｎｃｎｔが起動カウント値ＴＨ１より小さいときは検出信号ｔｃｉ０を‘０’として出力する。２−３シーケンス検出信号ｔｃｉ０が‘０’の場合は、２−３シーケンスがカウントされない（２−３プルダウン信号でない）場合や検出されるまでの間、シーケンスカウント値がゼロへリセットされた場合などである。上記起動カウント値ＴＨ１は、入力映像信号が２−３シーケンスであると検出するまでのシーケンスの繰り返し回数を設定し、２−３シーケンス検出信号ｔｃｉ０を起動するまでのカウント値である。なお、２−３シーケンス検出信号の値は、これに限らず、２−３シーケンスを所定回数以上連続して検出している場合とそれ以外の場合を判別できる値であれば、他の値であってもよい。シーケンス検出信号生成手段１３２からの出力である２−３シーケンス検出信号ｔｃｉ０は、シーケンスずれ検出手段１３９へ送られるとともに、２−３予測制御手段５３へと出力される。
【０１１１】
次に、図７において、２−３シーケンス検出手段１５内の出現頻度検出手段５２には、２−３フィールドシーケンス検出手段５１から出力される２−３シーケンス条件検出結果ｄｅｔｆｌ、フレーム静止画検出結果ｓｔｌ１、及び２−３シーケンスの位相カウント値ｓｅｑが入力される。出現頻度検出手段５２は、入力映像信号のシーケンスを監視し、２−３シーケンスの出現頻度を検出することで、２−３シーケンスの条件を満たす映像信号であるか否か（すなわち、２−３プルダウン信号であることの確からしさ）を判定する。
【０１１２】
図１１は、実施の形態１による出現頻度検出手段５２の構成の一例を示すブロック図である。図１１では、出現頻度検出手段５２に対し、２−３フィールドシーケンス検出手段５１から出力される２−３シーケンス条件検出結果ｄｅｔｆｌ、フレーム静止画検出結果ｓｔｌ１、及び２−３シーケンスの位相カウント値ｓｅｑを入力としている。しかし、出現頻度検出手段５２内に、２−３フィールドシーケンス検出手段５１における２−３シーケンス条件検出結果ｄｅｔｆｌ、フレーム静止画検出結果ｓｔｌ１、及び２−３シーケンスの位相カウント値ｓｅｑを得るための同様の手段を持つよう構成することもできる。この場合は、フレーム間相関検出手段１１からのフレーム間動画素累積値ｍｖｆｒと、フィールド間相関検出手段１２からのフィールド間動画素累積値ｍｖｆｉｌを入力とし、出現頻度検出手段５２内で２−３シーケンス検出の条件を検出することになる。
【０１１３】
以下の説明においては、出現頻度検出手段５２が、２−３フィールドシーケンス検出手段５１から出力される２−３シーケンス条件検出結果ｄｅｔｆｌ、フレーム静止画検出結果ｓｔｌ１、及び２−３シーケンスの位相カウント値ｓｅｑを入力とする場合を説明する。
【０１１４】
図１１に示されるように、実施の形態１の２−３シーケンス検出手段１５内の出現頻度検出手段５２は、シーケンス判定回数検出手段１５１と、予測制御フラグ生成手段１５２とを有している。シーケンス判定回数検出手段１５１は、入力映像信号での２−３シーケンスの条件を比較的長い時間（フィールド）にわたって監視し、２−３シーケンスと判定される回数をカウントする。シーケンス判定回数検出手段１５１は、出現頻度カウンタ１５３と、カウント値調整手段１５４から構成される。また、予測制御フラグ生成手段１５２は、シーケンス判定回数検出手段１５１から出力されるカウント値ｔｃを所定の閾値ＰＴＨ１と比較し、この比較結果を２−３プルダウン信号であることの確からしさを示す指標である予測制御信号ｔｃｉｆｌｇ０として出力する（すなわち、２−３プルダウン信号であることの確からしさを判定し、判定結果を出力する）。
【０１１５】
まず、シーケンス判定回数検出手段１５１には、２−３フィールドシーケンス検出手段５１から出力される２−３シーケンス条件検出結果ｄｅｔｆｌ、フレーム静止画検出結果ｓｔｌ１、及び２−３シーケンスの位相カウント値ｓｅｑが入力される。シーケンス判定回数検出手段１５１は、入力映像信号における２−３シーケンスの条件を比較的長いフィールドにわたって監視し、２−３シーケンスと判定される回数をカウントする。シーケンス判定回数検出手段１５１は、２−３シーケンス条件が検出される場合は所定の値を加算し、一方、５フィールドごとで２−３シーケンス条件が検出されず、２−３シーケンスと判定されない場合は、カウント値から所定の値を減算する。
【０１１６】
シーケンス判定回数検出手段１５１内の出現頻度カウンタ１５３には、２−３フィールドシーケンス検出手段５１からの２−３シーケンス条件検出結果ｄｅｔｆｌと、フレーム静止画検出結果ｓｔｌ１と、２−３シーケンスの位相カウント値ｓｅｑが入力され、また、カウント値調整手段１５４において設定された設定値が入力される。
【０１１７】
出現頻度カウンタ１５３は、２−３シーケンス条件検出結果ｄｅｔｆｌと、フレーム静止画検出結果ｓｔｌ１と、２−３シーケンスの位相カウント値ｓｅｑとに基づいて、所定値Ａｄを加算又は所定値Ｓｕを減算するアップダウンカウンタである。出現頻度カウンタ１５３は、入力映像信号における２−３シーケンス条件を比較的長い時間（フィールド）にわたって監視し、２−３シーケンスと判定される回数をカウントする。出現頻度カウンタ１５３は、２−３シーケンスの条件となるフィールドが検出された場合、すなわち、２−３シーケンス条件検出結果ｄｅｔｆｌが‘１’のときは、カウント値ｔｃに所定値Ａｄを加算する（すなわち、ｔｃ←ｔｃ＋Ａｄ）。出現頻度カウンタ１５３は、５フィールド目の位相（すなわち、２−３シーケンス位相カウント値ｓｅｑが‘０’であり、５フィールドに一度のフレーム静止画の位置）であっても、フレーム静止画検出結果ｓｔｌ１が‘０’（フレーム動画）であり、２−３シーケンスと判定されない場合は、カウント値ｔｃから所定値Ｓｕを減算する（すなわち、ｔｃ←ｔｃ−Ｓｕ）。出現頻度カウンタ１５３は、５フィールド目の位相（カウント値ｓｅｑ＝０）でフレーム静止画検出結果ｓｔｌ１が‘１’となる場合（すなわち、フレーム静止画の場合）は、上記２−３シーケンス条件検出結果ｄｅｔｆｌが‘０’で、２−３シーケンス条件を検出されなくても、カウント値ｔｃの加減算を行わない（すなわち、ｔｃ←ｔｃ±０）。これは、５フィールドに一度のフレーム静止画の位置でフレーム静止画検出結果ｓｔｌ１が‘１’であれば、２−３シーケンスか否かどちらにも判定できないためである。
【０１１８】
カウント値調整手段１５４は、出現頻度カウンタ１５３におけるカウントでの加算値Ａｄと減算値Ｓｕのバランス比を調整するもので、例えば、加算値Ａｄを‘１’とした際の減算値Ｓｕに相当する値を、出現頻度カウンタ１５３へと出力する。２−３シーケンスと判定する場合の加算値Ａｄに対し、２−３シーケンスと判定されない場合の減算値Ｓｕを大きくすることで、シーケンスの判定回数のカウントにおける上下の変動幅が調整される。すなわち、このカウント値調整手段１５４で設定する加算値Ａｄと減算値Ｓｕのバランス比により、２−３シーケンスと判定される度合いを調整することができる。出現頻度カウンタ１５３におけるカウントでの加算値及び減算値は、カウント値調整手段１５４からの値に基づき設定される。
【０１１９】
出現頻度カウンタ１５３におけるシーケンス判定回数であるカウント値（出現頻度カウント値）ｔｃは、予測フラグ生成手段１５２へと送られる。
【０１２０】
次に、予測フラグ生成手段１５２は、シーケンス判定回数検出手段１５１からの出現頻度カウント値ｔｃを受け取り、２−３プルダウン信号であることの確からしさを判定し、確からしいと判定されるか否かを示す予測制御フラグｔｃｉｆｌｇ０を出力する。
【０１２１】
予測制御フラグ生成手段１５２には、出現頻度カウンタ１５３から出力される出現頻度カウント値ｔｃが入力される。予測制御フラグ生成手段１５２は、出現頻度カウンタ１５３からの出現頻度カウント値ｔｃと所定の閾値（有効カウント値）ＰＴＨ１を比較し、２−３プルダウン信号であることの確からしさを判定する。すなわち、出現頻度カウント値ｔｃと有効カウント値ＰＴＨ１を比較し、出現頻度カウント値ｔｃが有効カウント値ＰＴＨ１以上になったとき、２−３プルダウン信号であると判定し、予測制御フラグｔｃｉｆｌｇ０を‘１’とする。出現頻度カウント値ｔｃが有効カウント値ＰＴＨ１より小さい場合は、２−３プルダウン信号らしくないと判定し、予測制御フラグｔｃｉｆｌｇ０は生成せず、予測制御フラグｔｃｉｆｌｇ０を‘０’とする。そして、予測制御フラグ生成手段１５２からの出力である予測制御フラグｔｃｉｆｌｇ０は、２−３予測制御手段５３へと出力される。
【０１２２】
なお、予測フラグ生成手段１５２における有効カウント値ＰＴＨ１は、出現頻度カウンタ１５３から出力される出現頻度カウント値ｔｃに対し、２−３プルダウン信号であると判定するまでの出現頻度（２−３シーケンス判定回数）を設定し、２−３プルダウン信号であることの確からしさを判定するためのカウント値である。この有効カウント値ＰＴＨ１により、２−３プルダウン信号と判定するまでの時間を調整することになる。
【０１２３】
次に、図７において、２−３シーケンス検出手段１５内の２−３予測制御手段５３には、２−３フィールドシーケンス検出手段５１からの出力である２−３シーケンス検出信号ｔｃｉ０と、出現頻度検出手段５２から出力される予測制御フラグｔｃｉｆｌｇ０が入力される。２−３予測制御手段５３は、出現頻度検出手段５２において判定された２−３プルダウン信号であることの確からしさを示す予測制御フラグｔｃｉｆｌｇ０に基づき、２−３フィールドシーケンス検出手段５１における２−３シーケンスの検出結果を制御し、２−３プルダウン信号の検出を示す２−３プルダウン検出信号ｔｃｉ２３を出力する。図７に示されるように、２−３予測制御手段５３は、２−３フィールドシーケンス検出手段５１での２−３シーケンス検出結果ｔｃｉ０を制御する切換手段５４を有している。
【０１２４】
２−３予測制御手段５３内の切換手段５４は、２−３フィールドシーケンス検出手段５１からの出力である２−３シーケンス検出信号ｔｃｉ０と、出現頻度検出手段５２から出力される予測制御フラグｔｃｉｆｌｇ０とが入力され、出現頻度検出手段５２からの予測制御フラグｔｃｉｆｌｇ０に基づき、２−３フィールドシーケンス検出手段５１からの２−３シーケンス検出信号ｔｃｉ０と固定信号を切り換える。切換手段５４は、予測制御フラグｔｃｉｆｌｇ０が‘１’として入力される場合は、２−３プルダウン信号であると判定し、２−３フィールドシーケンス検出手段５１による２−３シーケンス検出信号ｔｃｉ０を選択し、２−３プルダウン信号の検出を示す２−３プルダウン検出信号ｔｃｉ２３として出力する。一方、切換手段５４は、予測制御フラグｔｃｉｆｌｇ０が‘０’の場合は、２−３プルダウン信号らしくないと判定された場合又は２−３プルダウン信号らしいと判定されるまでのフィールド期間（出現頻度カウント値ｔｃが有効カウント値ＰＴＨ１以上となるまでの時間）であり、２−３フィールドシーケンス検出手段５１による２−３シーケンス検出信号ｔｃｉ０は選択せず、固定信号ｔｃｉ２３（値‘０’）を選択する。このとき、２−３シーケンス検出信号ｔｃｉ０が、一時的に通常の２−３シーケンスの条件を満たし２−３シーケンス検出信号ｔｃｉ０が‘１’であっても、テレシネ補間処理が起動はされないこととなる。
【０１２５】
そして、２−３予測制御手段５３により制御された２−３プルダウン信号の検出を示す２−３プルダウン検出信号ｔｃｉ２３は、２−３フィールドシーケンス検出手段５１からの２−３位相フラグｔｃｆ２３とともに、プルダウン判定手段へ送られる。
【０１２６】
次に、図１におけるプルダウンシーケンス検出手段１４内の２−２シーケンス検出手段１６について、構成を説明する。２−２シーケンス検出手段１６には、フレーム間相関検出手段１１からのフレーム間動画素累積値ｍｖｆｒと、動画素累積差分値ｄｆｍｖｆｒと、フィールド間相関検出手段１２からのフィールド間動画素累積値ｍｖｆｉｌとが入力される。２−２シーケンス検出手段１６は、フレーム間動画素累積値ｍｖｆｒと、動画素累積差分値ｄｆｍｖｆｒと、フィールド間動画素累積値ｍｖｆｉｌとから、２−２プルダウン信号の２フィールドの繰り返し条件により、２−２プルダウンシーケンスであるか否かを検出するとともに、２−２プルダウンのシーケンスの出現頻度を検出して確からしさを判定することで、２−２プルダウン信号の検出結果を予測制御する。そして、２−２シーケンス検出手段１６は、２−２プルダウン検出信号ｔｃｉ２２（例えば、２−２プルダウン信号と検出する場合はｔｃｉ２２＝１、検出されない場合はｔｃｉ２２＝０とする）と、２−２プルダウンの位相を示す２−２位相フラグｔｃｆ２２（例えば、前フィールドが同一フィールドとする場合ｔｃｆ２２＝１、後フィールドの場合はｔｃｆ２２＝０とする）を出力する。
【０１２７】
図１２は、実施の形態１におけるプルダウンシーケンス検出手段１４内の２−２シーケンス検出手段１６の構成の一例を示すブロック図である。図１２において、実施の形態１の２−２シーケンス検出手段１６は、２−２フィールドシーケンス検出手段６１と、出現頻度検出手段６２と、２−２予測制御手段６３とを有している。
【０１２８】
２−２シーケンス検出手段１６内の２−２フィールドシーケンス検出手段６１には、フレーム間相関検出手段１１からのフレーム間動画素累積値ｍｖｆｒと、動画素累積差分値ｄｆｍｖｆｒと、フィールド間相関検出手段１２からのフィールド間動画素累積値ｍｖｆｉｌとが入力される。２−２フィールドシーケンス検出手段６１は、入力されたフレーム間動画素累積値ｍｖｆｒとフィールド間動画素累積値ｍｖｆｉｌのそれぞれに対し、フィールドが静止画フィールドであるか否かを判定し、また、動画素累積差分値ｄｆｍｖｆｒから同一フレームからのフィールドを判定して、この判定結果から、入力映像信号が２フィールドのシーケンスの繰り返し条件を満たす映像信号であるか否か、及び２−２プルダウンのシーケンス位相を検出する。
【０１２９】
図１３は、２−２シーケンス検出手段１６内の２−２フィールドシーケンス検出手段６１の構成の一例を示すブロック図である。図１３に示されるように、２−２フィールドシーケンス検出手段６１は、静止画検出手段１６１と、同一フレーム判定手段１６２と、フィールド静止画検出手段１６３と、動画フィールドカウンタ１６４と、２−２プルダウンのシーケンスの繰り返し条件を検出するシーケンス条件検出手段１６５と、シーケンスの繰り返しをカウントして、２−２プルダウン信号におけるシーケンス（以下、２−２シーケンスと呼ぶ。）であるか否かを判定するシーケンス判定手段１６７と、２−２シーケンスの位相を検出するシーケンス位相検出手段１６６と、シーケンスの条件を満たしていないことを検出する解除検出手段１６８とを有している。
【０１３０】
図１３に示されるように、２−２フィールドシーケンス検出手段６１内のシーケンス判定手段１６７は、シーケンス起動カウンタ１７３と、シーケンス検出信号生成手段１７４とから構成されている。また、シーケンス位相検出手段１６６は、シーケンス位相生成手段１７１と、補間位相フラグ生成手段１７２とから構成されている。さらに、解除検出手段１６８は、動画連続検出手段１７５と、位相判定手段１７６と、比較手段１７７と、シーンチェンジ検出手段１７８と、解除信号生成手段１７９とから構成されている。
【０１３１】
テレシネ映像信号である２−２プルダウン信号は、１フレームを２フィールドに対応させており、２フィールドを繰り返すシーケンスとなっている。２−２プルダウン信号の場合、フレーム差分情報に基づくフレーム間動画素累積値ｍｖｆｒは、動きがある映像信号であれば、常に動画素数が大きなフィールドが連続する。また、フレーム間動画素累積値のフィールド間の差である動画素累積差分値ｄｆｍｖｆｒは、２フィールドに一度の周期で、所定値以下の比較的小さな値となるフィールドが存在することになる。２−２プルダウン信号の同一フレームから変換された隣接するフィールド間においては、この動画素累積差分値ｄｆｍｖｆｒが比較的小さな値となる。
【０１３２】
図１４は、２−２プルダウン信号を入力映像信号とした場合のフレーム間相関検出手段１１から出力されるフレーム間動画素累積値ｍｖｆｒ（縦軸）とフィールド番号（時間、すなわち、横軸）との関係を示す図である。図１４には、画像シミュレーションにおいて、２−２プルダウン信号からのフィールド画像をフレーム間相関検出手段１１により処理した場合が示されている。図１４において示されるように、フレーム間動画素累積値ｍｖｆｒは、動画素数が大きなフィールド（動画と呼ぶ）が連続する。
【０１３３】
図１５は、フレーム間相関検出手段１１から出力される動画素累積差分値ｄｆｍｖｆｒ（縦軸）とフィールド番号（時間、すなわち、横軸）との関係を示す図である。図１５には、画像シミュレーションにおいて、図１４に示した場合と同じ２−２プルダウン信号からのフィールド画像を、フレーム間相関検出手段１１により処理した場合が示されている。図１５において、フィールド番号２，４，・・・，３０として示されるように、動画素累積差分値ｄｆｍｖｆｒは、２フィールドの周期で、ゼロ又は所定値以下となるフィールドが繰り返される。
【０１３４】
さらに、フィールド差分情報に基づくフィールド間動画素累積値ｍｖｆｉｌは、動画素累積差分値ｄｆｍｖｆｒが２フィールドごとで比較的小さな値となるフィールド（すなわち、図１５におけるフィールド番号２，４，・・・，３０）において、ゼロ又は所定値以下となるフィールド（静止画）が存在し、その前フィールドでは、所定値より大きなフィールド間動画素累積値ｍｖｆｉｌとなるフィールド（動画）が存在する。すなわち、動画と静止画がフィールドごとで交互に繰り返される。
【０１３５】
図１６は、フィールド間相関検出手段１２から出力されるフィールド間動画素累積値ｍｖｆｉｌ（縦軸）とフィールド番号（時間、すなわち、横軸）との関係を示す図である。図１６には、画像シミュレーションにおいて、図１４に示した場合と同じ２−２プルダウン信号からのフィールド画像を、フィールド間相関検出手段１２により処理した場合が示されている。図１６において、フィールド番号２，４，・・・，３０として示されるように、フィールド間動画素累積値ｍｖｆｉｌは、２フィールドの周期で、ゼロ又は所定値以下となる静止画フィールドとなり、動画の次は静止画となるよう繰り返される。
【０１３６】
よって、２−２シーケンスであることの条件の検出は、フレーム間動画素累積値ｍｖｆｒが動画フィールドであり、フィールド間動画素累積値ｍｖｆｉｌが、２フィールドごとで動画、静止画フィールドを繰り返すフィールド繰り返しの検出とすることができる。さらに、より確実に２−２プルダウンシーケンスの条件を検出するため、フレーム間動画素累積値ｍｖｆｒとフィールド間動画素累積値ｍｖｆｉｌによる条件に加え、２フィールド毎でフィールド間動画素累積値ｍｖｆｉｌが静止画となるフィールドにおいて、動画素累積差分値ｄｆｍｖｆｒが比較的小さな値となるフィールドの繰り返しの検出とすることができる。
【０１３７】
２−２フィールドシーケンス検出手段６１では、フレーム間動画素累積値ｍｖｆｒとフィールド間動画素累積値ｍｖｆｉｌのそれぞれに対し、フィールドが静止画フィールドであるか否かを検出し、また、動画素累積差分値ｄｆｍｖｆｒから同一フレームからのフィールドを判定して、この判定結果から、入力映像信号が２−２シーケンスであることの条件を満たすか否かを検出し、その結果（すなわち、２−２シーケンス検出結果）を示す検出信号ｔｃｉ１と、テレシネ補間時の位相を示す２−２位相フラグｔｃｆ２２を出力する。
【０１３８】
また、出現頻度検出手段６２は、２−２フィールドシーケンス検出手段６１と同一の２−２シーケンス検出条件を用いて、２−２シーケンスの出現頻度を検出する。２−２フィールドシーケンス検出手段６１は、２−２フィールドシーケンス検出手段６１により検出している２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２を、出現頻度検出手段６２へと出力する。
【０１３９】
図１３において、フレーム間相関検出手段１１から２−２フィールドシーケンス検出手段６１へ入力された１フィールド単位のフレーム間動画素累積値ｍｖｆｒは、静止画検出手段１６１と、解除検出手段１６８内のシーンチェンジ検出手段１７８へ送られる。
【０１４０】
静止画検出手段１６１は、フレーム間相関検出手段１１からのフレーム間動画素累積値ｍｖｆｒを所定の閾値ＦＲＴＨ２と比較し、そのフィールドが静止画フィールドであるか否かを検出する。静止画検出手段１６１は、入力されたフレーム間動画素累積値ｍｖｆｒが所定の閾値ＦＲＴＨ２より小さい場合、そのフィールドをフレーム静止画として、検出結果ｆｒｓｔｌの値を‘１’（ｆｒｓｔｌ＝１）とし、それ以外の場合は、検出結果ｆｒｓｔｌの値を‘０’（ｆｒｓｔｌ＝０であり、フレーム動画を示す。）とする。この静止画検出のための所定の閾値ＦＲＴＨ２は、２−２シーケンスにおいて、フレーム動画となるフィールドを検出することができるような値に設定される。なお、静止画検出手段１６１は、フレーム間動画素累積値ｍｖｆｒが所定の閾値ＦＲＴＨ２より大きい場合には、そのフィールドを動画フィールドとして、それ以外の場合は静止画と検出することもできる。
【０１４１】
そして、静止画検出手段１６１からの検出結果ｆｒｓｔｌは、２−２シーケンスを検出するため、シーケンス条件検出手段１６５、並びに解除検出手段１６８内の動画連続検出手段１７５及び位相判定手段１７６へと送られるとともに、出現頻度検出手段６２へと出力される。
【０１４２】
フレーム間相関検出手段１１から２−２フィールドシーケンス検出手段６１へ入力された動画素累積差分値ｄｆｍｖｆｒは、同一フレーム判定手段１６２と、解除検出手段１６８内の比較手段１７７へ送られる。
【０１４３】
同一フレーム判定手段１６２は、フレーム間相関検出手段１１からの動画素累積差分値ｄｆｍｖｆｒを所定の閾値ＤＴＨ２と比較し、同一フレームによるフィールドの連続を判定する。同一フレーム判定手段１６２は、入力された動画素累積差分値ｄｆｍｖｆｒが所定の閾値ＤＴＨ２より小さい場合、同一フレームの連続と判定して、同一フレーム判定結果ｆｒｄｉｆｆの値を‘１’（ｆｒｄｉｆｆ＝１であり、同一フレームによるフィールドを示す。）とし、それ以外の場合は、検出結果ｆｒｄｉｆｆの値を‘０’（ｆｒｄｉｆｆ＝０）とする。同一フレーム判定手段１６２からの同一フレーム判定結果ｆｒｄｉｆｆは、シーケンス条件検出手段１６５へと送られる。
【０１４４】
フィールド間相関検出手段１２から２−２フィールドシーケンス検出手段６１へ入力された１フィールド単位のフィールド間動画素累積値ｍｖｆｉｌは、フィールド静止画検出手段１６３へ入力される。フィールド静止画検出手段１６３は、フィールド間相関検出手段１２からのフィールド間動画素累積値ｍｖｆｉｌを所定の閾値ＦＩＬ＿ＴＨ２と比較し、そのフィールドが静止画フィールドであるか否かを検出する。フィールド静止画検出手段１６３は、入力されたフィールド間動画素累積値ｍｖｆｉｌが所定値ＦＩＬ＿ＴＨ２より小さい場合、フィールド静止画として、検出結果ｆｉｌｓｔｌ２の値を‘１’（ｆｉｌｓｔ２＝１）とし、それ以外の場合は、検出結果ｆｉｌｓｔｌ２の値を‘０’（ｆｉｌｓｔｌ＝０であり、フィールド動画を示す。）とする。なお、フィールド静止画検出手段１６３は、フィールド間動画素累積値ｍｖｆｉｌが所定の閾値より大きい場合には、そのフィールドをフィールド動画とし、それ以外の場合はフィールド静止画と検出することもできる。フィールド静止画検出手段１６３からの検出結果ｆｉｌｓｔｌ２は、動画フィールドカウンタ１６４、シーケンス条件検出手段１６５、並びに解除検出手段１６８内の動画連続検出手段１７５及び位相判定手段１７６へと送られるとともに、出現頻度検出手段６２へも出力される。
【０１４５】
動画フィールドカウンタ１６４には、フィールド静止画検出手段１６３からのフィールド静止画検出結果ｆｉｌｓｔｌ２が入力される。動画フィールドカウンタ１６４は、入力された検出結果ｆｉｌｓｔｌ２に基づき、フィールド動画の連続をカウントし、前フィールドまでのフィールド動画となるフィールドの連続数ｆｉｌｃｎｔ２を出力する。すなわち、動画フィールドカウンタ１６４は、入力された検出結果ｆｉｌｓｔｌ２がフィールド静止画を示す‘１’である場合（ｆｉｌｓｔｌ２＝１の場合）、カウンタをリセットし、動画を示す‘０’である場合（ｆｉｌｓｔｌ２＝０の場合）はカウントして、次フィールドにタイミングを合わせ、カウントしたフィールド動画の連続数ｆｉｌｃｎｔ２を出力する。
【０１４６】
シーケンス条件検出手段１６５には、静止画検出手段１６１からのフレーム静止画検出結果ｆｒｓｔｌと、同一フレーム判定手段１６２からの同一フレーム判定結果ｆｒｄｉｆｆと、フィールド静止画検出手段１６３からのフィールド静止画検出結果ｆｉｌｓｔｌ２と、動画フィールドカウンタ１６４からの前フィールドまでのフィールド動画連続数ｆｉｌｃｎｔ２とが入力される。シーケンス条件検出手段１６５は、フレーム動画で、かつ、フィールド静止画が交互に検出されたフィールド動画後のフィールド静止画であって、かつ、動画素累積差分値ｄｆｍｖｆｒが所定値以下となるフィールドを検出した場合、２−２プルダウン信号における２フィールドに一度の静止画フィールドであるとして、２−２シーケンスの条件を検出し、シーケンス条件の検出を示す２−２シーケンス条件検出結果ｄｅｔｆｌ２を出力する。すなわち、シーケンス条件検出手段１６５は、フレーム静止画検出結果ｆｒｓｔｌと、フィールド静止画検出結果ｆｉｌｓｔｌ２と、フィールド動画連続数ｆｉｌｃｎｔ２と、同一フレーム判定結果ｆｒｄｉｆｆとに基づき、フレーム静止画検出結果ｆｒｓｔｌが‘０’（フレーム動画）であり、フィールド静止画検出結果ｆｉｌｓｔｌ２が‘１’（フィールド静止画）、かつ、フィールド動画連続数ｆｉｌｃｎｔが‘１’（すなわち、フィールド静止画後のフィールド動画。）であり、さらに、同一フレーム判定結果ｆｒｄｉｆｆが’１’（すなわち、動画素累積差分値ｄｆｍｖｆｒが所定値以下の同一フレームと判定。）となる４条件を満たすフィールドを検出する。そして、シーケンス条件検出手段１６５は、シーケンス条件を満たすフィールドが検出される場合は、２−２シーケンス条件検出結果ｄｅｔｆｌ２の値を‘１’（ｄｅｔｆｌ２＝１）とし、それ以外の場合は、検出結果ｄｅｔｆｌ２の値を‘０’（ｄｅｔｆｌ２＝０）とする。
【０１４７】
なお、実施の形態１におけるシーケンス条件検出手段１６５では、フレーム静止画検出結果ｆｒｓｔｌと、フィールド静止画検出結果ｆｉｌｓｔｌ２と、フィールド動画連続数ｆｉｌｃｎｔ２と、同一フレーム判定結果ｆｒｄｉｆｆとから、シーケンス条件を満たすフィールドの検出を行っているが、フレーム静止画検出結果ｓｔｌ１が‘０’（フレーム動画）、かつ、フィールド静止画検出結果ｆｉｌｓｔｌ２が‘１’（フィールド静止画）、かつ、フィールド動画連続数ｆｉｌｃｎｔが‘１’（すなわち、フィールド静止画後のフィールド動画。）となる３条件を満たすフィールドを検出することにより、２−２シーケンスの条件を検出することもできる。
【０１４８】
シーケンス位相検出手段１６６には、シーケンス条件検出手段１６５からの２−２シーケンス条件検出結果ｄｅｔｆｌ２が入力され、２フィールド単位で繰り返す２−２シーケンスの位相を検出し、２フィールドのシーケンス位相を示すカウント値ｓｅｑ２と２−２位相フラグｔｃｆ２２とを出力する。
【０１４９】
シーケンス位相検出手段１６６内のシーケンス位相生成手段１７１には、シーケンス条件検出手段１６５からの２−２シーケンス条件検出結果ｄｅｔｆｌ２が入力される。シーケンス位相生成手段１７１は、フィールド毎で２フィールド周期となる‘０’、‘１’の繰り返し信号を生成し、２−２シーケンス条件検出結果ｄｅｔｆｌ２に基づき、繰り返しの周期カウンタのセットを行う。すなわち、シーケンス位相生成手段１７１は、フィールドごとで‘０’、‘１’を繰り返してカウントし、２−２シーケンス条件検出結果ｄｅｔｆｌ２が‘１’であるときには、２−２プルダウン信号における２フィールドに一度のフィールド静止画となるフィールドであるとして、カウント値ｓｅｑ２を‘１’へセットすることで、カウント値ｓｅｑ２を生成して出力する。フィールドごとで‘０’、‘１’を繰り返すので、カウント値ｓｅｑ２は、常に‘０’、‘１’、‘０’、‘１’、・・・を繰り返し、２−２シーケンス条件検出結果ｄｅｔｆｌ２が‘１’となる際には、カウント値ｓｅｑ２は‘１’となる。なお、シーケンス位相生成手段１７１から出力するカウント値ｓｅｑ２は、２−２シーケンス条件検出結果ｄｅｔｆｌ２が‘１’である場合に‘１’へセットするとしたが、‘０’へセットしてもよく、また、フィールドで繰り返すカウント値であれば、他の値であってもよい。
【０１５０】
シーケンス位相生成手段１７１のカウント値ｓｅｑ２は、２フィールド単位で繰り返しており、２−２プルダウン信号においては、２フィールドごとのフィールド静止画となるフィールドに同期してセットされているので、２フィールドの繰り返しシーケンス、すなわち、２−２シーケンスの位相を示すことになる。そして、２−２シーケンスの位相であるカウント値ｓｅｑ２は、補間位相フラグ生成手段１７２へ送られる。また、カウント値ｓｅｑ２は、解除検出手段１６８における位相判定手段１７６と比較手段１７７、及び出現頻度検出手段６２へも出力される。
【０１５１】
シーケンス位相検出手段１６６内の補間位相フラグ生成手段１７２は、シーケンス位相生成手段１７１からのカウント値ｓｅｑ２が入力され、テレシネ補間における同一フレームから変換されたフィールドの方向を示す２−２位相フラグｔｃｆ２２を生成する。シーケンス位相生成手段１７１からのカウント値ｓｅｑ２は、２フィールド単位で繰り返す信号となっており、２−２プルダウンの位相に同期している。よって、カウント値ｓｅｑ２により、補間時のフィールド方向を示すように、例えば、時間的に前のフィールドからテレシネ補間をするフィールド位相においては、２−２位相フラグｔｃｆ２２を‘１’とし、時間的に後ろのフィールドからテレシネ補間をするフィールドにおいては、２−２位相フラグｔｃｆ２２を‘０’とする。これは、上記の２−３フィールドシーケンス検出手段５１内の補間位相フラグ生成手段１３４から出力される２−３位相フラグｔｃｆ２３と同一の設定による補間時のフィールド位相を示す値としており、したがって、テレシネ補間時は２−３プルダウン及び２−２プルダウンの区別なく、同様の処理を行うことができる。なお、２―２位相フラグｔｃｆ２２の値についても、上記したものに限らず、前のフィールドからのテレシネ補間の場合と後ろのフィールドからのテレシネ補間の場合を区別できる値であれば、他の値であってもよい。補間位相フラグ生成手段１７２による２−２位相フラグｔｃｆ２２は、プルダウン判定手段１７へと送られる。
【０１５２】
次に、解除検出手段１６８には、静止画検出手段１６１からのフレーム静止画検出結果ｆｒｓｔｌと、フィールド静止画検出手段１６３からのフィールド静止画検出結果ｆｉｌｓｔｌ２と、動画フィールドカウンタ１６４からの前フィールドまでのフィールド動画連続数ｆｉｌｃｎｔ２と、フレーム間相関検出手段１１からのフレーム間動画素累積値ｍｖｆｒ及び動画素累積差分値ｄｆｍｖｆｒとが入力される。さらには、解除検出手段１６８には、シーケンス位相生成手段１７１からのカウント値ｓｅｑ２が入力される。解除検出手段１６８は、入力される各信号に基づいて、入力映像信号が２−２シーケンスの条件を満たしていない場合を検出し、２−２シーケンスの条件を満たさない場合に、２−２シーケンス検出信号の解除を行う（すなわち、入力映像信号が２−２シーケンスではないとする）ための解除信号ｒｓｔ２を生成し出力する。以下、解除検出手段１６８内の各ブロックについて説明する。
【０１５３】
解除検出手段１６８内の動画連続検出手段１７５には、静止画検出手段１６１からのフレーム静止画検出結果ｆｒｓｔｌと、フィールド静止画検出手段１６３からのフィールド静止画検出結果ｆｉｌｓｔｌ２と、動画フィールドカウンタ１６４からのフィールド動画連続数ｆｉｌｃｎｔ２とが入力される。動画連続検出手段１７５は、フレーム静止画検出結果ｆｒｓｔｌが‘０’（フレーム動画）であって、フィールド静止画検出結果ｆｉｌｓｔｌが‘０’（フィールド動画）であり、かつ、フィールド動画連続数ｆｉｌｃｎｔ２が‘１’である場合を検出し、検出結果を出力する。２−２プルダウン信号においては、１フレームを２フィールドに順次対応させ変換しており、フィールド動画の次のフィールドは常にフィールド静止画となるので、フィールド動画となるフィールドの連続は２フィールド以上とならない。したがって、フィールド静止画検出結果ｆｉｌｓｔｌ２により検出フィールドが動画（すなわち、ｆｉｌｓｔｌ２＝０）で、前フィールドまでのフィールド動画連続数ｆｉｌｃｎｔが‘１’（すなわち、ｆｉｌｃｎｔ＝１）であれば、２フィールド連続してフィールド動画が連続したことになる。また、動画時は、フレーム静止画検出結果ｆｒｓｔｌも‘０’（フレーム動画）である。このため、フレーム静止画検出結果ｆｒｓｔｌが‘０’であって、フィールド静止画検出結果ｆｉｌｓｔｌが‘０’（フィールド動画）、かつ、フィールド動画連続数ｆｉｌｃｎｔが‘１’である場合には、２−２シーケンス検出信号の解除を示す信号として、例えば、‘１’となる検出結果を出力し、解除信号生成手段１７９へと送る。
【０１５４】
解除検出手段１６８内の位相判定手段１７６には、静止画検出手段１６１からのフレーム静止画検出結果ｆｒｓｔｌと、フィールド静止画検出手段１６３からのフィールド静止画検出結果ｆｉｌｓｔｌ２と、動画フィールドカウンタ１６４からのフィールド動画連続数ｆｉｌｃｎｔ２と、シーケンス位相生成手段１７１からのカウント値ｓｅｑ２が入力される。位相判定手段１７６は、２−２シーケンスの２フィールドに一度のフィールド静止画となるフィールド位置において、検出されるべきシーケンス条件とならないフィールド（例えば、フィールド動画）が存在することを検出する。位相判定手段１７６は、２−２シーケンス位相に同期したカウント値ｓｅｑ２の１周期である２フィールドのフィールド静止画となる位置において（すなわち、カウント値ｓｅｑ２が‘１’、ｓｅｑ２＝１のとき）、フレーム静止画検出結果ｆｒｓｔｌが‘０’（フレーム動画）であって、フィールド静止画検出結果が‘０’（フィールド動画）であり、フィールド動画連続数ｆｉｌｃｎｔ２が‘０’である場合を検出し、検出結果ｄｐｈ２を出力する。つまり、２−２プルダウン信号においては２フィールドに１回、フィールド静止画となるが、そのフィールドにおいて、フィールド静止画検出結果ｆｉｌｓｔｌ２により検出フィールドがフィールド動画（すなわち、ｆｉｌｓｔｌ＝０）であり、２−２シーケンスの条件を満たさない場合は、２−２シーケンスから位相がはずれたことになる。よって、２−２プルダウン信号における２フィールドに１回あるフィールド静止画の位置で、フレーム静止画検出結果ｆｒｓｔｌが‘０’（フレーム動画）であって、フィールド静止画検出結果ｆｉｌｓｔｌが‘０’（フィールド動画）であり、フィールド動画連続数ｆｉｌｃｎｔ２が‘０’である場合には、２−２シーケンス検出信号の解除を示す信号として、例えば、‘１’となる検出結果ｄｐｈ２を出力し、解除信号生成手段１７９へと送る。
【０１５５】
なお、位相判定手段１７６での２−２シーケンスから位相がはずれたことの判定は、フレーム静止画検出結果ｆｒｓｔｌと、フィールド静止画検出結果ｆｉｌｓｔｌと、フィールド動画連続数ｆｉｌｃｎｔ２とから行うとしたが、位相がはずれた条件として、フレーム静止画検出結果ｆｒｓｔｌが‘０’（フレーム動画）、かつ、フィールド静止画検出結果が‘０’（フィールド動画）である場合として、２−２シーケンス検出信号の解除を示す検出結果ｄｐｈ２を出力してもよい。
【０１５６】
解除検出手段１６８内の比較手段１７７には、フレーム間相関検出手段１１からの動画素累積差分値ｄｆｍｖｆｒと、シーケンス位相生成手段１７１からのカウント値ｓｅｑ２が入力される。比較手段１７７は、２−２シーケンスの２フィールドに一度のフィールド静止画となるフィールド位置において、動画素累積差分値ｄｆｍｖｆｒが所定の閾値より大きな値となるフィールドを検出する。すなわち、比較手段１７７は、カウント値ｓｅｑ２が２フィールド周期のフィールド静止画となる‘１’（すなわち、ｓｅｑ２＝１）の場合、フレーム間相関検出手段１１からの動画素累積差分値ｄｆｍｖｆｒを所定の閾値ＳＱＴＨと比較する。カウント値ｓｅｑ２が‘１’で、動画素累積差分値ｄｆｍｖｆｒが所定の閾値ＳＱＴＨより大きい場合は、比較結果ｓｑｏｆの値を‘１’（ｓｑｏｆ＝１）とし、それ以外の場合は、比較結果ｓｑｏｆの値を‘０’（ｓｑｏｆ＝０）とする。２−２プルダウン信号の同一フレームから変換された隣接するフィールド間においては、動画素累積差分値ｄｆｍｖｆｒが比較的小さな値となるので、２フィールド周期のフィールド静止画となる位置で動画素累積差分値ｄｆｍｖｆｒが所定の閾値ＳＱＴＨより大きな値となる場合は、２−２シーケンスから位相がはずれたことになる。よって、２−２シーケンス検出信号の解除を示す信号として、比較結果ｓｑｏｆを解除信号生成手段１７９へと送る。
【０１５７】
一方、解除検出手段１６８内のシーンチェンジ検出手段１７８には、フレーム間相関検出手段１１からのフレーム間動画素累積値ｍｖｆｒが入力される。シーンチェンジ検出手段１７８は、フレーム間動画素累積値ｍｖｆｒと所定の閾値ＳＴＨ２を比較し、この比較結果に基づいてそのフィールドにおけるシーンチェンジを検出する。このシーンチェンジ検出手段１７８の動作は、上記２−３フィールドシーケンス検出手段５１内におけるシーンチェンジ検出手段１４３での動作と同様であるが、シーンチェンジ検出手段１７８は、フレーム間動画素累積値ｍｖｆｒが所定の閾値ＳＴＨ２より大きい場合は、そのフィールドでシーンチェンジがあったとして、シーンチェンジ検出結果ｓｃｈ２を‘１’として出力し、それ以外の場合はシーンチェンジ検出結果ｓｃｈを‘０’として出力する。シーンチェンジ検出結果ｓｃｈ２は、解除信号生成手段１７９へ出力される。
【０１５８】
解除検出手段１６８内の解除信号生成手段１７９には、動画連続検出手段１７５からの動画連続検出結果と、位相判定手段１７６からの検出結果ｄｐｈ２と、比較手段１７７からの比較結果ｓｑｏｆと、シーンチェンジ検出手段１７８からのシーンチェンジ検出結果ｓｃｈ２とが入力される。解除信号生成手段１７９は、２−２プルダウン信号からの切換わりや位相ずれが起こった場合や、２−２シーケンスの条件を満たさない場合に、２−２シーケンス検出信号の解除を行う（すなわち、入力映像信号が２−２シーケンスではないとする）ための解除信号を、入力された各検出結果のいずれかに基づき生成する。例えば、動画連続検出手段１７５からの動画連続検出結果と、位相判定手段１７６からの検出結果ｄｐｈ２と、比較手段１７７の比較結果ｓｑｏｆ及びシーンチェンジ検出手段１７８からのシーンチェンジ検出結果ｓｃｈ２の中から、いずれか１つ以上の検出結果が‘１’となった場合に、解除信号ｒｓｔ２を‘１’とし、解除しない場合は解除信号ｒｓｔ２を‘０’とする。この場合は、フィールド動画が２フィールド連続した場合と、フィールド静止画となる位相でフィールド動画が検出され位相がずれた場合と、フィールド静止画となるフィールドで動画素累積差分値ｄｆｍｖｆｒが大きな値となる場合、シーンチェンジが検出された場合のいずれかにおいて、解除信号ｒｓｔ２を‘１’とする。
【０１５９】
なお、解除信号生成手段１７９における解除信号ｒｓｔ２の生成は、上記条件に限られるものではなく、例えば、動画連続検出手段１７５からの動画連続検出結果と、位相判定手段１７６からの検出結果ｄｐｈ２と、比較手段１７７の比較結果ｓｑｏｆ及びシーンチェンジ検出手段１７８からのシーンチェンジ検出結果ｓｃｈ２の中から、予め決められた検出結果の組み合わせにおいてそれぞれの検出結果が‘１’となった場合、さらには、いずれか２つ以上の検出結果が’１’となった場合に、解除信号ｒｓｔ２を‘１’として出力するよう構成してもよい。また、動画連続検出手段１７５からの動画連続検出結果と、位相判定手段１７６からの検出結果ｄｐｈ２とにより、フィールド動画が２フィールド連続した場合と、フィールド静止画となる位相でフィールド動画が検出され位相がずれた場合に、解除信号ｒｓｔ２を‘１’として出力する条件として設定することもできる。
【０１６０】
シーケンス判定手段１６７には、シーケンス条件検出手段１６５からの２−２シーケンス条件検出結果ｄｅｔｆｌ２と、解除検出手段１６８内の解除信号生成手段１７９による解除信号ｒｓｔ２が入力される。シーケンス判定手段１６７は、２−２シーケンス条件検出結果ｄｅｔｆｌ２から、２−２シーケンス条件の繰り返しを検出して、２−２シーケンスであるか否かを判定し、２−２シーケンス検出結果を示す２−２シーケンス検出信号ｔｃｉ１を出力する。以下に、シーケンス判定手段１６７を構成する各ブロックについて説明する。
【０１６１】
シーケンス判定手段１６７内のシーケンス起動カウンタ１７３には、シーケンス条件検出手段１６５からの２−２シーケンス条件検出結果ｄｅｔｆｌ２と、リセット信号として解除検出手段１６８内の解除信号生成手段１７９による解除信号ｒｓｔ２が入力される。シーケンス起動カウンタ１７３は、２−２シーケンス条件検出結果ｄｅｔｆｌ２に基づき、２−２シーケンス条件を満たすフィールドが検出された場合、すなわち、２フィールドの２−２シーケンスを検出した場合をカウントする。シーケンス起動カウンタ１７３は、解除信号生成手段１７９からの解除信号ｒｓｔ２が‘１’（ｒｓｔ２＝１）となった場合は、２−２シーケンスのカウント値ｏｎｃｎｔ２をゼロへリセットする。すなわち、シーケンス起動カウンタ１７３は、２−２シーケンス条件検出結果ｄｅｔｆｌ２の値が‘１’の場合には、２−２プルダウン信号の２フィールドのシーケンス条件を検出しており、２−２シーケンス条件検出結果ｄｅｔｆｌ２の値が‘１’となるフィールドの繰り返し回数をカウントする。シーケンス起動カウンタ１７３は、解除信号生成手段１７９からの解除信号ｒｓｔ２として‘１’が入力された場合は、入力映像信号が２−２プルダウン信号ではないとしてカウント値をゼロとし、解除信号ｒｓｔ２によるリセット後は、再び上記の２−２シーケンス条件検出結果ｄｅｔｆｌ２の値が‘１’となるフィールドの入力を待ち、‘０’からシーケンスの繰り返し回数のカウントを開始する。そして、シーケンス起動カウンタ１７３による２−２シーケンスのカウント値ｏｎｃｎｔ２は、シーケンス検出信号生成手段１７４へと出力される。
【０１６２】
シーケンス検出信号生成手段１７４には、シーケンス起動カウンタ１７３からの２−２シーケンスのカウント値ｏｎｃｎｔ２が入力される。シーケンス検出信号生成手段１７４は、シーケンス起動カウンタ１７３からの２−２シーケンスカウント値ｏｎｃｎｔ２と、所定の閾値（起動カウント値と呼ぶ。）ＴＨ２を比較し、２−２シーケンスカウント値ｏｎｃｎｔ２が、起動カウント値ＴＨ２以上になったとき、すなわち、２フィールドの２−２シーケンスが所定の回数連続して検出されたときに、２−２シーケンス検出結果を示す検出信号ｔｃｉ１を‘１’とし、２−２シーケンスカウント値ｏｎｃｎｔ２が起動カウント値ＴＨ２より小さいときは検出信号ｔｃｉ１を‘０’として出力する。２−２シーケンス検出信号ｔｃｉ１が‘０’の場合は、２−２シーケンスがカウントされない（２−２プルダウン信号でない）場合や検出されるまでの間、シーケンスカウント値がゼロへリセットされた場合などである。上記起動カウント値ＴＨ２は、入力映像信号が２−２シーケンスであると検出するまでのシーケンスの繰り返し回数を設定し、２−２シーケンス検出信号ｔｃｉ１を起動するまでのカウント値である。なお、２−２シーケンス検出信号の値は、これに限らず、２−２シーケンスを所定回数以上連続して検出している場合とそれ以外の場合を判別できれる値であれば、他の値であってもよい。シーケンス検出信号生成手段１７４からの出力である２−２シーケンス検出信号ｔｃｉ１は、２−２予測制御手段６３へと出力される。
【０１６３】
次に、図１２において、２−２シーケンス検出手段１６内の出現頻度検出手段６２には、２−２フィールドシーケンス検出手段６１から出力される２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２が入力され、また、出現頻度検出手段６２には、フレーム間相関検出手段１１からの動画素累積差分値ｄｆｍｖｆｒが入力される。出現頻度検出手段６２は、入力映像信号のシーケンスを監視し、２−２シーケンスの出現頻度を検出することで、２−２シーケンスの条件を満たす映像信号であるか否か（すなわち、２−２プルダウン信号であることの確からしさ）を判定する。
【０１６４】
図１７は、実施の形態１における出現頻度検出手段６２の構成の一例を示すブロック図である。図１７では、出現頻度検出手段６２に対し、２−２フィールドシーケンス検出手段６１から出力される２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２を入力としている。しかし、出現頻度検出手段６２内に、２−２フィールドシーケンス検出手段６１における２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２を得るための同様の手段を持つよう構成することもできる。この場合は、フレーム間相関検出手段１１からのフレーム間動画素累積値ｍｖｆｒ及び動画素累積差分値ｄｆｍｖｆｒと、フィールド間相関検出手段１２からのフィールド間動画素累積値ｍｖｆｉｌとを入力とし、出現頻度検出手段６２内で２−２シーケンス検出の条件検出することになる。
【０１６５】
以下の説明においては、出現頻度検出手段６２が、２−２フィールドシーケンス検出手段６１から出力される２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２を入力とする場合を説明する。
【０１６６】
図１７に示されるように、実施の形態１の２−２シーケンス検出手段１６内の出現頻度検出手段６２は、シーケンス判定回数検出手段１８１と、予測制御フラグ生成手段１８２を有している。シーケンス判定回数検出手段１８１は、入力映像信号での２−２シーケンスの条件を比較的長い時間（フィールド）にわたって監視し、２−２シーケンスと判定される回数をカウントする。シーケンス判定回数検出手段１８１は、出現頻度カウンタ１８３と、比較手段１８４と、カウント値調整手段１８５とから構成される。また、予測制御フラグ生成手段１８２は、シーケンス判定回数検出手段１８１から出力されるカウント値ｔｃ１を所定の閾値ＰＴＨ２と比較し、この比較結果を２−２プルダウン信号であることの確からしさを示す指標である予測制御信号ｔｃｉｆｌｇ１として出力する（すなわち、２−２プルダウン信号であることの確からしさを判定し、判定結果を出力する）。
【０１６７】
まず、シーケンス判定回数検出手段１８１には、２−２フィールドシーケンス検出手段５１から出力される２−２シーケンス条件検出結果ｄｅｔｆｌ２、フレーム静止画検出結果ｆｒｓｔｌ、フィールド静止画検出結果ｆｉｌｓｔｌ２、及び２−２シーケンスの位相カウント値ｓｅｑ２が入力され、また、フレーム間相関検出手段１１からの動画素累積差分値ｄｆｍｖｆｒも入力される。シーケンス判定回数検出手段１８１は、入力映像信号における２−２シーケンスの条件を比較的長いフィールドにわたって監視し、２−２シーケンスと判定される回数をカウントする。シーケンス判定回数検出手段１８１は、２−２シーケンス条件が検出される場合は所定の値を加算し、一方、２フィールドごとで２−２シーケンス条件が検出されず、２−２シーケンスと判定されない場合は、カウント値から所定の値を減算する。
【０１６８】
シーケンス判定回数検出手段１８１内の比較手段１８４には、フレーム間相関検出手段１１からの動画素累積差分値ｄｆｍｖｆｒが入力される。比較手段１８４は、動画素累積差分値ｄｆｍｖｆｒを所定の閾値ＯＦＴＨと比較する。比較手段１８４は、動画素累積差分値ｄｆｍｖｆｒが所定の閾値ＯＦＴＨより大きい場合は、比較結果ｄｆｒの値を‘１’（ｄｆｒ＝１）とし、それ以外の場合は、比較結果ｄｆｒの値を‘０’（ｄｆｒ＝０）として、シーケンス判定回数検出手段１８１内の出現頻度カウンタ１８３へと出力する。
【０１６９】
シーケンス判定回数検出手段１８１内の出現頻度カウンタ１８３には、２−２フィールドシーケンス検出手段６１からの２−２シーケンス条件検出結果ｄｅｔｆｌ２と、フレーム静止画検出結果ｆｒｓｔｌ、フィールド静止画検出結果ｆｉｌｓｔｌ２、及び２−２シーケンスの位相カウント値ｓｅｑ２が入力され、また、比較手段１８４からの比較結果ｄｆｒと、カウント値調整手段１８５において設定された設定値とが入力される。
【０１７０】
出現頻度カウンタ１８３は、２−２シーケンス条件検出結果ｄｅｔｆｌ２、フレーム静止画検出結果ｆｒｓｔｌ、フィールド静止画検出結果ｆｉｌｓｔｌ２、２−２シーケンスの位相カウント値ｓｅｑ２、及び比較結果ｄｆｒに基づいて、所定値Ａｄ２を加算又は所定値Ｓｕ２を減算するアップダウンカウンタである。出現頻度カウンタ１８３は、入力映像信号における２−２シーケンス条件を比較的長い時間（フィールド）にわたって監視し、２−２シーケンスと判定される回数をカウントする。出現頻度カウンタ１８３は、２−２シーケンスの条件となるフィールドが検出された場合、すなわち、２−２シーケンス条件検出結果ｄｅｔｆｌ２が‘１’のときは、カウント値ｔｃ１に所定値Ａｄ２を加算する（すなわち、ｔｃ１←ｔｃ１＋Ａｄ２）。２フィールド目の位相（すなわち、２−２シーケンス位相カウント値ｓｅｑ２が‘１’であり、２フィールドに一度のフィールド静止画のフィールド位置）であっても、フレーム静止画検出結果ｆｒｓｔｌが‘０’（フレーム動画）、かつ、フィールド静止画検出結果が‘０’（フィールド動画）である場合か、又は、比較手段１８４からの比較結果ｄｆｒが‘１’となる（動画素累積差分値ｄｆｍｖｆｒが大きな値となる）場合で、２−２シーケンスと判定されないときに、カウント値ｔｃ１から所定値Ｓｕ２を減算する（すなわち、ｔｃ１←ｔｃ１−Ｓｕ２）。その他の場合は、上記２−２シーケンス条件検出結果ｄｅｔｆｌ２が‘０’で、２−２シーケンス条件を検出されなくても、カウント値ｔｃ１の加減算を行わない（すなわち、ｔｃ１←ｔｃ１±０）。
【０１７１】
なお、２−２シーケンスと判定せず、カウント値ｔｃ１から所定値Ｓｕ２を減算する場合の条件は、２フィールド目の位相（ｓｅｑ２＝１）であっても、フレーム静止画検出結果ｆｒｓｔｌが‘０’（フレーム動画）、かつ、フィールド静止画検出結果が‘０’（フィールド動画）である場合のみとしてもよい。この場合は、２フィールド目の位相（ｓｅｑ２＝１）で比較手段１８４からの比較結果ｄｆｒが‘１’となる場合は、カウント値ｔｃ１の加減算を行わない（すなわち、ｔｃ１←ｔｃ１±０）こととなる。
【０１７２】
カウント値調整手段１８５は、出現頻度カウンタ１８３におけるカウントでの加算値Ａｄ２と減算値Ｓｕ２のバランス比を調整するもので、例えば、加算値Ａｄ２を‘１’とした際の減算値Ｓｕ２に相当する値を、出現頻度カウンタ１８３へと出力する。２−２シーケンスと判定する場合の加算値Ａｄ２に対し、２−２シーケンスと判定されない場合の減算値Ｓｕ２を大きくすることで、シーケンスの判定回数のカウントにおける上下の変動幅が調整される。すなわち、このカウント値調整手段１８５で設定する加算値Ａｄ２と減算値Ｓｕ２のバランス比により、２−２シーケンスと判定される度合いを調整することができる。出現頻度カウンタ１８３におけるカウントでの加算値及び減算値は、カウント値調整手段１８５からの値に基づき設定される。
【０１７３】
出現頻度カウンタ１８３におけるシーケンス判定回数であるカウント値（出現頻度カウント値）ｔｃ１は、予測フラグ生成手段１８２へと送られる。
【０１７４】
次に、予測フラグ生成手段１８２は、シーケンス判定回数検出手段１８１からの出現頻度カウント値ｔｃ１を受け取り、２−２プルダウン信号であることの確からしさを判定し、確からしいと判定されるか否かを示す予測制御フラグｔｃｉｆｌｇ１を出力する。
【０１７５】
予測制御フラグ生成手段１８２には、出現頻度カウンタ１８３から出力される出現頻度カウント値ｔｃ１が入力される。予測制御フラグ生成手段１８２は、出現頻度カウンタ１８３からの出現頻度カウント値ｔｃ１と所定の閾値（有効カウント値）ＰＴＨ２を比較し、２−２プルダウン信号であることの確からしさを判定する。すなわち、予測制御フラグ生成手段１８２は、出現頻度カウント値ｔｃ１と有効カウント値ＰＴＨ２を比較し、出現頻度カウント値ｔｃ１が有効カウント値ＰＴＨ２以上になったとき、２−２プルダウン信号であると判定し、予測制御フラグｔｃｉｆｌｇ１を‘１’とする。予測制御フラグ生成手段１８２は、出現頻度カウント値ｔｃ１が有効カウント値ＰＴＨ２より小さい場合は、２−２プルダウン信号らしくないと判定し、予測制御フラグｔｃｉｆｌｇ１は生成せず、予測制御フラグｔｃｉｆｌｇ１を‘０’とする。そして、予測制御フラグ生成手段１８２からの出力である予測制御フラグｔｃｉｆｌｇ１は、２−２予測制御手段６３へと出力される。
【０１７６】
なお、予測制御フラグ生成手段１８２における有効カウント値ＰＴＨ２は、出現頻度カウンタ１８３から出力される出現頻度カウント値ｔｃ１に対し、２−２プルダウン信号であると判定するまでの出現頻度（２−２シーケンス判定回数）を設定し、２−２プルダウン信号であることの確からしさを判定するためのカウント値である。この有効カウント値ＰＴＨ２により、２−２プルダウン信号と判定するまでの時間を調整することになる。
【０１７７】
次に、図１２において、２−２シーケンス検出手段１６内の２−２予測制御手段６３には、２−２フィールドシーケンス検出手段６１からの出力である２−２シーケンス検出信号ｔｃｉ１と、出現頻度検出手段６２から出力される予測制御フラグｔｃｉｆｌｇ１が入力される。２−２予測制御手段６３は、出現頻度検出手段６２において判定された２−２プルダウン信号であることの確からしさを示す予測制御フラグｔｃｉｆｌｇ１に基づき、２−２フィールドシーケンス検出手段６１における２−２シーケンスの検出結果を制御し、２−２プルダウン信号の検出を示す２−２プルダウン検出信号ｔｃｉ２２を出力する。図１２に示されるように、２−２予測制御手段６３は、２−２フィールドシーケンス検出手段６１での２−２シーケンス検出結果ｔｃｉ１を制御する切換手段６４を有している。
【０１７８】
２−２予測制御手段６３内の切換手段６４は、２−２フィールドシーケンス検出手段６１からの出力である２−２シーケンス検出信号ｔｃｉ１と、出現頻度検出手段６２から出力される予測制御フラグｔｃｉｆｌｇ１が入力され、出現頻度検出手段６２からの予測制御フラグｔｃｉｆｌｇ１に基づき、２−２フィールドシーケンス検出手段６１からの２−２シーケンス検出信号ｔｃｉ１と固定信号を切り換える。切換手段６４は、予測制御フラグｔｃｉｆｌｇ１が‘１’として入力される場合は、２−２プルダウン信号であると判定し、２−２フィールドシーケンス検出手段６１による２−２シーケンス検出信号ｔｃｉ１を選択し、２−２プルダウン信号の検出を示す２−２プルダウン検出信号ｔｃｉ２２として出力する。一方、切換手段６４は、予測制御フラグｔｃｉｆｌｇ１が‘０’の場合は、２−２プルダウン信号らしくないと判定された場合又は２−２プルダウン信号らしいと判定されるまでのフィールド期間（出現頻度カウント値ｔｃ１が有効カウント値ＰＴＨ２以上となるまでの時間）であり、２−２フィールドシーケンス検出手段６１による２−２シーケンス検出信号ｔｃｉ１は選択せず、固定信号ｔｃｉ２２（値‘０’）を選択する。このとき、２−２シーケンス検出信号ｔｃｉ１が、一時的に通常の２−２シーケンスの条件を満たしており、２−２シーケンス検出信号ｔｃｉ１が‘１’であっても、テレシネ補間処理が起動はされないこととなる。
【０１７９】
そして、２−２予測制御手段６３により制御された２−２プルダウン信号の検出を示す２−２プルダウン検出信号ｔｃｉ２２は、２−２フィールドシーケンス検出手段６１からの２−２位相フラグｔｃｆ２２とともに、プルダウン判定手段へ送られる。
【０１８０】
次に、図１におけるプルダウンシーケンス検出手段１４内のプルダウン判定手段１７について、構成を説明する。
【０１８１】
プルダウン判定手段１７には、２−３シーケンス検出手段１５からの２−３プルダウン検出信号ｔｃｉ２３と２−３位相フラグｔｃｆ２３、２−２シーケンス検出手段１６からの２−２プルダウン検出信号ｔｃｉ２２と２−２位相フラグｔｃｆ２２が入力され、また、テレシネ検出手段６内のフィールド解像度判定手段１３からの高域画素累積値ｆｉｌｈｖが入力される。プルダウン判定手段１７は、２−３シーケンス検出手段１５からの２−３プルダウン検出信号ｔｃｉ２３と２−３位相フラグｔｃｆ２３、２−２シーケンス検出手段１６からの２−２プルダウン検出信号ｔｃｉ２２と２−２位相フラグｔｃｆ２２に基づき、入力映像信号がテレシネ映像信号（２−３プルダウン信号又は２−２プルダウン信号のいずれか）であるか否かを検出し、テレシネ検出信号ｔｃｉとシーケンスの補間位相フラグｔｃｆを出力する。また、フィールド解像度判定手段１３からの高域画素累積値ｆｉｌｈｖにより、上記補間信号生成手段１１０における混合手段８で用いる補間信号の混合比を示す混合比信号ｔｃｍｉｘを生成し、出力する。
【０１８２】
図１８は、実施の形態１におけるプルダウンシーケンス検出手段１４内のプルダウン判定手段１７の一構成例を示すブロック図である。図１８において、実施の形態１のプルダウン判定手段１７は、テレシネ判定手段１９１と、位相フラグ選択手段１９２と、補間混合比変換手段１９３と、混合比切換手段１９４とを有している。上記補間混合比変換手段１９３は、例えば、非線形変換手段１９５と、クリップ手段１９６とから構成されている。
【０１８３】
図１８において、プルダウン判定手段１７内のテレシネ判定手段１９１には、２−３シーケンス検出手段１５からの２−３プルダウン検出信号ｔｃｉ２３と、２−２シーケンス検出手段１６からの２−２プルダウン検出信号ｔｃｉ２２が入力される。テレシネ判定手段１９１は、２−３プルダウン検出信号ｔｃｉ２３と２−２プルダウン検出信号ｔｃｉ２２とに基づき、入力映像信号がテレシネ映像信号であるか否か（すなわち、２−３プルダウン信号又は２−２プルダウン信号のいずれかであるか否か）を判定し、判定結果として、テレシネ検出信号ｔｃｉと、２−３プルダウン信号か２−２プルダウン信号かを区別するための識別信号ｐｄｉｄを生成し出力する。
【０１８４】
すなわち、テレシネ判定手段１９１は、２−３プルダウン検出信号ｔｃｉ２３と、２−２プルダウン検出信号ｔｃｉ２２とから、２−３プルダウン検出信号ｔｃｉ２３が‘１’であるか、２−２プルダウン検出信号ｔｃｉ２２が‘１’であるか、どちらか一方が‘１’であれば、入力映像信号がテレシネ映像信号であるとして、テレシネ映像信号の検出を示すテレシネ検出信号ｔｃｉを‘１’とし、ｔｃｉ２３とｔｃｉ２２のいずれも‘０’である場合は、テレシネ映像信号でないとしてテレシネ検出信号ｔｃｉを‘０’として出力する。テレシネ検出信号ｔｃｉが‘１’の場合は、２−３プルダウン信号又は２−２プルダウン信号いずれかが検出されている場合である。そして、テレシネ判定手段１９１は、２−３プルダウン検出信号ｔｃｉ２３と２−２プルダウン検出信号ｔｃｉ２２に基づき、変換したプルダウンの方式を識別するための識別信号ｐｄｉｄを生成するが、例えば、２−３プルダウン検出信号ｔｃｉ２３が‘１’である場合と、ｔｃｉ２３とｔｃｉ２２がいずれも‘１’又は‘０’である場合は、識別信号ｐｄｉｄの値を’０’として出力し、２−２プルダウン検出信号ｔｃｉ２２が‘１’である場合については、識別信号ｐｄｉｄの値を‘１’として出力する。この場合、２−３プルダウン検出信号ｔｃｉ２３が‘１’であり、かつ、２−２プルダウン検出信号ｔｃｉ２２も‘１’であるような映像信号の場合は、２−３プルダウン信号であるとして、識別信号ｐｄｉｄは、‘０’として出力される。すなわち、テレシネ映像信号の検出としては、２−３プルダウン検出の結果が優先されることになる。
【０１８５】
なお、識別信号ｐｄｉｄの生成は、２−２プルダウン検出の結果を優先し、例えば、２−２プルダウン検出信号ｔｃｉ２２が‘１’である場合と、ｔｃｉ２３とｔｃｉ２２いずれも‘１’又は‘０’である場合は、識別信号ｐｄｉｄの値を‘１’として出力し、２−３プルダウン検出信号ｔｃｉ２３が‘１’である場合については、識別信号ｐｄｉｄの値を‘０’として出力することもできる。この場合、２−３プルダウン検出信号ｔｃｉ２３が‘１’であり、かつ、２−２プルダウン検出信号ｔｃｉ２２も‘１’であるような映像信号の場合は、２−２プルダウン信号であるとして、識別信号ｐｄｉｄは‘１’として出力される。また、識別信号ｐｄｉｄの値は上記の値に限らず、２−３プルダウン信号か、２−２プルダウン信号かを区別することができる値であれば、他の値であってもよい。
【０１８６】
プルダウン判定手段１７内の位相フラグ選択手段１９２には、２−３シーケンス検出手段１５からの２−３位相フラグｔｃｆ２３と、２−２シーケンス検出手段１６からの２−２位相フラグｔｃｆ２２と、テレシネ判定手段１９１から出力される識別信号ｐｄｉｄが入力される。位相フラグ選択手段１９２は、テレシネ補間におけるシーケンスの位相を示す補間位相フラグｔｃｆ（例えば、前フィールドが同一フィールドとする場合ｔｃｆ＝１、後フィールドの場合はｔｃｆ＝０とする）を、識別信号ｐｄｉｄに基づき、２−３位相フラグｔｃｆ２３又は２−２位相フラグｔｃｆ２２から選択して、出力する。すなわち、例えば、識別信号ｐｄｉｄが‘１’を示す２−２プルダウン信号を検出する場合は、２−２位相フラグｔｃｆ２２を選択して、補間位相フラグｔｃｆとする。一方、位相フラグ選択手段１９２は、識別信号ｐｄｉｄが‘０’を示す場合は、２−３位相フラグｔｃｆ２３を選択して、補間位相フラグｔｃｆとする。
【０１８７】
プルダウン判定手段１７内の補間混合比変換手段１９３には、フィールド解像度判定手段１３からの高域画素累積値ｆｉｌｈｖが入力される。補間混合比変換手段１９３は、フィールド解像度判定手段１３からの高域画素累積値ｆｉｌｈｖから、１フィールド期間単位のフィールド内に存在する高域周波数成分の程度である解像度を判定して補間信号の混合比へ変換し、フィールド内に存在する高域周波数成分の程度に基づく変換後の混合比信号ｔｃｍを出力する。
【０１８８】
補間混合比変換手段１９３内の非線形変換手段１９５は、フィールド解像度判定手段１３からの高域画素累積値ｆｉｌｈｖを非線形変換し、補間信号の混合比へ変換する。非線形変換は、まず、高域画素累積値ｆｉｌｈｖから、所定の値ＨＢＳＵＢを減算して負の値をゼロとした後、減算結果に所定の値ＨＢＭＬＴを乗算する。
【０１８９】
補間混合比変換手段１９３内のクリップ手段１９６は、非線形変換手段１９５からの変換後の値を所定範囲内の値、すなわち、混合比を示す値となるようクリップする。したがって、クリップ手段１９６からは、高域画素累積値ｆｉｌｈｖを非線形変換した、所定の範囲内の混合比を示す混合比信号ｔｃｍが出力される。
【０１９０】
図１９は、補間混合比変換手段１９３において、高域画素累積値ｆｉｌｈｖ（横軸）に対する混合比信号ｔｃｍ（縦軸）への変換の特性を示す図であり、混合比信号ｔｃｍは、混合比率０〜１００（％）として出力する場合を示している。混合比信号ｔｃｍが値１００に近づくほど、フィールド内に存在する高域周波数成分の程度が大きく、高解像度と判定されたフィールドであり、補間信号生成手段１１０内の混合手段８において、テレシネ補間処理手段７からのテレシネ補間信号Ｉｔの比率を大きくする。これは、解像度が高いほど、テレシネ補間によるＩＰ変換の効果が得られるからである。一方、混合比信号ｔｃｍの値がゼロである場合は、フィールド内に存在する高域周波数成分の程度が小さく、低解像度と判定するフィールドであり、補間信号生成手段１１０内の混合手段８において、動き適応補間処理手段５からの補間信号Ｉｍを補間信号とする（すなわち、動き適応補間処理５による補間信号Ｉｍとテレシネ補間信号Ｉｔの比率１００：０）。これにより、低解像度と判定されたフィールドでは、フィールド間差分の誤判定が起こりやすいが、テレシネ補間信号Ｉｔと補間信号Ｉｍとを混合することで補間信号を得るので、コーミング現象による画質劣化を低減できる。
【０１９１】
なお、補間混合比変換手段１９３は、非線形変換手段１９５と、クリップ手段１９６とから、フィールド内に存在する高域周波数成分の程度に基づく補間信号の混合比を求める場合を説明したが、高域画素累積値ｆｉｌｈｖに基づき、ＲＯＭ（Ｒｅａｄ  Ｏｎｌｙ  Ｍｅｍｏｒｙ）などで構成することで、予め得られた変換により、混合比信号ｔｃｍを生成するようにしてもよい。
【０１９２】
プルダウン判定手段１７内の混合比切換手段１９４には、補間混合比変換手段１９３による混合比信号ｔｃｍと、テレシネ判定手段１９１からの識別信号ｐｄｉｄとが入力される。混合比切換手段１９４は、識別信号ｐｄｉｄに基づき、混合比信号ｔｃｍと固定信号ｆｔｃを切り換え、１フィールド期間単位の補間信号の混合比信号ｔｃｍｉｘを出力する。すなわち、混合比切換手段１９４は、識別信号ｐｄｉｄが‘１’で、２−２プルダウン信号を検出する場合は、混合比信号ｔｃｍを選択し、混合比信号ｔｃｍｉｘとして出力する。一方、混合比切換手段１９４は、識別信号ｐｄｉｄが‘０’を示す場合は、２−３プルダウン信号又はテレシネ映像信号以外の場合であり、テレシネ補間信号Ｉｔの比率を１００％として、混合比信号ｔｃｍｉｘとして固定値‘１００’を出力する。すなわち、上述の２−３シーケンス検出手段１５及び２−２シーケンス検出手段１６の構成で説明したように、２−２プルダウン信号を検出する際は、フィールド差分情報の周期を基本としシーケンスを検出しており、２−３プルダウン信号については、フレーム差分情報の周期によりシーケンスを検出できる。フィールド間差分の誤判定による画質劣化を低減するため、２−２プルダウン信号の検出時においてのみ、混合比信号ｔｃｍｉｘを用いるよう構成する。
【０１９３】
そして、プルダウン判定手段１７内の位相フラグ選択手段１９２からの出力であるシーケンスの補間位相フラグｔｃｆは、補間信号生成手段１１０内のテレシネ補間処理手段７へと出力される。テレシネ補間処理手段７は、補間位相フラグｔｃｆに基づき、テレシネ補間を行い、テレシネ補間信号Ｉｔを出力する。
【０１９４】
プルダウン判定手段１７内のテレシネ判定手段１９１からの出力であるテレシネ検出信号ｔｃｉと、混合比切換手段１９４からの混合比信号ｔｃｍｉｘは、補間信号生成手段１１０内の混合手段８へと送られる。テレシネ判定手段１９１により、テレシネ検出信号ｔｃｉが‘０’で、テレシネ映像信号でないことを示す場合は、図１の混合手段８においては、通常の映像信号であるとして、混合比信号ｔｃｍｉｘがいずれの値であっても、動き適応補間処理手段５からの補間信号Ｉｍが補間信号Ｉとして選択される。テレシネ検出信号ｔｃｉが‘１’で、テレシネ映像信号であることを示す場合は、混合手段８は、混合比信号ｔｃｍｉｘによる混合比に基づき、補間信号Ｉｍとテレシネ補間信号Ｉｔを混合し、補間信号Ｉとする。混合比切換手段１９４において、２−２プルダウン信号を検出する場合は、混合比信号ｔｃｍを選択しているので、補間は混合比信号ｔｃｍｉｘによる混合比に基づく混合信号となる。一方、２−３プルダウン信号の場合は、混合比信号ｔｃｍｉｘは固定値‘１００’として出力されているので、補間信号Ｉはテレシネ補間信号Ｉｔによる値の信号となる。
【０１９５】
次に、実施の形態１による映像信号処理装置において、テレシネ検出手段６内のプルダウンシーケンス検出手段１４でのテレシネ映像信号を検出する動作、補間信号生成手段１１０での動作について具体的に説明する。まず、２−３プルダウン信号が、入力映像信号Ｉａ０として入力端子１００から入力された場合の動作について説明する。
【０１９６】
図２０（ａ）から（ｃ）までは、２−３プルダウン変換を説明するための図であり、同図（ａ）は２４コマ／秒のフィルム映像、同図（ｂ）は２−３プルダウン信号、同図（ｃ）はフィールド番号を示す。図２０（ａ）から（ｃ）までに示されるように、映画フィルムなどの信号の第１フレームＡが映像信号の第１及び第２フィールドＡｔ，Ａｂに対応し、第２フレームＢが映像信号の第３から第５フィールドのＢｔ，Ｂｂ，Ｂｔに対応し、第３フレームＣが映像信号の第６及び第７フィールドＣｂ，Ｃｔに、第４フレームＤが映像信号の第８から第１０フィールドのＤｂ，Ｄｔ，Ｄｂに対応するよう変換される。なお、図中の添字ｔは、相対的に上ラインのフィールドとなるトップフィールドを表し、添字ｂは、下ラインのフィールドとなるボトムフィールドを表す。
【０１９７】
図２０（ａ）から（ｃ）までに示されるように、第３フィールドＢｔと第５フィールドＢｔとが同一内容のフィールドであり、第８フィールドＤｂと第１０フィールドＤｂとが同一内容のフィールドである。このように、２−３プルダウン信号においては、５フィールドに１回、２フィールド前と同一のフィールドを繰り返す。したがって、第５フィールド及び第１０フィールドにおけるフレーム間相関検出手段１１からのフレーム間動画素累積値ｍｖｆｒは、ゼロ又は所定値（ゼロに近いノイズ分を考慮した値）以下となる。フレーム間動画素累積値ｍｖｆｒはフレーム差分情報により得られるものであり、このフレーム差分情報の関係は、５フィールドごとに１回繰り返し発生する。また、フィールド間相関検出手段１２からのフィールド間動画素累積値ｍｖｆｉｌは、第２フィールド、第４フィールド、第５フィールドと、第７フィールド、第９フィールド、第１０フィールド、・・・において、ゼロ又は所定値（ゼロに近いノイズ分を考慮した値）以下となる。
【０１９８】
図２１（ａ）から（ｄ）までは、２−３プルダウン信号を検出してＩＰ変換する場合のテレシネ補間と補間位相フラグｔｃｆの関係を説明するための図であり、同図（ａ）はフィールド番号、同図（ｂ）は２−３プルダウン信号であるインターレース映像信号、同図（ｃ）は補間位相、同図（ｄ）はプログレッシブ映像信号を示す。補間走査線の信号の生成処理は、１フィールド遅延信号に対して行われる。対象となるテレシネ映像信号フィールドに対し、第１フィールドは時間的に後フィールド（すなわち、現フィールド信号。図２１（ｃ）では補間位相「後」と示す。）である第２フィールドが補間位相に対応し、第２フィールドは、時間的に前フィールド（すなわち、２フィールド遅延信号。図２１（ｃ）では補間位相「前」と示す。）である第１フィールドが、第３フィールドは時間的に後フィールドである第４フィールドが、第４、第５フィールドは時間的に前フィールドである第３、第４フィールドがそれぞれ補間位相に対応するように、繰り返される。そして、補間位相に応じてテレシネ補間を行うことで、元のフレーム（図２０（ａ）のＡフレーム、Ｂフレーム、・・・に対応）へ復元されたプログレッシブ映像信号となり、出力される。
【０１９９】
図２２は、プルダウンシーケンス検出手段１４内の２−３シーケンス検出手段１５において、２−３フィールドシーケンスの繰り返し条件を満たすことを検出する処理を説明するフローチャートであり、また、図２３は、入力映像信号のシーケンスを監視し、２−３シーケンス検出信号ｔｃｉ０を予測制御する処理を説明するフローチャートである。なお、上述したように、テレシネ検出はフィールド毎に行われ、図２２及び図２３に示す処理は、１フィールド単位で実行される。
【０２００】
図２４（ａ）から（ｊ）までには、２−３シーケンス検出手段１５内の２−３フィールドシーケンス検出手段５１での動作を説明するための図であり、同図（ａ）はフィールド番号、同図（ｂ）は２−３プルダウン信号であるインターレース映像信号、同図（ｃ）は第１の静止画検出手段１２１ａの出力であるフレーム静止画検出結果ｓｔｌ１、同図（ｄ）は第１の動画フィールドカウンタ１２３の出力であるフレーム動画連続数ｆｒｃｎｔ、同図（ｅ）はフィールド静止画検出手段１２２の出力であるフィールド静止画検出結果ｆｉｌｓｔｌ、同図（ｆ）は第２の動画フィールドカウンタ１２４の出力であるフィールド動画連続数ｆｉｌｃｎｔ、同図（ｇ）はシーケンス位相カウンタ１３３の出力であるカウント値ｓｅｑ、同図（ｈ）はシーケンス条件検出手段１２５からの２−３シーケンス条件検出結果ｄｅｔｆｌ、同図（ｉ）はテレシネ起動カウンタ１３１の出力ｏｎｃｎｔ、同図（ｊ）はシーケンス検出信号生成手段１３２の出力である２−３シーケンス検出信号ｔｃｉ０を示す。
【０２０１】
以下、２−３プルダウン信号のシーケンスを検出する動作を、図２２、図２３、及び図２４（ａ）から（ｊ）までを用いて説明する。
【０２０２】
入力端子１００からインターレースの映像信号として、図２０（ｂ）で示したような２−３プルダウン信号が入力されると、フレーム間相関検出手段１１は、現フィールド信号Ｉａ０と２フィールド遅延信号Ｉｃ０間でのフレーム間差分情報を検出し、フレーム間動画素累積値ｍｖｆｒと動画素累積差分値ｄｆｍｖｆｒとを出力する。また、フィールド間相関検出手段１２は、現フィールド信号Ｉａ０と１フィールド遅延信号Ｉｂ０間でのフィールド間差分情報を検出し、フィールド間動画素累積値ｍｖｆｉｌを出力し、フィールド解像度判定手段１３は、現フィールド信号Ｉａ０内における高域画素累積値ｆｉｌｈｖを出力する。次に、２−３フィールドシーケンス検出手段５１内の第１の静止画検出手段１２１ａにおいて、得られたフレーム間動画素累積値ｍｖｆｒからフレーム静止画を検出し、フレーム静止画検出結果ｓｔｌ１を得る。また、２−３フィールドシーケンス検出手段５１内のフィールド静止画検出手段１２２において、フィールド間動画素累積値ｍｖｆｉｌから、フィールド静止画を検出し、フィールド静止画検出結果ｆｉｌｓｔｌを得る。
【０２０３】
図２２においては、フレーム間動画素累積値ｍｖｆｒとフィールド間動画素累積値ｍｖｆｉｌとから、フレーム静止画検出結果ｓｔｌ１とフィールド静止画検出結果ｆｉｌｓｔｌとが得られると（ステップＳ１０１）、第１及び第２の動画フィールドカウンタ１２３及び１２４において、フレーム動画及びフィールド動画の連続数をカウントして、次フィールドにタイミングを合わせ、カウントしたフレーム動画連続数ｆｒｃｎｔ及びフィールド動画連続数ｆｉｌｃｎｔを出力する（ステップＳ１０２）。
【０２０４】
ここで、１フィールド期間単位のフレーム間動画素累積値ｍｖｆｒ及びフィールド間動画素累積値ｍｖｆｉｌは、フィールド内の動画素を累積した値であるので、入力した現フィールド信号Ｉａとの間のフレーム差分情報及びフィールド差分情報に基づく静止画検出結果は、次のフィールド（１フィールド遅延信号Ｉｂ）にタイミングを合わせて出力される。よって、フレーム静止画検出結果ｓｔｌ１とフィールド静止画検出結果ｆｉｌｓｔｌは、図２４（ｃ）及び（ｅ）にあるように、入力信号に対し次フィールドにタイミングを合わせて出力され、第５フィールド及び第１０フィールドの後のフィールド位置（第６、第１０フィールド）で、フレーム静止画検出結果ｓｔｌ１が‘１’、フィールド静止画検出結果ｆｉｌｓｔｌが‘１’となり、５フィールドに一度完全静止画フィールドが検出される。
【０２０５】
次に、シーケンス位相カウンタ１３３では、フレーム静止画検出結果ｓｔｌ１と前フィールドまでの動画連続数ｆｒｃｎｔにより、フィールド毎で５フィールド周期となる‘０’から‘４’までを繰り返しカウントする（図２２のステップＳ１０３、Ｓ１０５）。但し、フレーム静止画検出結果ｓｔｌ１が‘１’であり、かつ、前フィールドまでのフレーム動画連続数ｆｒｃｎｔが‘４’であるとき、シーケンス位相カウント値ｓｅｑを‘０’とする（図２２のステップＳ１０４）。
【０２０６】
図２４（ｇ）は、シーケンス位相カウント値ｓｅｑを示し、フレーム静止画検出結果ｓｔｌ１が‘１’であり、かつ、前フィールドまでのフレーム動画連続数ｆｒｃｎｔが‘４’であるときフィールドで、シーケンス位相カウント値ｓｅｑが‘０’となっている。図２４（ｇ）に示されるように、シーケンス位相カウント値ｓｅｑは、５フィールド単位で繰り返されており、補間対象フィールドが１フィールド遅延信号であることから、シーケンス位相カウント値ｓｅｑが‘０’となるフィールドが、２−３プルダウン信号の５フィールドに一度、２フィールド前と同一のフィールドを繰り返したフィールドの位置となる。
【０２０７】
図２２において、テレシネ起動カウンタ１３１は、解除信号生成手段１４４より、解除信号ｒｓｔとして値‘１’が入力された場合は、入力映像信号が２−３プルダウン信号ではないとしてカウント値をリセット（ｏｎｃｎｔ＝０）する（ステップＳ１０６、Ｓ１０７）。２−３プルダウン信号の入力の際は、解除信号ｒｓｔが‘０’であり（ステップＳ１０６）、シーケンス条件検出手段１２５において、２−３シーケンスの条件を検出する（ステップＳ１０８）。２−３シーケンスの条件が検出され、２−３シーケンス条件検出結果ｄｅｔｆｌが‘１’のときに、シーケンスの繰り返し回数をカウントする（ステップＳ１０９）。
【０２０８】
図２４（ｉ）は、テレシネ起動カウンタ１３１におけるカウント値ｏｎｃｎｔを示す。２−３シーケンス条件検出結果ｄｅｔｆｌが‘１’となるフィールドのとき、カウント値ｏｎｃｎｔに‘１’を加算して（すなわち、ｏｎｃｎｔ←ｏｎｃｎｔ＋１）、２−３シーケンスの繰り返し回数をカウントしている。シーケンス検出信号生成手段１３２においては、２−３シーケンスのカウント値ｏｎｃｎｔと起動カウント値ＴＨ１を比較し（図２２のステップＳ１１０）、２−３シーケンスカウント値ｏｎｃｎｔが起動カウント値ＴＨ１以上になり、ＴＨ１回連続してシーケンスが検出されると、２−３シーケンス検出結果を示す２−３シーケンス検出信号ｔｃｉ０を‘１’とする（図２２のステップＳ１１１）。２−３シーケンスカウント値ｏｎｃｎｔがゼロ又は起動カウント値ＴＨ１より小さい場合は、２−３シーケンス検出信号ｔｃｉ０を‘０’とする（図２２のステップＳ１１２）。図２４（ｊ）の２−３シーケンス検出信号ｔｃｉ０は、シーケンスのカウントが、例えば、２回以上で入力映像信号が２−３プルダウン信号であると検出する場合（ＴＨ１＝２の場合）を示している。したがって、５フィールドの２−３シーケンスが２回以上連続して検出され、２−３シーケンス検出信号ｔｃｉ０が‘１’となると、入力映像信号が２−３プルダウン信号のシーケンス条件を満たしているとして、２−３シーケンス検出信号ｔｃｉ０として‘１’が２−３予測制御手段５３へと出力される。
【０２０９】
図２３において、２−３シーケンス検出手段１５内の出現頻度検出手段５２は、２−３シーケンスの条件を検出し、２−３シーケンス条件検出結果ｄｅｔｆｌが‘１’となると（ステップＳ２０１）、出現頻度カウント値ｔｃに値Ａｄを加算（すなわち、ｔｃ←ｔｃ＋Ａｄ）する（ステップＳ２０２）。一方、出現頻度検出手段５２は、２−３シーケンスの条件が検出されず、５フィールド目の位相、すなわち、２−３シーケンス位相カウント値ｓｅｑが‘０’となると（ステップＳ２０３）、フレーム静止画検出結果ｓｔｌ１が‘０’でフレーム動画となる場合（ステップＳ２０４）は、出現頻度カウント値ｔｃから所定値Ｓｕを減算（すなわち、ｔｃ←ｔｃ−Ｓｕ）とする（ステップＳ２０５）。出現頻度検出手段５２は、５フィールド目の位相（すなわち、２−３シーケンス位相カウント値ｓｅｑが‘０’）で、上記以外の場合は、加減算を行わない（すなわち、ｔｃ←ｔｃ±０）（ステップＳ２０６）。これは、２−３シーケンス位相カウント値ｓｅｑが‘０’となるととき、フレーム静止画検出結果ｓｔｌ１が‘１’（フレーム静止画）であると、２−３シーケンスか否かどちらにも判定できないためである。
【０２１０】
出現頻度検出手段５２内の予測制御フラグ生成手段１５２において、出現頻度カウント値ｔｃと有効カウント値ＰＴＨ１を比較し、２−３プルダウン信号であることの確からしさを判定する（ステップＳ２０７）。予測制御フラグ生成手段１５２は、出現頻度カウント値ｔｃが有効カウント値ＰＴＨ１以上になったとき、２−３プルダウン信号であると判定し、予測制御フラグｔｃｉｆｌｇ０を‘１’とする（ステップＳ２０９）。なお、予測制御フラグ生成手段１５２は、２−３プルダウン信号らしいと判定されるまでのフィールド期間（すなわち、出現頻度カウント値ｔｃが有効カウント値ＰＴＨ１以上となるまでの時間）は、予測制御フラグｔｃｉｆｌｇ０を‘０’とする（ステップＳ２０８）。また、編集点が頻繁にあり、２−３シーケンスの不連続が起こると、２−３シーケンスの条件が検出されないため、出現頻度カウント値ｔｃが有効カウント値ＰＴＨ１に達することはない。よって、２−３プルダウン信号らしくないと判定され、予測制御フラグｔｃｉｆｌｇ０は‘０’のままとなる。
【０２１１】
２−３フィールドシーケンス検出手段５１からの２−３シーケンス検出信号ｔｃｉ０は、予測制御フラグｔｃｉｆｌｇ０が‘１’となり、２−３プルダウン信号であると判定されている場合に、２−３予測制御手段５３における切換手段５４において、２−３プルダウン信号の検出を示す２−３プルダウン検出信号ｔｃｉ２３として出力される。２−３プルダウン検出信号ｔｃｉ２３は、プルダウン判定手段１７へ送られ、プルダウン判定手段１７において、テレシネ検出信号ｔｃｉとして、図１における混合手段８へと出力される。２−３プルダウン検出信号ｔｃｉ２３が‘１’（ｔｃｉ２３＝１）で、プルダウン判定手段１７からテレシネ検出信号ｔｃｉが‘１’として出力されると、テレシネ補間処理が起動され、混合手段８では、テレシネ補間処理手段７からの信号を選択することになる。なお、２−３プルダウン検出信号ｔｃｉ２３が‘１’で２−３プルダウン信号を検出している場合は、プルダウン判定手段１７からの混合比信号ｔｃｍｉｘは固定値‘１００’として出力されているので、補間信号Ｉはテレシネ補間信号Ｉｔによる値の信号となる。
【０２１２】
次に、入力映像信号が２−３プルダウン信号でなくなる場合や、２−３プルダウン信号の途中に、放送のための編集、ＣＭやテロップの挿入などによりシーケンスの規則性が乱れた２−３プルダウン信号が入力端子１００から入力された場合に、テレシネ補間処理を解除する動作について説明する。テレシネ補間処理の解除は、プルダウン判定手段１７からのテレシネ検出信号ｔｃｉが‘０’、すなわち、２−３プルダウン検出信号ｔｃｉ２３が‘０’となることで行われる。２−３プルダウン検出信号ｔｃｉ２３は、２−３フィールドシーケンス検出手段５１内の解除信号生成手段１４４より、解除信号ｒｓｔが値‘１’となった場合、又は、予測制御フラグ生成手段１５２において、予測制御フラグｔｃｉｆｌｇ０が‘０’である場合に、入力映像信号が２−３プルダウン信号ではないとして、値‘０’が出力される。
【０２１３】
入力映像信号において編集点が頻繁にあり、２−３シーケンスの不連続が起こる場合には、２−３シーケンス検出手段１５において、２−３シーケンスの条件が検出されないため、出現頻度カウント値ｔｃが有効カウント値ＰＴＨ１に達することはなく、２−３プルダウン信号らしくないと判定され、予測制御フラグｔｃｉｆｌｇ０は‘０’となる。よって、２−３プルダウン検出信号ｔｃｉ２３は‘０’となり、補間信号生成手段１１０において、動き適応補間処理手段５からの補間信号Ｉｍが補間信号Ｉとして出力される。
【０２１４】
２−３プルダウン信号から、通常のテレビジョン放送などの映像信号へ切換わった場合は、フレーム間相関検出手段１１からのフレーム間動画素累積値ｍｖｆｒは大きな値となり、フレーム静止画検出結果ｓｔｌ１は、‘０’（フレーム動画）が連続することになる。よって、５フィールド連続してｓｔｌ１が‘０’となった時点で、フレーム動画連続検出手段１３５から、フレーム動画５フィールド連続の検出結果が解除信号生成手段１４４へと出力され、解除信号生成手段１４４からは、解除信号ｒｓｔとして値‘１’がテレシネ起動カウンタ１３１へと送られる。そして、解除信号ｒｓｔとして‘１’が入力された場合は、入力映像信号が２−３プルダウン信号ではないとしてカウント値をリセット（ｏｎｃｎｔ＝０）することになり（図２２のステップＳ１０６、Ｓ１０７）、シーケンス検出信号生成手段１３２において、２−３シーケンス検出信号ｔｃｉ０が‘０’となる。
【０２１５】
また、上記の場合、フィールド間相関検出手段１２からのフィールド間動画素累積値ｍｖｆｉｌについても大きな値となり、フィールド静止画検出結果ｆｉｌｓｔｌは、‘０’（フィールド動画）が連続する。よって、２フィールド連続してｆｉｌｓｔｌが‘０’となった時点で、フィールド動画連続検出手段１３６から、フィールド動画２フィールド連続の検出結果が解除信号生成手段１４４へと出力され、解除信号生成手段１４４からは、解除信号ｒｓｔとして値‘１’がテレシネ起動カウンタ１３１へと送られる。以下の動作は上記のフレーム動画連続時と同様である。
【０２１６】
２−３プルダウン信号から、静止画フィールドが連続する映像信号へ切換わった場合においては、フレーム間相関検出手段１１からのフレーム間動画素累積値ｍｖｆｒは小さな値となり、第２の静止画検出手段１２１ｂによるフレーム静止画検出結果ｓｔｌ２は‘１’（静止画）が連続することになる。よって、静止画連続検出手段１３７でフレーム静止画が５フィールド連続してカウントされると、比較手段１３８においてフレーム静止画が５フィールド連続したことを検出し、検出結果が解除信号生成手段１４４へ出力される。以下の動作は上記のフレーム動画連続時と同様である。
【０２１７】
さらに、編集点や映像信号の切換わりなどで２−３シーケンスの不連続あり、５フィールド目の位相（すなわち、２−３シーケンス位相カウント値ｓｅｑが‘０’）で、フレーム静止画検出結果ｓｔｌ１が‘０’（フレーム動画）となった場合には、位相判定手段１４２において、５フィールドに一度のフレーム静止画の位置でフレーム静止画検出結果ｓｔｌ１が‘０’（動画）であることを検出し、検出結果ｄｐｈが‘１’として、解除信号生成手段１４４へと出力される。解除信号生成手段１４４からは、解除信号ｒｓｔとして値‘１’がテレシネ起動カウンタ１３１へと送られる。以下の動作は上記のフレーム動画連続時と同様である。
【０２１８】
シーケンスずれ検出手段１３９は、５フィールドごとに一度の静止画フィールドとは異なるフィールドで静止画フィールドが存在するような２−３プルダウンのシーケンス位相のずれを検出する。シーケンスずれ検出手段１３９内のシーケンス内静止画カウンタ１４０は、２−３シーケンス検出信号ｔｃｉ０が‘１’の場合、まず、２−３シーケンス位相カウント値ｓｅｑが‘０’になるごとにカウンタ値をゼロへリセットする。２−３プルダウン信号のシーケンス位相が規則正しく送られた場合は、２−３シーケンス位相カウント値ｓｅｑが‘０’であるフィールドが、フレーム動画が４フィールド連続後フレーム静止画となるフィールド（即ち、５フィールドごとに一度のフレーム静止画）となり（図２４参照）、このフィールドにおいて、シーケンス内静止画カウンタ１４０のカウント値がゼロへリセットされることになる。そして、次にゼロへリセットされるまでの間（次のフィールドシーケンスのフレーム静止画まで）に、第３の静止画検出手段１２１ｃからの静止画検出結果ｓｔｌ３が‘１’となる場合をカウントする。これにより、シーケンス内静止画カウンタ１４０は、５フィールドに一度のフレーム静止画とは異なるフィールドでフレーム静止画となる場合を検出し、その検出したフィールドの数を出力することとなる。
【０２１９】
シーケンスずれ検出手段１３９内の比較手段１４１は、シーケンス内静止画カウンタ１４０からのカウント値を所定の閾値（例えば、閾値を‘１’とする）と比較し、所定の閾値１以上の場合に、５フィールドのシーケンス途中におけるフレーム静止画の検出結果ｄｂｅを‘１’とする。
【０２２０】
そして、シーケンスずれ検出手段１３９内の比較手段１４１からの出力ｄｂｅは、解除信号生成手段１４４へ出力される。解除信号生成手段１４４は、シーケンスずれ検出手段１３９の結果を使用する設定の場合、比較手段１４１からのｄｂｅが‘１’のときに解除信号ｒｓｔを‘１’として、解除信号ｒｓｔをテレシネ起動カウンタ１３１へと送る。解除信号ｒｓｔとして‘１’が入力された場合は、入力映像信号が２−３プルダウン信号ではないとしてカウント値をリセット（ｏｎｃｎｔ＝０）することになり（図２２のステップＳ１０６、Ｓ１０７）、シーケンス検出信号生成手段１３２において、２−３シーケンス検出信号ｔｃｉ０が‘０’となる。よって、２−３プルダウン信号の途中にシーケンス位相のずれが検出された場合、２−３シーケンス検出信号ｔｃｉ０が‘０’へ解除される。なお、解除後においても、２−３シーケンス検出手段１５では、２−３プルダウン信号の検出の動作を行っており、５フィールドのシーケンスが規則正しく入力され、正確に検出されれば、入力映像信号が２−３シーケンスの条件を満たしているとして、再び２−３シーケンス検出信号ｔｃｉ０が‘１’となり、出力される。
【０２２１】
さらには、２−３プルダウン信号の途中に、シーンチェンジが起こる映像信号が入力端子１００から入力された場合、フレーム間相関検出手段１１からのフレーム間動画素累積値ｍｖｆｒは、通常のシーケンス内での値と比較して大きく変化する。よって、シーンチェンジ検出手段１４３は、フレーム間動画素累積値ｍｖｆｒが閾値ＳＴＨより大きい場合、そのフィールドでシーンチェンジがあったとして、シーンチェンジ検出結果ｓｃｈとして値‘１’を出力する。このシーンチェンジ検出結果ｓｃｈは、解除信号生成手段１４４へ出力され、解除信号生成手段１４４では、シーンチェンジ検出手段１４３での検出結果を使用する設定の場合、シーンチェンジ検出結果ｓｃｈが‘１’とき解除信号ｒｓｔを‘１’として、解除信号ｒｓｔをテレシネ起動カウンタ１３１へと送る。解除信号ｒｓｔとして‘１’が入力された場合は、入力映像信号が２−３プルダウン信号ではないとしてカウント値をリセット（ｏｎｃｎｔ＝０）することになり（図２２のステップＳ１０６、Ｓ１０７）、シーケンス検出信号生成手段１３２において、２−３シーケンス検出信号ｔｃｉ０が‘０’となる。よって、２−３プルダウン信号の途中にシーンチェンジが検出された場合、２−３シーケンス検出信号ｔｃｉ０は‘０’へ解除される。なお、解除後においても、２−３シーケンス検出手段１５では、上記２−３プルダウン信号の検出の動作を行っており、５フィールドのシーケンスが規則正しく入力され、正確に検出されれば、入力映像信号が２−３シーケンスの条件を満たしているとして、再び２−３シーケンス検出信号ｔｃｉ０が‘１’となり、出力される。
【０２２２】
以上より、実施の形態１の２−３シーケンス検出手段１５によれば、フレーム差分情報及びフィールド差分情報から、５フィールドの２−３シーケンスの繰り返し条件を検出するとともに、映像信号の切換わりや編集点がある場合には、解除検出手段１２８の結果に基づき、２−３シーケンス検出信号ｔｃｉ０を一時的に解除する。そして、２−３シーケンスの出現頻度を計測することで、比較的長い期間（フィールド）にわたってシーケンスを監視し、２−３プルダウン信号であることの確からしさを示す指標である予測制御フラグｔｃｉｆｌｇ０により、２−３シーケンス検出信号ｔｃｉ０を予測制御し２−３プルダウン検出信号ｔｃｉ２３を出力するようにしている。よって、２−３プルダウン検出信号ｔｃｉ２３が信頼度を向上しており、例えば、一時的に２−３シーケンスの条件を満たしても、テレシネ補間をしないように制御することができ、したがって、２−３プルダウン信号の誤検出が起こることで発生するコーミング現象による画質劣化の発生頻度を低減し、２−３プルダウン信号を良好なプログレッシブ信号Ｐｒｏｇに変換することができる。
【０２２３】
次に、２−２プルダウン信号が、入力映像信号Ｉａ０として入力端子１００から入力された場合の動作について説明する。
【０２２４】
図２５（ａ）から（ｃ）までは、２−２プルダウン変換を説明するための図であり、同図（ａ）は３０コマ／秒の映像信号、同図（ｂ）は２−２プルダウン信号、同図（ｃ）はフィールド番号を示す。図２５（ａ）から（ｃ）までに示されるように、映画フィルムなどの信号の第１フレームＡが映像信号の第１及び第２フィールドＡｔ，Ａｂに対応し、第２フレームＢが映像信号の第３及び第４フィールドのＢｔ，Ｂｂに対応し、第３フレームＣが映像信号の第５及び第６フィールドＣｔ，Ｃｂに、第４フレームＤが映像信号の第７及び第８フィールドのＤｔ，Ｄｂに対応するよう変換される。なお、図中の添字ｔは、相対的に上ラインのフィールドとなるトップフィールドを表し、添字ｂは、下ラインのフィールドとなるボトムフィールドを表す。
【０２２５】
図２５（ａ）から（ｃ）までに示されるように、２−２プルダウン信号においては、同一フレームが２フィールドのインターレース映像信号に対応し、繰り返している。したがって、フレーム間相関検出手段１１からのフレーム間動画素累積値ｍｖｆｒは、異なるフレームによる差分情報であるため、動画素数が大きなフィールドが連続する。また、フィールド間相関検出手段１２からのフィールド間動画素累積値ｍｖｆｉｌは、第２フィールド、第４フィールド、第６フィールド、第８フィールド、第１０フィールド、・・・の２フィールドごとで、ゼロ又は所定値（ゼロに近いノイズ分を考慮した値）以下となる。
【０２２６】
さらに、図２５（ａ）から（ｃ）までに示されるように、第１フィールドＡｔと第３フィールドＢｔの間のフレーム差分情報と、第２フィールドＡｂと第４フィールドＢｂの間のフレーム差分情報とは、それぞれ第１フレームＡと第２フレームＢとの間のフレーム間の差分情報に相当し、同様に、第３フィールドＢｔと第５フィールドＣｔの間のフレーム差分情報と、第４フィールドＢｂと第６フィールドＣｂの間のフレーム差分情報とは、それぞれ第２フレームＢと第３フレームＣとの間のフレーム間の差分情報に相当する。フレーム間相関検出手段１１から出力される動画素累積差分値ｄｆｍｖｆｒは、第４フィールドにおいては、第３フィールドと第４フィールドでのフレーム間動画素累積値ｍｖｆｒの差分値であり、第６フィールドにおいては、第５フィールドと第６フィールドでのフレーム間動画素累積値ｍｖｆｒの差分値である。よって、フレーム間相関検出手段１１から出力される動画素累積差分値ｄｆｍｖｆｒは、第２フィールドと、第４フィールド、第６フィールド、第８フィールド、第１０フィールド、・・・の２フィールドごとで、ゼロ又は所定値（ゼロに近いノイズ分を考慮した値）以下となる。
【０２２７】
図２６（ａ）から（ｄ）までは、２−２プルダウン信号を検出してＩＰ変換する場合のテレシネ補間と補間位相フラグｔｃｆの関係を説明するための図であり、同図（ａ）はフィールド番号、同図（ｂ）は２−２プルダウン信号であるインターレース映像信号、同図（ｃ）は補間位相、同図（ｄ）はプログレッシブ映像信号を示す。補間走査線の信号の生成処理は、１フィールド遅延信号に対して行われる。対象となるテレシネ映像信号フィールドに対し、第１フィールドは時間的に後フィールド（つまりは、現フィールド信号。図２１（ｃ）では補間位相「後」と示す。）である第２フィールドが補間位相に対応し、第２フィールドは、時間的に前フィールド（つまりは、２フィールド遅延信号。図２１（ｃ）では補間位相「前」と示す。）である第１フィールドが、第３フィールドは時間的に後フィールドである第４フィールドが、第４フィールドは時間的に前フィールドである第３フィールドがそれぞれ補間位相に対応するように、繰り返される。そして、補間位相に応じてテレシネ補間を行うことで、元のフレーム（図２５（ａ）のＡフレーム、Ｂフレーム、・・・に対応）へ復元されたプログレッシブ映像信号となり、出力される。
【０２２８】
図２７は、プルダウンシーケンス検出手段１４内の２−２シーケンス検出手段１６において、２−２フィールドシーケンスの繰り返し条件を満たすことを検出する処理を説明するフローチャートであり、また、図２８は、入力映像信号のシーケンスを監視し、２−２シーケンス検出信号ｔｃｉ１を予測制御する処理を説明するフローチャートである。なお、上述したように、テレシネ検出はフィールド毎に行われ、図２７及び図２８に示す処理は、１フィールド単位で実行される。
【０２２９】
図２９（ａ）から（ｊ）までには、２−２シーケンス検出手段１６内の２−２フィールドシーケンス検出手段６１での動作を説明するための図であり、同図（ａ）はフィールド番号、同図（ｂ）は２−２プルダウン信号であるインターレース映像信号、同図（ｃ）は静止画検出手段１６１の出力であるフレーム静止画検出結果ｆｒｓｔｌ、同図（ｄ）は同一フレーム判定手段１６２からの同一フレーム判定結果ｆｒｄｉｆｆ、同図（ｅ）はフィールド静止画検出手段１６３の出力であるフィールド静止画検出結果ｆｉｌｓｔｌ２、同図（ｆ）は動画フィールドカウンタ１６４の出力であるフィールド動画連続数ｆｉｌｃｎｔ２、同図（ｇ）はシーケンス位相生成手段１７１の出力である２−２シーケンス位相カウント値ｓｅｑ２、同図（ｈ）はシーケンス条件検出手段１６５からの２−２シーケンス条件検出結果ｄｅｔｆｌ２、同図（ｉ）はシーケンス起動カウンタ１７３の出力ｏｎｃｎｔ２、同図（ｊ）はシーケンス検出信号生成手段１７４の出力である２−２シーケンス検出信号ｔｃｉ１を示す。
【０２３０】
以下、２−２プルダウン信号のシーケンスを検出する動作を、図２７、図２８、及び図２９（ａ）から（ｊ）までを用いて説明する。
【０２３１】
入力端子１００からインターレースの映像信号として、図２５（ｂ）で示したような２−２プルダウン信号が入力されると、フレーム間相関検出手段１１は、現フィールド信号Ｉａ０と２フィールド遅延信号Ｉｃ０間でのフレーム間差分情報を検出し、フレーム間動画素累積値ｍｖｆｒと動画素累積差分値ｄｆｍｖｆｒとを出力する。また、フィールド間相関検出手段１２は、現フィールド信号Ｉａ０と１フィールド遅延信号Ｉｂ０間でのフィールド間差分情報を検出し、フィールド間動画素累積値ｍｖｆｉｌを出力し、フィールド解像度判定手段１３は、現フィールド信号Ｉａ０内における高域画素累積値ｆｉｌｈｖを出力する。次に、２−２フィールドシーケンス検出手段６１内の静止画検出手段１６１において、得られたフレーム間動画素累積値ｍｖｆｒからフレーム静止画を検出し、フレーム静止画検出結果ｆｒｓｔｌを得る。また、同一フレーム判定手段１６２において、フレーム間相関検出手段１１からの動画素累積差分値ｄｆｍｖｆｒを所定の閾値ＤＴＨ２と比較し、同一フレーム判定結果ｆｒｄｉｆｆを得る。さらに、２−２フィールドシーケンス検出手段６１内のフィールド静止画検出手段１６３においては、フィールド間動画素累積値ｍｖｆｉｌから、フィールド静止画を検出し、フィールド静止画検出結果ｆｉｌｓｔｌを得る。
【０２３２】
図２７においては、フレーム間動画素累積値ｍｖｆｒと動画素累積差分値ｄｆｍｖｆｒとから、フレーム静止画検出結果ｆｒｓｔｌと同一フレーム判定結果ｆｒｄｉｆｆが得られ、フィールド間動画素累積値ｍｖｆｉｌから、フィールド静止画検出結果ｆｉｌｓｔｌ２が得られると（ステップＳ３０１）、動画フィールドカウンタ１６４において、フィールド動画の連続数をカウントして、次フィールドにタイミングを合わせ、カウントしたフィールド動画連続数ｆｉｌｃｎｔ２を出力する（ステップＳ３０２）。
【０２３３】
ここで、上述したように、１フィールド期間単位のフレーム間動画素累積値ｍｖｆｒ及びフィールド間動画素累積値ｍｖｆｉｌは、フィールド内の動画素を累積した値であるので、入力した現フィールド信号Ｉａとの間のフレーム差分情報及びフィールド差分情報に基づく検出結果は、次のフィールド（１フィールド遅延信号Ｉｂ）にタイミングを合わせて出力される。よって、フレーム静止画検出結果ｆｒｓｔｌと同一フレーム判定結果ｆｒｄｉｆｆ、及びフィールド静止画検出結果ｆｉｌｓｔｌ２は、図２９（ｃ）、（ｄ）、及び（ｅ）に示されるように、入力信号に対し次フィールドにタイミングを合わせて出力され、第２フィールド、第４フィールド、・・・、第１０フィールドの後のフィールド位置（第３、第５、・・・第１１フィールド）で、フレーム静止画検出結果ｆｒｓｔｌが‘０’、同一フレーム判定結果ｆｒｄｉｆｆが‘１’、及びフィールド静止画検出結果ｆｉｌｓｔｌ２が‘１’となり、２フィールドに一度のフィールド静止画が検出される。
【０２３４】
次に、シーケンス位相生成手段１７１では、シーケンス条件検出手段１６５からの２−２シーケンス条件検出結果ｄｅｔｆｌ２に基づき、フィールド毎で２フィールド周期となる‘０’、‘１’の繰り返しをカウントする（図２７のステップＳ３０３、Ｓ３０４、Ｓ３０５）。すなわち、シーケンス条件検出手段１６５からの２−２シーケンス条件検出結果ｄｅｔｆｌ２が‘１’となるフィールドのとき、シーケンス位相カウント値ｓｅｑ２を‘１’とセットし（図２７のステップＳ３０３、Ｓ３０４）、それ以外は、前フィールドのシーケンス位相カウント値ｓｅｑ２を反転（図２７のステップＳ３０５）し、２フィールドの繰り返しとなる。
【０２３５】
図２９（ｇ）はシーケンス位相カウント値ｓｅｑ２を示し、２−２シーケンス条件検出結果ｄｅｔｆｌ２が‘１’となる条件（すなわち、フレーム静止画検出結果ｆｒｓｔｌが‘０’であって、フィールド静止画検出結果ｆｉｌｓｔｌ２が‘１’、かつ、フィールド動画連続数ｆｉｌｃｎｔが‘１’であり、さらに、同一フレーム判定結果ｆｒｄｉｆｆが’１’）となるフィールドで、シーケンス位相カウント値ｓｅｑ２が‘１’にセットされる。図２９（ｇ）に示されるように、シーケンス位相カウント値ｓｅｑ２は、２フィールド単位で繰り返されており、補間対象フィールドが１フィールド遅延信号であることから、シーケンス位相カウント値ｓｅｑ２が‘１’となるフィールドが、２−２プルダウン信号において、隣接する１フィールド前のフィールドと同一のフレームにから変換されたフィールドの位置となる。
【０２３６】
図２７において、シーケンス起動カウンタ１７３は、解除信号生成手段１７９より、解除信号ｒｓｔ２として値‘１’が入力された場合は、入力映像信号が２−２プルダウン信号ではないとしてカウント値をリセット（ｏｎｃｎｔ２＝０）する（ステップＳ３０６、Ｓ３０７）。２−２プルダウン信号の入力の際は、解除信号ｒｓｔ２が‘０’であり（ステップＳ３０６）、シーケンス条件検出手段１６５において、２−２シーケンスの条件を検出する（ステップＳ３０８）。２−２シーケンスの条件が検出され、２−２シーケンス条件検出結果ｄｅｔｆｌ２が‘１’とき、シーケンスの繰り返し回数をカウントする（ステップＳ３０９）。
【０２３７】
図２９（ｉ）は、シーケンス起動カウンタ１７３におけるカウント値ｏｎｃｎｔ２を示す。２−２シーケンス条件検出結果ｄｅｔｆｌ２が‘１’となるフィールドのとき、カウント値ｏｎｃｎｔ２に‘１’を加算して（すなわち、ｏｎｃｎｔ２←ｏｎｃｎｔ２＋１）、２−２シーケンスの繰り返し回数をカウントしている。シーケンス検出信号生成手段１７４においては、２−２シーケンスのカウント値ｏｎｃｎｔ２と起動カウント値ＴＨ２を比較し（図２７のステップＳ３１０）、２−２シーケンスカウント値ｏｎｃｎｔ２が起動カウント値ＴＨ２以上になり、ＴＨ２回連続してシーケンスが検出されると、２−２シーケンス検出結果を示す２−２シーケンス検出信号ｔｃｉ１を‘１’とする（図２７のステップＳ３１１）。２−２シーケンスカウント値ｏｎｃｎｔ２がゼロ又は起動カウント値ＴＨ２より小さい場合は、２−２シーケンス検出信号ｔｃｉ１を‘０’とする（図２７のステップＳ３１２）。図２９（ｊ）の２−２シーケンス検出信号ｔｃｉ１は、シーケンスのカウントが、例えば、４回以上で入力映像信号が２−２プルダウン信号であると検出する場合（ＴＨ２＝４の場合）を示している。したがって、２フィールドの繰り返しである２−２シーケンスが４回以上連続して検出され、２−２シーケンス検出信号ｔｃｉ１が‘１’となると、入力映像信号が２−２プルダウン信号のシーケンス条件を満たしているとして、２−２シーケンス検出信号ｔｃｉ１として‘１’が２−２予測制御手段６３へと出力される。
【０２３８】
図２８において、２−２シーケンス検出手段１６内の出現頻度検出手段６２は、２−２シーケンスの条件を検出し、２−２シーケンス条件検出結果ｄｅｔｆｌ２が‘１’となると（ステップＳ４０１）、出現頻度カウント値ｔｃ１に値Ａｄ２を加算（すなわち、ｔｃ１←ｔｃ１＋Ａｄ２）する（ステップＳ４０２）。一方、出現頻度検出手段６２は、２−２シーケンスの条件が検出されず、２フィールド目の位相、すなわち、２−２シーケンス位相カウント値ｓｅｑ２が‘１’となると（ステップＳ４０３）、フレーム静止画検出結果ｆｒｓｔｌが‘０’、かつ、フィールド静止画検出結果ｆｉｌｓｔｌ２が‘０’となる場合（ステップＳ４０４）は、出現頻度カウント値ｔｃ１から所定値Ｓｕ２を減算（すなわち、ｔｃ１←ｔｃ１−Ｓｕ２）する（ステップＳ４０５）。また、出現頻度検出手段６２は、２フィールド目の位相で、比較手段１８４からの比較結果ｄｆｒが‘１’となる場合（ステップＳ４０６）についても、同様に、出現頻度カウント値ｔｃ１から所定値Ｓｕ２を減算（すなわち、ｔｃ１←ｔｃ１−Ｓｕ２）する（ステップＳ４０７）。出現頻度検出手段６２は、２フィールド目の位相（すなわち、２−２シーケンス位相カウント値ｓｅｑ２が‘１’）で、上記以外の場合は、加減算を行わない（すなわち、ｔｃ１←ｔｃ１±０）（ステップＳ４０８）。これは、２−２シーケンス位相カウント値ｓｅｑ２が‘１’のフィールドで、フレーム静止画検出結果ｓｔｌ１が‘１’（フレーム静止画）又はフィールド静止画検出結果ｆｉｌｓｔｌ２が‘１’（フィールド静止画）であると、２−２シーケンスか否かどちらにも判定できないためである。なお、図２８のステップＳ４０６、Ｓ４０７での比較結果ｄｆｒが‘１’となる場合におけるカウント値ｔｃ１の減算を行わないようにしてもよい。
【０２３９】
出現頻度検出手段６２内の予測制御フラグ生成手段１８２は、出現頻度カウント値ｔｃ１と有効カウント値ＰＴＨ２を比較し、２−２プルダウン信号であることの確からしさを判定する（ステップＳ４０９）。出現頻度カウント値ｔｃ１が有効カウント値ＰＴＨ２以上になったとき、２−２プルダウン信号であると判定し、予測制御フラグｔｃｉｆｌｇ１を‘１’とする（ステップＳ４１０）。なお、２−２プルダウン信号らしいと判定されるまでのフィールド期間（すなわち、出現頻度カウント値ｔｃ１が有効カウント値ＰＴＨ２以上となるまでの時間）は、予測制御フラグｔｃｉｆｌｇ１を‘０’とする（ステップＳ４１１）。また、編集点などにより、２−２シーケンスの不連続が起こると、２−２シーケンスの条件が検出されないため、出現頻度カウント値ｔｃ１が有効カウント値ＰＴＨ２に達することはない。よって、２−２プルダウン信号らしくないと判定され、予測制御フラグｔｃｉｆｌｇ１は‘０’のままとなる。
【０２４０】
２−２フィールドシーケンス検出手段６１からの２−２シーケンス検出信号ｔｃｉ１は、予測制御フラグｔｃｉｆｌｇ１が‘１’となり、２−２プルダウン信号であると判定されている場合に、２−２予測制御手段６３における切換手段６４において、２−２プルダウン信号の検出を示す２−２プルダウン検出信号ｔｃｉ２２として出力される。２−２プルダウン検出信号ｔｃｉ２２は、プルダウン判定手段１７へ送られ、プルダウン判定手段１７において、テレシネ検出信号ｔｃｉとして、図１における混合手段８へと出力される。
【０２４１】
また、プルダウン判定手段１７は、フィールド解像度判定手段１３からの高域画素累積値ｆｉｌｈｖが入力されており、２−２プルダウン検出信号ｔｃｉ２２が‘１’となり、２−２プルダウン信号を検出する場合には、高域画素累積値ｆｉｌｈｖにより、上記補間信号生成手段１１０における混合手段８で用いる補間信号の混合比を示す混合比信号ｔｃｍｉｘを生成し、出力する。なお、フレーム間動画素累積値ｍｖｆｒ及びフィールド間動画素累積値ｍｖｆｉｌと同様に、高域画素累積値ｆｉｌｈｖは、フィールド内の高域画素を累積した値であるので、入力した現フィールド信号Ｉａでの検出結果は、次のフィールド（１フィールド遅延信号Ｉｂ）にタイミングを合わせて出力されている。
【０２４２】
２−２プルダウン検出信号ｔｃｉ２２が‘１’（ｔｃｉ２２＝１）で、プルダウン判定手段１７からテレシネ検出信号ｔｃｉが‘１’として出力されるとき、高域画素累積値ｆｉｌｈｖから変換された混合比信号ｔｃｍｉｘが、混合手段８へと出力される。２−２プルダウン信号を検出することにより、テレシネ検出信号ｔｃｉが‘１’となる場合は、補間信号生成手段１１０内の混合手段８では、混合比信号ｔｃｍｉｘによる混合比に基づき、動き適応補間処理手段５からの補間信号Ｉｍとテレシネ補間処理手段７からのテレシネ補間信号Ｉｔを混合し、混合した値の信号が補間信号Ｉとなる。すなわち、２−２プルダウン信号を検出する際は、フィールド差分情報の周期を基本としシーケンスを検出しており、フィールド間差分の誤判定による画質劣化を低減するため、補間信号Ｉの混合を行っている。
【０２４３】
次に、入力映像信号が２−２プルダウン信号でなくなる場合や、２−２プルダウン信号の途中に、編集点などによりシーケンスの規則性が乱れた２−２プルダウン信号が入力端子１００から入力された場合に、テレシネ補間処理を解除する動作について説明する。テレシネ補間処理の解除は、プルダウン判定手段１７からのテレシネ検出信号ｔｃｉが‘０’、すなわち、２−２プルダウン信号に対しては、２−２プルダウン検出信号ｔｃｉ２２が‘０’とすることで行われる。２−２プルダウン検出信号ｔｃｉ２２は、２−２フィールドシーケンス検出手段６１内の解除信号生成手段１７９より、解除信号ｒｓｔ２が値‘１’となった場合、又は、予測制御フラグ生成手段１８２において、予測制御フラグｔｃｉｆｌｇ１が‘０’である場合に、入力映像信号が２−２プルダウン信号ではないとして、値‘０’が出力される。
【０２４４】
入力映像信号において編集点が頻繁にあり、２−２シーケンスの不連続が起こる場合には、２−２シーケンス検出手段１６において、２−２シーケンスの条件が検出されないため、出現頻度カウント値ｔｃ１が有効カウント値ＰＴＨ２に達することはなく、２−２プルダウン信号らしくないと判定され、予測制御フラグｔｃｉｆｌｇ１は‘０’となる。よって、２−２プルダウン検出信号ｔｃｉ２２は‘０’となり、補間信号生成手段１１０において、動き適応補間処理手段５からの補間信号Ｉｍが補間信号Ｉとして出力される。
【０２４５】
２−２プルダウン信号から、通常のテレビジョン放送などの映像信号へ切換わった場合は、フレーム間相関検出手段１１からのフレーム間動画素累積値ｍｖｆｒは大きな値であり、フィールド間相関検出手段１２からのフィールド間動画素累積値ｍｖｆｉｌについても大きな値となる。このとき、フレーム静止画検出結果ｆｒｓｔｌは、‘０’（フレーム動画）が連続し、フィールド静止画検出結果ｆｉｌｓｔｌ２も、‘０’（フィールド動画）が連続する。よって、フレーム静止画検出結果ｆｒｓｔｌが‘０’で、２フィールド連続してｆｉｌｓｔｌが‘０’となった時点で、動画連続検出手段１７５から、フィールド動画２フィールド連続の検出結果が解除信号生成手段１７９へと出力され、解除信号生成手段１７５からは、解除信号ｒｓｔ２として値‘１’がシーケンス起動カウンタ１７３へと送られる。そして、解除信号ｒｓｔ２として‘１’が入力された場合は、入力映像信号が２−２プルダウン信号ではないとしてカウント値をリセット（ｏｎｃｎｔ２＝０）することになり（図２７ステップＳ３０６、Ｓ３０７）、シーケンス検出信号生成手段１７において、２−２シーケンス検出信号ｔｃｉ１が‘０’となる。
【０２４６】
また、編集点や映像信号の切換わりなどで２−２シーケンスの不連続があり、２フィールド目の位相（すなわち、２−２シーケンス位相カウント値ｓｅｑ２が‘１’）で、フレーム静止画検出結果ｆｒｓｔｌが‘０’、かつ、フィールド静止画検出結果が‘０’（フィールド動画）であり、フィールド動画連続数ｆｉｌｃｎｔ２が‘０’である場合には、位相判定手段１７６において、２フィールドに一度のフィールド静止画の位置で２−２シーケンスから位相がはずれたことを検出し、検出結果ｄｐｈ２が‘１’として、解除信号生成手段１７９へと出力される。解除信号生成手段１７９からは、解除信号ｒｓｔ２として値‘１’がシーケンス起動カウンタ１７３へと送られる。以下の動作は上記のフィールド動画連続時と同様である。
【０２４７】
また、編集点や映像信号の切換わりなどで２−２シーケンスの不連続があり、２フィールド目の位相（すなわち、２−２シーケンス位相カウント値ｓｅｑ２が‘１’）で、フレーム間相関検出手段１１からの動画素累積差分値ｄｆｍｖｆｒが所定の閾値より大きな値となる場合には、比較手段１７７において、２−２シーケンスから位相がはずれたことを検出し、比較結果ｓｑｏｆが‘１’とし、解除信号生成手段１７９へと出力される。解除信号生成手段１７９からは、解除信号ｒｓｔ２として値‘１’がシーケンス起動カウンタ１７３へと送られる。以下の動作は上記のフィールド動画連続時と同様である。
【０２４８】
さらには、２−２プルダウン信号の途中に、シーンチェンジが起こる映像信号が入力端子１００から入力された場合、フレーム間相関検出手段１１からのフレーム間動画素累積値ｍｖｆｒは、通常のシーケンス内での値と比較して大きく変化する。よって、シーンチェンジ検出手段１７８は、フレーム間動画素累積値ｍｖｆｒが閾値ＳＴＨ２より大きい場合、そのフィールドでシーンチェンジがあったとして、シーンチェンジ検出結果ｓｃｈ２として値‘１’を出力する。このシーンチェンジ検出結果ｓｃｈ２は、解除信号生成手段１７９へ出力され、解除信号生成手段１７９では、シーンチェンジ検出手段１７８での検出結果を使用する設定の場合、シーンチェンジ検出結果ｓｃｈ２が‘１’とき解除信号ｒｓｔ２を‘１’として、解除信号ｒｓｔ２をシーケンス起動カウンタ１７３へと送る。解除信号ｒｓｔ２として‘１’が入力された場合は、入力映像信号が２−２プルダウン信号ではないとしてカウント値をリセット（ｏｎｃｎｔ２＝０）することになり（図２７のステップＳ３０６、Ｓ３０７）、シーケンス検出信号生成手段１７４において、２−２シーケンス検出信号ｔｃｉ１が‘０’となる。よって、２−２プルダウン信号の途中にシーンチェンジが検出された場合、２−２シーケンス検出信号ｔｃｉ１は‘０’へ解除される。なお、解除後においても、２−２シーケンス検出手段１６では、上記２−２プルダウン信号の検出の動作を行っており、２フィールドのシーケンスが規則正しく入力され、正確に検出されれば、入力映像信号が２−２シーケンスの条件を満たしているとして、再び２−２シーケンス検出信号ｔｃｉ１が‘１’となり、出力される。
【０２４９】
以上より、実施の形態１の２−２シーケンス検出手段１６によれば、フレーム差分情報及びフィールド差分情報から、２フィールドの２−２シーケンスの繰り返し条件を検出するとともに、映像信号の切換わりや編集点がある場合には、解除検出手段１６８の結果に基づき、２−２シーケンス検出信号ｔｃｉ１を一時的に解除する。そして、２−２シーケンスの出現頻度を計測することで、比較的長い期間（フィールド）にわたってシーケンスを監視し、２−２プルダウン信号であることの確からしさを示す指標である予測制御フラグｔｃｉｆｌｇ１により、２−２シーケンス検出信号ｔｃｉ１を予測制御し２−２プルダウン検出信号ｔｃｉ２２を出力するようにしている。さらに、フィールド解像度判定手段１３からの高域画素累積値ｆｉｌｈｖに基づき、２−２プルダウン信号検出時には、補間信号生成手段１１０における混合手段８で用いる補間信号の混合比を示す混合比信号ｔｃｍｉｘを生成し、これによりテレシネ補間信号Ｉｔと動き適応補間による補間信号Ｉｍを混合して、補間信号Ｉを生成している。よって、２−２プルダウン検出信号ｔｃｉ２２が信頼度を向上しており、例えば一時的に２−２シーケンスの条件を満たしても、テレシネ補間をしないように制御することができるとともに、混合比信号に応じて、テレシネ補間信号と動き適応補間による信号を混合しているので、フィールド間差分の誤判定による画質劣化を低減し、２−２プルダウン信号の誤検出がおこることで発生するコーミング現象による画質劣化の発生頻度を低減し、２−２プルダウン信号を良好なプログレッシブ信号Ｐｒｏｇに変換することができる。
【０２５０】
以上説明したように、実施の形態１の映像信号処理装置又は映像信号処理方法によれば、フレーム差分情報及びフィールド差分情報から、順次入力されるインターレース映像信号Ｉａが、２−３プルダウン信号又は２−２プルダウン信号のシーケンスの繰り返し条件を満たすか否かを検出するとともに、それぞれのシーケンスの出現頻度を計測することで、比較的長い期間（フィールド）にわたってシーケンスを監視し、テレシネ映像信号であることの確からしさを示す指標である予測制御フラグｔｃｉｆｌｇ０及びｔｃｉｆｌｇ１に基づいたテレシネ検出信号ｔｃｉを出力するようにしている。そして、各フィールド内の高域画素累積値ｆｉｌｈｖに基づき、フィールド内に存在する高域周波数成分の程度から解像度を判定することにより、補間信号生成手段１１０における混合手段８で用いる補間信号の混合比を示す混合比信号ｔｃｍｉｘを生成し、これによりテレシネ補間信号Ｉｔと動き適応補間による補間信号Ｉｍを混合して、テレシネ補間信号を出力する。したがって、テレシネ検出信号ｔｃｉの信頼度が向上し、テレシネ検出信号ｔｃｉに基づいて選択される補間走査線信号Ｉｍ又はテレシネ補間信号Ｉｔを適切に選択できるとともに、フィールドの高域画素累積値ｆｉｌｈｖに基づく混合比信号ｔｃｍｉｘにより、補間信号を混合しているので、２−３プルダウン信号及び２−２プルダウン信号のシーケンスの誤検出を回避し、シーケンスの誤検出がある場合に発生するコーミング現象による画質劣化の発生頻度を低減し、テレシネ変換された映像信号を良好なプログレッシブ信号Ｐｒｏｇに変換することができる。
【０２５１】
なお、上記実施の形態１におけるフレーム間相関検出手段１１及びフィールド間相関検出手段１２では、１フィールドの所定エリア内の動画素数を求め、２−３シーケンス検出手段１５及び２−２シーケンス検出手段１６において、動画素数を所定の閾値と比較して静止画フィールドの検出及びシーンチェンジの検出を行っている。しかし、本発明は、このような構成に限定されるものではなく、フレーム間相関検出手段１１及びフィールド間相関検出手段１において、静止画素の数を求め、２−３シーケンス検出手段１５及び２−２シーケンス検出手段１６で静止画素の数を所定の閾値と比較することにより静止画フィールドの検出及びシーンチェンジの検出を行うなどのように、１フレーム前のフィールド及び１フィールド前のフィールドとの相関の強さが求められる構成であれば、他の構成であってもよく、同様の効果を奏することができる。
【０２５２】
また、上記実施の形態１におけるテレシネ検出手段６では、フレーム間相関検出手段１１内に差分検出手段２１を設けて、１フレーム間の差分情報を検出するように説明したが、本発明はこれに限るものではなく、現フィールド信号Ｉａ０と２フィールド遅延信号Ｉｃ０間の差分情報を求めている動き検出手段４における１フレーム差分情報を用いて、フレーム間相関を求めるよう構成してもよい。
【０２５３】
さらに、フレーム間相関検出手段１１及びフィールド間相関検出手段１２が、フレーム間及びフィールド間の差分の絶対値をとり、差分情報として出力すると説明した。しかし、本発明は、このような構成に限定されるものではなく、差分の絶対値に所定の値を乗算し、所定値を減算するなどの非線形変換を行い、変換した値をフレーム間及びフィールド間差分情報としてもよく、得られた差分情報からフレーム間及びフィールド間の相関の強さが検出でき、フィールドが静止画フィールドか、動画フィールドかを検出できればよい。
【０２５４】
また、上記実施の形態１における２−３シーケンス検出手段１５内のシーケンス位相カウンタ１３３では５フィールドごとに‘０’から‘４’まで繰り返しカウントを行い、フレーム静止画検出結果ｓｔｌ１が‘１’（フレーム静止画）であり、かつ、フレーム動画連続数ｆｒｃｎｔが‘４’であるときゼロへリセットするとして説明したが、繰り返しの値とリセット値はこれに限るものではない。５フィールドごとで繰り返す信号であり、フレーム静止画検出結果ｓｔｌ１が‘１’（フレーム静止画）であり、かつ、フレーム動画連続数ｆｒｃｎｔが‘４’である場合、すなわち、５フィールドごとに１回あるフレーム静止画のフィールドに対して同期し、所定値へリセットされる構成であれば他の構成であってもよく、同様の効果を奏することができる。
【０２５５】
また、上記実施の形態１における通常の映像信号に対するＩＰ変換においては、動き適応補間処理を行うように説明したが、本発明は、このような構成に限定されるものではなく、フィールド内補間処理のみによる補間信号を用いる構成であれば、他の構成であってもよく、同様の効果を奏することができる。
【０２５６】
さらに、上記説明においては、映像信号処置装置の各構成がハードウェア構成であるように説明しているが、本発明を、プログラム制御におけるソフトウェアの処理により実現するよう構成してもよい。
【０２５７】
実施の形態２．
上記実施の形態１においては、テレシネ映像信号を検出し、その検出結果に基づきＩＰ変換を行う映像信号処理装置及び映像信号処理方法について説明したが、本発明は、入力インターレース映像信号をプログレッシブ映像信号にＩＰ変換し、高画質で表示する映像信号表示装置にも適用できる。以下に示す実施の形態２においては、ＴＶ放送信号やＤＶＤ，ＶＴＲなどの記録再生装置などから入力されるインターレース映像信号を処理し、上記実施の形態１の映像信号処理装置又は映像信号処理方法によりプログレッシブ映像信号にＩＰ変換し、この変換されたプログレッシブ映像信号を表示する映像信号表示装置について説明する。
【０２５８】
図３０は、本発明の実施の形態２による映像信号表示装置の構成の一例を示すブロック図である。図３０において、図１の構成と同一又は対応する構成には、同じ符号を付してある。図３０において、実施の形態２の映像信号表示装置は、上記実施の形態１の映像信号処理装置（図１参照）の構成に加え、入力端子２００と、入力信号処理手段２０１と、表示処理手段２０２と、表示手段２０３とを設け、ＩＰ変換した後のプログレッシブ映像信号Ｐｒｏｇを表示するように構成したものである。これら入力端子２００、入力信号処理手段２０１、表示処理手段２０２、及び表示手段２０３に関する部分以外の構成及び動作は、上記実施の形態１に示されるものと同様である。
【０２５９】
入力端子２００には、ＴＶ放送信号やＤＶＤ，ＶＴＲなどの記録再生装置などからの信号が入力される。入力端子２００に入力された信号は、入力信号処理手段２０１へと送られる。ここで、ＴＶ放送信号やＤＶＤ，ＶＴＲなどから送られる信号は、ＮＴＳＣ方式信号やハイビジョン信号、ＰＡＬ方式信号などの標準的なテレビジョン信号であり、インターレース映像信号である。
【０２６０】
入力信号処理手段２０１は、ＴＶ放送信号やＤＶＤ，ＶＴＲなどの記録再生装置などからの信号に対し、例えば、アナログ信号をデジタル信号へ変換、同期信号を分離するなどの入力信号処理を施す。入力信号処理手段２０１の出力は、インターレース映像信号Ｉａ０として、タイミング信号発生手段１、１フィールド遅延手段２、補間信号生成手段１１０、及びテレシネ検出手段６へ入力される。
【０２６１】
実施の形態２による映像信号表示装置においては、入力信号処理手段２０１からのインターレース映像信号Ｉａ０に対し、テレシネ映像信号を検出し、その検出結果に基づきＩＰ変換を行い、倍速変換手段９は、プログレッシブ映像信号Ｐｒｏｇを表示処理手段２０２へと出力する。このＩＰ変換の動作は、上記実施の形態１に示されるものと同様である。
【０２６２】
表示処理手段２０２には、倍速変換手段９からのＩＰ変換されたプログレッシブ映像信号Ｐｒｏｇが入力される。表示処理手段２０２は、プログレッシブ映像信号Ｐｒｏｇに、例えば、スケーリング処理などの表示信号へと変換するための信号処理を施し、プログレッシブ映像として表示するための表示信号として表示手段２０３へ出力する。
【０２６３】
表示手段２０３は、表示処理手段２０２からの表示信号に基づき映像をプログレッシブ映像として表示する。
【０２６４】
以上に説明したように、実施の形態２の映像信号表示装置によれば、実施の形態１の映像信号処理装置又は映像信号処理方法を用いるので、コーミング現象による画質劣化を低減した良好なプログレッシブ映像信号に基づく高品質な映像を表示することができる。
【図面の簡単な説明】
【０２６５】
【図１】本発明の実施の形態１による映像信号処理装置の構成の一例を示すブロック図である。
【図２】実施の形態１による映像信号処理装置におけるフレーム間相関検出手段の構成の一例を示すブロック図である。
【図３】実施の形態１による映像信号処理装置において、各フィールドの画素における垂直方向の位置関係を説明するための図である。
【図４】実施の形態１による映像信号処理装置におけるフィールド間相関検出手段の構成の一例を示すブロック図である。
【図５】実施の形態１による映像信号処理装置におけるフィールド間相関検出手段の構成の他の例を示すブロック図である。
【図６】実施の形態１による映像信号処理装置におけるフィールド解像度判定手段の構成の一例を示すブロック図である。
【図７】実施の形態１による映像信号処理装置における２−３シーケンス検出手段の構成の一例を示すブロック図である。
【図８】実施の形態１による映像信号処理装置における２−３シーケンス検出手段内の２−３フィールドシーケンス検出手段の構成を示すブロック図である。
【図９】実施の形態１による映像信号処理装置におけるフレーム間相関検出手段から出力されるフレーム間動画素累積値とフィールド番号との関係（２−３プルダウン信号の場合）を示す図である。
【図１０】実施の形態１による映像信号処理装置におけるフィールド間相関検出手段から出力されるフィールド間動画素累積値とフィールド番号との関係（２−３プルダウン信号の場合）を示す図である。
【図１１】実施の形態１による映像信号処理装置における２−３シーケンス検出手段内の出現頻度検出手段の構成を示すブロック図である。
【図１２】実施の形態１による映像信号処理装置における２−２シーケンス検出手段の構成の一例を示すブロック図である。
【図１３】実施の形態１による映像信号処理装置における２−２シーケンス検出手段内の２−２フィールドシーケンス検出手段の構成を示すブロック図である。
【図１４】実施の形態１による映像信号処理装置におけるフレーム間相関検出手段から出力されるフレーム間動画素累積値とフィールド番号との関係（２−２プルダウン信号の場合）を示す図である。
【図１５】実施の形態１による映像信号処理装置におけるフレーム間相関検出手段から出力される動画素累積差分値とフィールド番号との関係（２−２プルダウン信号の場合）を示す図である。
【図１６】実施の形態１による映像信号処理装置におけるフィールド間相関検出手段から出力されるフィールド間動画素累積値とフィールド番号との関係（２−２プルダウン信号の場合）を示す図である。
【図１７】実施の形態１による映像信号処理装置における２−２シーケンス検出手段内の出現頻度検出手段の構成を示すブロック図である。
【図１８】実施の形態１による映像信号処理装置におけるプルダウン判定手段の構成の一例を示すブロック図である。
【図１９】実施の形態１による映像信号処理装置におけるプルダウン判定手段内の補間混合比変換手段において、高域画素累積値に対する混合比信号（縦軸）への変換の特性を示す図である。
【図２０】（ａ）から（ｃ）までは、２−３プルダウン方式のテレシネ変換の例を示す図である。
【図２１】（ａ）から（ｄ）までは、２−３プルダウン信号を検出してＩＰ変換する場合のテレシネ補間と補間位相フラグｔｃｆの関係を説明するための図である。
【図２２】実施の形態１による映像信号処理装置における２−３シーケンス検出手段内の２−３フィールドシーケンス検出手段での動作を説明するためのフローチャートである。
【図２３】実施の形態１による映像信号処理装置における２−３シーケンス検出手段内の出現頻度検出手段での動作を説明するためのフローチャートである。
【図２４】（ａ）から（ｊ）までは、実施の形態１による映像信号処理装置における２−３シーケンス検出手段内の２−３フィールドシーケンス検出手段での動作を説明するための図である。
【図２５】（ａ）から（ｃ）までは、２−２プルダウン方式のテレシネ変換の例を示す図である。
【図２６】（ａ）から（ｄ）までは、２−２プルダウン信号を検出してＩＰ変換する場合のテレシネ補間と補間位相フラグの関係を説明するための図である。
【図２７】実施の形態１による映像信号処理装置における２−２シーケンス検出手段内の２−２フィールドシーケンス検出手段での動作を説明するためのフローチャートである。
【図２８】実施の形態１による映像信号処理装置における２−２シーケンス検出手段内の出現頻度検出手段での動作を説明するためのフローチャートである。
【図２９】（ａ）から（ｊ）までは、実施の形態１による映像信号処理装置における２−２シーケンス検出手段内の２−２フィールドシーケンス検出手段での動作を説明するための図である。
【図３０】本発明の実施の形態２による映像信号表示装置の構成の一例を示すブロック図である。
【符号の説明】
【０２６６】
１  タイミング信号発生手段、  ２，３  １フィールド遅延手段、  １１０  補間信号生成手段、  ４  動き検出手段、  ５  動き適応補間処理手段、  ６  テレシネ検出手段、  ７  テレシネ補間処理手段、  ８  混合手段、  ９  倍速変換手段、  １１  フレーム間相関検出手段、  １２  フィールド間相関検出手段、  １３  フィールド解像度判定手段、  １４  プルダウンシーケンス検出手段、  １５  ２−３シーケンス検出手段、  １６  ２−２シーケンス検出手段、  １７  プルダウン判定手段、  ２１  差分検出手段、  ２２  比較手段、  ２３  所定エリア内累積カウンタ、  ２４  遅延手段、  ２５  差分絶対値算出手段、  ３１  １Ｈ遅延手段、  ３２ａ，３２ｂ  差分検出手段、  ３３  選択手段、  ３４  垂直差分検出手段、  ３５  垂直エッジ判定手段、  ３６，３６ｂ  比較手段、  ３７，３７ｂ  所定エリア内累積カウンタ、  ４１  １Ｈ遅延手段、  ４２  水平高域成分抽出手段、  ４３  垂直高域成分抽出手段、  ４４  最大値選択手段、  ４５  比較手段、  ４６  所定エリア内累積カウンタ、  ５１  ２−３フィールドシーケンス検出手段、  ５２  出現頻度検出手段、  ５３  ２−３予測制御手段、  ５４  切換手段、  １２１ａ，１２１ｂ，１２１ｃ  静止画検出手段、  １２２  フィールド静止画検出手段、  １２３，１２４  動画フィールドカウンタ、  １２５  シーケンス条件検出手段、  １２６  シーケンス判定手段、  １２７  シーケンス位相検出手段、  １２８  解除検出手段、  １３１  テレシネ起動カウンタ、  １３２  シーケンス検出信号生成手段、  １３３  シーケンス位相カウンタ、  １３４  補間位相フラグ生成手段、  １３５  フレーム動画連続検出手段、  １３６  フィールド動画連続検出手段、  １３７  静止画連続検出手段、  １３８  比較手段、  １３９  シーケンスずれ検出手段、  １４０  シーケンス内静止画カウンタ、  １４１  比較手段、  １４２  位相判定手段、  １４３  シーンチェンジ検出手段、  １４４  解除信号生成手段、  １５１  シーケンス判定回数検出手段、  １５２  予測制御フラグ生成手段、  １５３  出現頻度カウンタ、  １５４  カウント値調整手段、  ６１  ２−２フィールドシーケンス検出手段、  ６２  出現頻度検出手段、  ６３  ２−２予測制御手段、  ６４  切換手段、  １６１  静止画検出手段、  １６２  同一フレーム判定手段、  １６３  フィールド静止画検出手段、  １６４  動画フィールドカウンタ、  １６５  シーケンス条件検出手段、  １６６  シーケンス位相検出手段、  １６７  シーケンス判定手段、  １６８  解除検出手段、  １７１  シーケンス位相生成手段、  １７２  補間位相フラグ生成手段、  １７３  シーケンス起動カウンタ、  １７４  シーケンス検出信号生成手段、  １７５  動画連続検出手段、  １７６  位相判定手段、  １７７  比較手段、  １７８  シーンチェンジ検出手段、  １７９  解除信号生成手段、  １８１  シーケンス判定回数検出手段、  １８２  予測制御フラグ生成手段、  １８３  出現頻度カウンタ、  １８４  比較手段、  １８５  カウント値調整手段、  １９１  テレシネ判定手段、  １９２  位相フラグ選択手段、  １９３  補間混合比変換手段、  １９４  混合比切換手段、  １９５  非線形変換手段、  １９６  クリップ手段、  １００，２００  入力端子、  １０１  出���端子、  ２０１  入力信号処理手段、  ２０２  表示処理手段、  ２０３  表示手段、  Ｉａ０  現フィールド信号（インターレース映像信号、入力映像信号）、  Ｉｂ０，Ｒ  １フィールド遅延信号、  Ｉｃ０  ２フィールド遅延信号、  Ｉｍ  補間信号（補間走査線信号）、  Ｉｔ  テレシネ補間信号、  Ｉ  補間信号、  Ｐｒｏｇ  プログレッシブ映像信号、  ｍｖｆｒ  フレーム間動画素累積値、  ｄｆｍｖｆｒ  動画素累積差分値、  ｍｖｆｉｌ  フィールド間動画素累積値、  ｄｅｔｍ  動き検出信号、  ｆｉｌｈｖ  高域画素累積値、  ｔｃｉ２３  ２−３シーケンス検出信号、  ｔｃｆ２３  ２−３シーケンス位相フラグ、  ｔｃｉ２２  ２−２シーケンス検出信号、  ｔｃｆ２２  ２−２シーケンス位相フラグ、  ｔｃｉ  テレシネ検出信号、  ｔｃｆ  補間位相フラグ、  ｔｃｍｉｘ  補間混合比信号。
【図１】
2006253766.tif 000003
【図２】
2006253766.tif 000004
【図３】
2006253766.tif 000005
【図４】
2006253766.tif 000006
【図５】
2006253766.tif 000007
【図６】
2006253766.tif 000008
【図７】
2006253766.tif 000009
【図８】
2006253766.tif 000010
【図９】
2006253766.tif 000011
【図１０】
2006253766.tif 000012
【図１１】
2006253766.tif 000013
【図１２】
2006253766.tif 000014
【図１３】
2006253766.tif 000015
【図１４】
2006253766.tif 000016
【図１５】
2006253766.tif 000017
【図１６】
2006253766.tif 000018
【図１７】
2006253766.tif 000019
【図１８】
2006253766.tif 000020
【図１９】
2006253766.tif 000021
【図２０】
2006253766.tif 000022
【図２１】
2006253766.tif 000023
【図２２】
2006253766.tif 000024
【図２３】
2006253766.tif 000025
【図２４】
2006253766.tif 000026
【図２５】
2006253766.tif 000027
【図２６】
2006253766.tif 000028
【図２７】
2006253766.tif 000029
【図２８】
2006253766.tif 000030
【図２９】
2006253766.tif 000031
【図３０】
2006253766.tif 000032
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
飛び越し走査映像信号を順次走査映像信号に変換する映像信号処理装置であって、
上記飛び越し走査映像信号をフィールド単位で遅延させるフィールド遅延手段と、
上記飛び越し走査映像信号の注目フィールドと、上記注目フィールドより１フレーム前のフィールドとの間の相関を検出し、この検出結果に基づくフレーム間の相関の強さを示す信号を出力するフレーム間相関検出手段と、
上記飛び越し走査映像信号の注目フィールドと、上記注目フィールドより１フィールド前のフィールドとの間の相関を検出し、この検出結果に基づくフィールド間の相関の強さを示す信号を出力するフィールド間相関検出手段と、
上記飛び越し走査映像信号の注目フィールドにおける高域周波数成分を検出し、この検出結果に基づくフィールド内に存在する高域周波数成分の程度を示す信号を出力するフィールド解像度判定手段と、
上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ映像信号におけるフィールドシーケンスが検出されたか否かを示すテレシネ検出信号と、同一フレームからテレシネ変換されたフィールドの時間方向を示す補間位相と、テレシネ変換におけるプルダウンの方式を示す識別信号を生成するとともに、上記フィールド内に存在する高域周波数成分の程度を示す信号から、高域周波数成分の程度を示す信号に基づく補間信号の混合比を算出し、上記識別信号に応じて、上記算出した補間信号の混合比と固定信号を切り換えることにより、補間信号の混合比を示す混合比信号を生成し出力するプルダウンシーケンス検出手段と、
上記飛び越し走査映像信号及び上記フィールド遅延手段で遅延した映像信号による第１の補間信号を生成し、上記補間位相で示されるフィールドの時間方向により、上記飛び越し走査映像信号の注目フィールドに対し前もしくは後に位置するフィールドの信号から第２の補間信号を生成するとともに、上記混合信号により上記第１の補間信号と第２の補間信号を混合した補間信号を生成し、上記テレシネ検出信号によって、第１の補間信号または上記混合比信号により混合した補間信号のいずれかを選択して出力する補間信号生成手段と、
上記飛び越し走査映像信号及び上記補間信号生成手段から出力された上記補間信号に基づいて、上記順次走査映像信号を生成する変換手段と
を有すること特徴とする映像信号処理装置。
【請求項２】
上記フレーム間相関検出手段は、
上記飛び越し走査映像信号の注目フィールド内における所定の領域又はすべての領域の画素において、上記注目フィールドより１フレーム前のフィールドにおける同一位置の画素との間の差分値を求め、この差分値に基づく差分情報を検出する差分検出手段と、
上記差分検出手段からの差分情報を所定値と比較し、各画素における動きの有無を判定する比較手段と、
上記比較手段からの出力に基づき、上記フィールド内の所定の領域又はすべての領域における画素に対し、動き又は静止と判定される画素の数を累積し、フィールド毎の累積結果を出力する累積手段と、
上記累積手段からの累積結果を１フィールド遅延させる遅延手段と、
上記累積手段からの累積結果と上記遅延手段で遅延した累積結果との差分絶対値を算出し、累積差分値を出力する差分絶対値算出手段とを有し、
上記累積手段から出力された累積結果と、上記差分絶対値算出手段から出力された累積差分値を、上記フレーム間の相関の強さを示す信号として出力する
ことを特徴とする請求項１記載の映像信号処理装置。
【請求項３】
上記フィールド間相関検出手段は、
上記飛び越し走査映像信号の注目フィールド内における所定の領域又はすべての領域の画素において、上記注目フィールドより１フィールド前のフィールドにおける同一位置近傍の画素との間の差分値を求め、この差分値に基づく差分情報を検出する差分検出手段と、
上記差分検出手段からの差分情報を所定値と比較し、各画素での動きの有無を判定する比較手段と、
上記注目フィールドより１フィールド前のフィールドにおける画素に基づき、垂直方向のエッジ部を判定し、この判定結果に基づく垂直方向のエッジ部を示す信号を出力する垂直エッジ判定手段と、
上記比較手段からの出力及び上記垂直エッジ判定手段からの出力に基づき、上記フィールド内の所定の領域又はすべての領域における画素に対し、動き又は静止と判定される画素の数を累積し、フィールド毎の累積結果を出力する累積手段とを有し、
上記累積手段から出力された累積結果を、上記フィールド間の相関の強さを示す信号として出力とする
ことを特徴とする請求項１記載の映像信号処理装置。
【請求項４】
上記フィールド解像度判定手段は、
上記飛び越し走査映像信号の注目フィールド内における所定の領域又はすべての領域の画素において、水平方向の高域周波数成分を抽出する水平高域成分抽出手段と、
上記飛び越し走査映像信号の注目フィールド内における所定の領域又はすべての領域の画素において、垂直方向の高域周波数成分を抽出する垂直高域成分抽出手段と、
上記水平高域成分抽出手段からの出力及び上記垂直高域成分抽出手段からの出力に基づき、各画素における高域周波数成分を選択し、選択した結果を各画素における高域成分として出力する選択手段と、
上記選択手段からの高域成分を所定値と比較し、各画素が高域成分を持つか否かを判定し、この判定結果に基づく高域成分画素を示す信号を出力する比較手段と、
上記比較手段からの高域成分画素を示す信号に基づき、上記フィールド内の所定の領域又はすべての領域における画素に対し、高域成分を持つと判定される画素の数を累積し、フィールド毎の累積結果を出力する累積手段とを有し、
上記累積手段から出力された累積結果を、上記フィールド内に存在する高域周波数成分の程度を示す信号として出力とする
ことを特徴とする請求項１記載の映像信号処理装置。
【請求項５】
上記プルダウンシーケンス検出手段は、
上記フレーム間の相関の強さを示す信号及び上記フィールド間の相関の強さを示す信号により、２−３プルダウン方式で変換された映像信号のフィールドシーケンスの条件を満たすか否かを判断し、この判断結果及び同一フレームからテレシネ変換されたフィールドの時間方向を示す補間位相とを出力する２−３シーケンス検出手段と、
上記フレーム間の相関の強さを示す信号及び上記フィールド間の相関の強さを示す信号により、２−２プルダウン方式で変換された映像信号のフィールドシーケンスの条件を満たすか否かを判断し、この判断結果及び同一フレームからテレシネ変換されたフィールドの時間方向を示す補間位相とを出力する２−２シーケンス検出手段と、
上記２−３シーケンス検出手段からの出力及び上記２−２シーケンス検出手段からの出力により、上記飛び越し走査映像信号がテレシネ変換された映像信号であるか否かを判別し、その判別結果からテレシネ映像信号におけるフィールドシーケンスが検出されたか否かを示すテレシネ検出信号と、同一フレームからテレシネ変換されたフィールドの時間方向を示す補間位相と、テレシネ変換におけるプルダウンの方式を示す識別信号を生成するとともに、
上記フィールド内に存在する高域周波数成分の程度を示す信号に基づき、高域周波数成分の程度を示す信号に基づく補間信号の混合比を算出し、上記識別信号に応じて、上記算出した補間信号の混合比と固定信号を切り換えることにより、補間信号の混合比を示す混合比信号を生成し、上記テレシネ検出信号、補間位相、及び上記混合比信号とを出力するプルダウン判定手段と
を有することを特徴とする請求項１から４までのいずれかに記載の映像信号処理装置。
【請求項６】
上記２−３シーケンス検出手段は、
上記フレーム間の相関の強さを示す信号及び上記フィールド間の相関の強さを示す信号に基づいて、２−３プルダウン方式で変換された映像信号のフィールドシーケンスの条件を満たすか否かを判断する２−３フィールドシーケンス検出手段と、
上記フレーム間の相関の強さを示す信号及び上記フィールド間の相関の強さを示す信号に基づいて、上記２−３プルダウン方式で変換された映像信号のフィールドシーケンスの条件を満たすフィールドシーケンスの出現頻度を計測し、この計測結果に基づく予測制御信号を出力する第１の出現頻度検出手段と、
上記２−３フィールドシーケンス検出手段からの出力及び上記予測制御信号に基づき、２−３プルダウン方式で変換された映像信号のフィールドシーケンスの条件を満たすか否かを判断し、この判断結果を出力する第１の予測制御手段と
を有することを特徴とする請求項５記載の映像信号処理装置。
【請求項７】
上記２−３フィールドシーケンス検出手段は、
上記フレーム間の相関の強さを示す信号を所定の閾値と比較し、この比較結果に基づいて上記注目フィールドが静止画フィールド又は動画フィールドのいずれかであるかを検出する第１のフレーム静止画検出手段と、
上記第１のフレーム静止画検出手段の検出結果に基づき、動画フィールドを示すフィールドの連続数を検出する第１の動画フィールドカウント手段と、
上記フィールド間の相関の強さを示す信号を所定の閾値と比較し、この比較結果に基づいて上記注目フィールドが静止画フィールド又は動画フィールドのいずれかであるかを検出する第１のフィールド静止画検出手段と、
上記第１のフィールド静止画検出手段の検出結果に基づき、動画フィールドを示すフィールドの連続数を検出する第２の動画フィールドカウント手段と、
上記第１のフレーム静止画検出手段の検出結果及び上記第１の動画フィールドカウント手段の検出結果に基づき、２−３プルダウン方式で変換された映像信号のフィールドシーケンス位相を検出し、補間位相を出力する第１のシーケンス位相検出手段と、
上記第１のフレーム静止画検出手段の検出結果及び上記第１の動画フィールドカウント手段の検出結果と、上記第１のフィールド静止画検出手段の検出結果及び上記第２の動画フィールドカウント手段の検出結果に基づき、２−３プルダウン方式で変換された映像信号のフィールドシーケンスであることを満たすフィールドを検出し、この検出結果を出力する第１のシーケンス条件検出手段と、
上記フレーム間の相関の強さを示す信号、上記第１のフレーム静止画検出手段の検出結果、上記第１の動画フィールドカウント手段の検出結果、上記第１のフィールド静止画検出手段の検出結果、及び上記第２の動画フィールドカウント手段の検出結果に基づき、上記飛び越し走査映像信号が２−３プルダウン方式で変換された映像信号のフィールドシーケンス条件を満たさない場合を検出する第１の解除検出手段と、
上記第１のシーケンス条件検出手段の検出結果及び上記第１の解除検出手段の検出結果に基づき、２−３プルダウン方式で変換された映像信号のフィールドシーケンスを判定し、２−３プルダウンのシーケンス検出信号を出力する第１のシーケンス判定手段と
を有することを特徴とする請求項５又は６のいずれかに記載の映像信号処理装置。
【請求項８】
上記第１の出現頻度検出手段は、
上記フレーム間の相関の強さを示す信号及び上記フィールド間の相関の強さを示す信号に基づいて、２−３プルダウン方式で変換された映像信号のフィールドシーケンスの条件を満たす場合を検出した回数をカウントする第１のシーケンス判定回数検出手段と、
上記第１のシーケンス判定回数検出手段によるカウント値を所定の閾値と比較し、この比較結果を２−３プルダウン方式で変換された映像信号であることの確からしさを示す指標である上記予測制御信号として出力する第１の予測制御フラグ生成手段と
を有することを特徴とする請求項６に記載の映像信号処理装置。
【請求項９】
上記２−２シーケンス検出手段は、
上記フレーム間の相関の強さを示す信号及び上記フィールド間の相関の強さを示す信号に基づいて、２−２プルダウン方式で変換された映像信号のフィールドシーケンスの条件を満たすか否かを判断する２−２フィールドシーケンス検出手段と、
上記フレーム間の相関の強さを示す信号及び上記フィールド間の相関の強さを示す信号に基づいて、上記２−２プルダウン方式で変換された映像信号のフィールドシーケンスの条件を満たすフィールドシーケンスの出現頻度を計測し、この計測結果に基づく予測制御信号を出力する第２の出現頻度検出手段と、
上記２−２フィールドシーケンス検出手段からの出力及び上記予測制御信号に基づき、２−２プルダウン方式で変換された映像信号のフィールドシーケンスの条件を満たすか否かを判断し、この判断結果を出力する第２の予測制御手段と
を有することを特徴とする請求項５記載の映像信号処理装置。
【請求項１０】
上記２−２フィールドシーケンス検出手段は、
上記フレーム間の相関の強さを示す信号を所定の閾値と比較し、この比較結果に基づいて上記注目フィールドが静止画フィールド又は動画フィールドのいずれかであるかを検出する第２のフレーム静止画検出手段と、
上記フレーム間の相関の強さを示す信号を所定の閾値と比較し、この比較結果に基づいて同一フレームによるフィールドを判定し、判定結果を示す信号を出力する同一フレーム判定手段と、
上記フィールド間の相関の強さを示す信号を所定の閾値と比較し、この比較結果に基づいて上記注目フィールドが静止画フィールド又は動画フィールドのいずれかであるかを検出する第２のフィールド静止画検出手段と、
上記第２のフィールド静止画検出手段の検出結果に基づき、動画フィールドを示すフィールドの連続数を検出する第３の動画フィールドカウント手段と、
上記第２のフレーム静止画検出手段の検出結果、上記同一フレーム判定手段の判定結果、上記第２のフィールド静止画検出手段の検出結果、及び上記第３の動画フィールドカウント手段の検出結果に基づき、２−２プルダウン方式で変換された映像信号のフィールドシーケンスであることを満たすフィールドを検出し、この検出結果を出力する第２のシーケンス条件検出手段と、
上記第２のシーケンス条件検出手段の検出結果に基づき、２−２プルダウン方式で変換された映像信号のフィールドシーケンス位相を検出し、補間位相を出力する第２のシーケンス位相検出手段と、
上記フレーム間の相関の強さを示す信号、上記第２のフレーム静止画検出手段の検出結果、上記第２のフィールド静止画検出手段の検出結果、及び上記第３の動画フィールドカウント手段の検出結果に基づき、上記飛び越し走査映像信号が２−２プルダウン方式で変換された映像信号のフィールドシーケンス条件を満たさない場合を検出する第２の解除検出手段と、
上記第２のシーケンス条件検出手段の検出結果及び上記第２の解除検出手段の検出結果に基づき、２−２プルダウン方式で変換された映像信号のフィールドシーケンスを判定し、２−２プルダウンのシーケンス検出信号を出力する第２のシーケンス判定手段と
を有することを特徴とする請求項５又は９のいずれかに記載の映像信号処理装置。
【請求項１１】
上記第２の出現頻度検出手段は、
上記フレーム間の相関の強さを示す信号及び上記フィールド間の相関の強さを示す信号に基づいて、２−２プルダウン方式で変換された映像信号のフィールドシーケンスの条件を満たす場合を検出した回数をカウントする第２のシーケンス判定回数検出手段と、
上記第２のシーケンス判定回数検出手段によるカウント値を所定の閾値と比較し、この比較結果を２−２プルダウン方式で変換された映像信号であることの確からしさを示す指標である上記予測制御信号として出力判定する第２の予測制御フラグ生成手段と
を有することを特徴とする請求項９に記載の映像信号処理装置。
【請求項１２】
上記プルダウン判定手段は、
上記２−３シーケンス検出手段からの出力及び上記２−２シーケンス検出手段からの出力に基づき、上記飛び越し走査映像信号が２−３プルダウン方式で変換された映像信号か、２−２プルダウン方式で変換された映像信号かを判定し、その判定結果から上記テレシネ検出信号及び上記識別信号を生成し出力するテレシネ判定手段と、
上記テレシネ判定手段からの識別信号に基づき、上記２−３シーケンス検出手段からの出力と上記２−２シーケンス検出手段からの出力から、上記同一フレームからテレシネ変換されたフィールドの時間方向を示す補間位相を示す信号を選択し出力する位相フラグ選択手段と、
上記フィールド内に存在する高域周波数成分の程度を示す信号に基づき、高域周波数成分の程度の大きさ応じて、上記第１及び第２の補間信号の混合比が変化するように、補間信号の混合比を算出する補間混合比変換手段と、
上記補間混合比変換手段から算出された混合比と上記テレシネ判定手段からの識別信号に基づき、上記識別信号が２−２プルダウン方式であることを示す場合は、上記算出した混合比を選択し、上記識別信号が２−３プルダウン方式である場合は、固定信号を選択することにより、補間信号の混合比を示す混合比信号を生成し出力する混合比切換手段とを有し、
上記テレシネ判定手段からのテレシネ検出信号と、上記混合比切換手段からの混合比信号を出力する
ことを特徴とする請求項５記載の映像信号処理装置。
【請求項１３】
上記補間混合比変換手段は、
上記フィールド内に存在する高域周波数成分の程度を示す信号を非線形変換する非線形変換手段と、
上記非線形変換手段により変換された値を所定の範囲内の値となるようクリップすることによって、上記補間信号の混合比を算出するクリップ手段と
を有することを特徴とする請求項１２記載の映像信号処理装置。
【請求項１４】
上記補間信号生成手段は、
補間フィールドにおける映像信号に基づく演算処理により補間信号を生成するフィールド内補間又は補間フィールドの隣接フィールドにおける映像信号に基づく演算処理により補間信号を生成するフィールド間補間により、上記飛び越し走査映像信号及び上記フィールド遅延手段で遅延した映像信号に基づいて第１の補間信号を生成して出力する動き適応補間処理手段と、
テレシネ変換された映像信号に対し、補間フィールドの１フィールド前又は１フィールド後の映像信号に基づき、第２の補間信号を生成して出力するテレシネ補間処理手段と、
上記プルダウンシーケンス検出手段から出力される混合信号により上記第１の補間信号と第２の補間信号を混合した補間信号を生成し、上記プルダウンシーケンス検出手段から出力されるテレシネ検出信号によって、第１の補間信号または上記混合比信号により混合した補間信号のいずれかを選択して出力する混合手段と
を有すること特徴とする請求項１から１３までのいずれかに記載の映像信号処理装置。
【請求項１５】
飛び越し走査映像信号を順次走査映像信号に変換する映像信号処理方法であって、
上記飛び越し走査映像信号をフィールド単位で遅延させるステップと、
上記飛び越し走査映像信号の注目フィールドと、上記注目フィールドより１フレーム前のフィールドとの間の相関を検出し、この検出結果に基づくフレーム間の相関の強さを示す信号を出力するステップと、
上記飛び越し走査映像信号の注目フィールドと、上記注目フィールドより１フィールド前のフィールドとの間の相関を検出し、この検出結果に基づくフィールド間の相関の強さを示す信号を出力するステップと、
上記飛び越し走査映像信号の注目フィールドにおける高域周波数成分を検出し、この検出結果に基づくフィールド内に存在する高域周波数成分の程度を示す信号を出力するステップと、
上記フレーム間の相関の強さを示す信号及び上記フィールド間の相関の強さを示す信号に基づいて、上記飛び越し走査映像信号がテレシネ変換された映像信号のフィールドシーケンスを満たすか否かを検出し、この検出結果に基づくテレシネ映像信号におけるフィールドシーケンスが検出されたか否かを示すテレシネ検出信号と、同一フレームからテレシネ変換されたフィールドの時間方向を示す補間位相と、テレシネ変換におけるプルダウンの方式を示す識別信号を生成するとともに、上記フィールド内に存在する高域周波数成分の程度を示す信号から、高域周波数成分の程度を示す信号に基づく補間信号の混合比を算出し、上記識別信号に応じて、上記算出した補間信号の混合比と固定信号を切り換えることにより、補間信号の混合比を示す混合比信号を生成し出力するステップと、
上記飛び越し走査映像信号及び上記フィールド遅延手段で遅延した映像信号による第１の補間信号を生成し、上記補間位相で示されるフィールドの時間方向により、上記飛び越し走査映像信号の注目フィールドに対し前もしくは後に位置するフィールドの信号から第２の補間信号を生成するとともに、上記混合信号により上記第１の補間信号と第２の補間信号を混合した補間信号を生成し、上記テレシネ検出信号によって、第１の補間信号または上記混合比信号により混合した補間信号のいずれかを選択して出力するステップと、
上記飛び越し走査映像信号及び上記混合した補間信号に基づいて、上記順次走査映像信号を生成するステップと
を有すること特徴とする映像信号処理方法。
【請求項１６】
請求項１から１４までのいずれか１項に記載の映像信号処理装置と、
映像を表示する表示手段と、
上記映像信号処理装置から出力された上記順次走査の映像信号に基づく映像を、上記表示手段に表示させる表示処理手段と
を有することを特徴とする映像信号表示装置。